(57)【要約】  本発明は、相乗的に有効な量で、ａ）（ｉ）少なくとも一つの植物成長刺激タンパク質もしくはペプチド；および（ｉｉ）融合タンパク質をバチルス細胞の外膜に局在させる標的配列を含む融合タンパク質を発現する組換え外膜産生性バチルス細胞と；ｂ）少なくとも一つの本明細書に開示の特定の殺虫剤とを含む組成物に関する。さらに本発明は、この組成物の使用ならびに植物成長を促進し、植物の健康を増進し、および／または植物および植物部分の全体的損傷を低減する方法に関するものである。【選択図】図１
2017530966.tif 000002
【特許請求の範囲】
【請求項１】
相乗的に有効な量で、
ａ）
（ｉ）植物成長刺激タンパク質もしくはペプチドおよび殺虫活性を有するタンパク質もしくはペプチドからなる群から選択される少なくとも一つのタンパク質もしくはペプチド；および
（ｉｉ）標的配列、外膜タンパク質もしくは外膜タンパク質断片
を含む融合タンパク質を発現する組換え外膜産生性バチルス細胞と、
ｂ）アセタミプリド、アルジカルブ、アミトラズ、β−シフルトリン、カルバリル、クロチアニジン、シフルトリン、シペルメトリン、デルタメトリン、エンドスルファン、エチオン、エチプロル、エトプロホス、フェナミホス、フェノブカルブ、フェンチオン、フィプロニル、フルベンジアミド、フルオピラム、フルピラジフロン、ホルメタナート、ヘプタノホス（ｈｅｐｔａｎｏｐｈｏｓ）、イミダクロプリド、メタミドホス、メチオカルブ、メトミル、ニクロサミド、オキシデメトン−メチル、ホサロン、シラフルオフェン、スピロジクロフェン、スピロメシフェン、スピロテトラマト、チアクロプリド、チオジカルブ、トラロメトリン、トリアゾホス、トリフルムロン、バミドチオン、１−｛２−フルオロ−４−メチル−５−［（Ｒ）−（２，２，２−トリフルオロエチル）スルフィニル］フェニル｝−３−（トリフルオロメチル）−１Ｈ−１，２，４−トリアゾール−５−アミン、および１−（３−クロロピリジン−２−イル）−Ｎ−［４−シアノ−２−メチル−６−（メチルカルバモイル）フェニル］−３−｛［５−（トリフルオロメチル）−２Ｈ−テトラゾール−２−イル］メチル｝−１Ｈ−ピラゾール−５−カルボキサミドからなる群から選択される少なくとも一つの殺虫剤と
を含む組成物。
【請求項２】
前記少なくとも一つのタンパク質もしくはペプチドが、
植物成長刺激性化合物の産生もしくは活性化に関与する酵素、および、
細菌、真菌もしくは植物の栄養源を分解もしくは改変する酵素
からなる群から選択される植物成長刺激性タンパク質もしくはペプチドである、請求項１に記載の組成物。
【請求項３】
前記外膜産生性バチルス細胞がバチルス・セレウス（Ｂａｃｉｌｌｕｓ  ｃｅｒｅｕｓ）科構成員の細胞である、請求項１に記載の組成物。
【請求項４】
前記バチルス・セレウス（Ｂａｃｉｌｌｕｓ  ｃｅｒｅｕｓ）科構成員が、バチルス・アントラシス（Ｂａｃｉｌｌｕｓ  ａｎｔｈｒａｃｉｓ）、バチルス・セレウス（Ｂａｃｉｌｌｕｓ  ｃｅｒｅｕｓ）、バチルス・ツリンギエンシス（Ｂａｃｉｌｌｕｓ  ｔｈｕｒｉｎｇｉｅｎｓｉｓ）、バチルス・ミコイデス（Ｂａｃｉｌｌｕｓ  ｍｙｃｏｉｄｅｓ）、バチルス・シュードミコイデス（Ｂａｃｉｌｌｕｓ  ｐｓｅｕｄｏｍｙｃｏｉｄｅｓ）、バチルス・サマニイ（Ｂａｃｉｌｌｕｓ  ｓａｍａｎｉｉ）、バチルス・ガエモケンシス（Ｂａｃｉｌｌｕｓ  ｇａｅｍｏｋｅｎｓｉｓ）、バチルス・ウェイヘンステフェンシス（Ｂａｃｉｌｌｕｓ  ｗｅｉｈｅｎｓｔｅｐｈｅｎｓｉｓ）、バチルス・トヨイエンシスウェイヘンステフェンシス（Ｂａｃｉｌｌｕｓ  ｔｏｙｏｉｅｎｓｉｓ）およびそれらの組み合わせからなる群から選択される、請求項３に記載の組成物。
【請求項５】
前記標的配列または外膜タンパク質が、
配列番号１のアミノ酸２０から３５と少なくとも約４３％同一性を有するアミノ酸配列（アミノ酸２５から３５との同一性は少なくとも約５４％である。）；
配列番号１のアミノ酸１から３５を含む標的配列；
配列番号１のアミノ酸２０から３５を含む標的配列；
配列番号１のアミノ酸２２から３１を含む標的配列；
配列番号１のアミノ酸２２から３３を含む標的配列；
配列番号１のアミノ酸２０から３１を含む標的配列；
配列番号１を含む標的配列；または
配列番号２と少なくとも８５％同一性を有するアミノ酸配列を含む外膜タンパク質
を含む、請求項１から４のいずれか１項に記載の組成物。
【請求項６】
前記植物成長刺激化合物の産生もしくは活性化に関与する酵素が、アセトインレダクターゼ、インドール−３−アセトアミドヒドロラーゼ、トリプトファンモノオキシゲナーゼ、アセト乳酸シンターゼ、α−アセト乳酸デカルボキシラーゼ、ピルビン酸デカルボキシラーゼ、ジアセチルレダクターゼ、ブタンジオールデヒドロゲナーゼ、アミノトランスフェラーゼ、トリプトファンデカルボキシラーゼ、アミンオキシダーゼ、インドール−３−ピルビン酸デカルボキシラーゼ、インドール−３−アセトアルデヒドデヒドロゲナーゼ、トリプトファン側鎖オキシダーゼ、ニトリルヒドロラーゼ、ニトリラーゼ、ペプチダーゼ、プロテアーゼ、アデノシンリン酸イソペンテニルトランスフェラーゼ、ホスファターゼ、アデノシンキナーゼ、アデニンホスホリボシルトランスフェラーゼ、ＣＹＰ７３５Ａ、５′リボヌクレオチドホスホヒドロラーゼ、アデノシンヌクレオシダーゼ、ゼアチンシス−トランスイソメラーゼ、ゼアチンＯ−グルコシルトランスフェラーゼ、β−グルコシダーゼ、シス−ヒドロキシラーゼ、ＣＫシス−ヒドロキシラーゼ、ＣＫ  Ｎ−グルコシルトランスフェラーゼ、２，５−リボヌクレオチドホスホヒドロラーゼ、アデノシンヌクレオシダーゼ、プリンヌクレオシドホスホリラーゼ、ゼアチンレダクターゼ、ヒドロキシルアミンレダクターゼ、２−オキソグルタル酸ジオキシゲナーゼ、ジベレリン酸２Ｂ／３Ｂヒドロラーゼ、ジベレリン３−オキシダーゼ、ジベレリン２０−オキシダーゼ、キトサナーゼ、キチナーゼ、β−１，３−グルカナーゼ、β−１，４−グルカナーゼ、β−１，６−グルカナーゼ、アミノシクロプロパン−１−カルボン酸デアミナーゼ、およびノッド因子産生に関与する酵素からなる群から選択される、請求項２から５のいずれか１項に記載の組成物。
【請求項７】
前記植物成長刺激化合物の産生もしくは活性化に関与する酵素がキトサナーゼである、請求項６に記載の組成物。
【請求項８】
前記融合タンパク質が配列番号１０９を含む、請求項７に記載の組成物。
【請求項９】
前記細菌、真菌もしくは植物の栄養源を分解もしくは改変する酵素が、セルラーゼ、リパーゼ、リグニンオキシダーゼ、プロテアーゼ、グリコシドヒドロラーゼ、ホスファターゼ、ニトロゲナーゼ、ヌクレアーゼ、アミダーゼ、硝酸レダクターゼ、亜硝酸レダクターゼ、アミラーゼ、アンモニアオキシダーゼ、リグニナーゼ、グルコシダーゼ、ホスホリパーゼ、フィターゼ、ペクチナーゼ、グルカナーゼ、スルファターゼ、ウレアーゼ、キシラナーゼ、およびシデロホアからなる群から選択される、請求項２から５のいずれか１項に記載の組成物。
【請求項１０】
前記酵素がエンドセルラーゼ、エキソセルラーゼ、およびβ−グルコシダーゼからなる群から選択されるセルラーゼである、請求項９に記載の組成物。
【請求項１１】
前記融合タンパク質がバチルス・サブチリス（Ｂａｃｉｌｌｕｓ  ｓｕｂｔｉｌｉｓ）エンドグルカナーゼを含む、請求項１０に記載の組成物。
【請求項１２】
前記融合タンパク質が配列番号１０７を含む、請求項１１に記載の組成物。
【請求項１３】
前記組換えバチルス細胞がバチルス・ツリンギエンシス（Ｂａｃｉｌｌｕｓ  ｔｈｕｒｉｎｇｉｅｎｓｉｓ）ＢＴ０１３Ａ由来である、請求項１２に記載の組成物。
【請求項１４】
前記酵素がホスホリパーゼである、請求項９に記載の組成物。
【請求項１５】
前記融合タンパク質が配列番号１０８を含む、請求項１４に記載の組成物。
【請求項１６】
前記融合タンパク質が、標的配列に固有の胞子形成プロモーター、外膜タンパク質、または前記融合タンパク質の外膜タンパク質断片の制御下に発現される、請求項１から１５のいずれか１項に記載の組成物。
【請求項１７】
前記融合タンパク質が、高発現胞子形成プロモーターの制御下に発現される、請求項１から１６のいずれか１項に記載の組成物。
【請求項１８】
前記高発現胞子形成プロモーターがσ−Ｋ胞子形成特異的ポリメラーゼプロモーター配列を含む、請求項１７に記載の組成物。
【請求項１９】
前記胞子形成プロモーターが、配列番号：８５から１０３のいずれか一つの核酸配列と少なくとも８０％同一性を有する核酸配列を含む、請求項１６から１８のいずれか１項に記載の組成物。
【請求項２０】
前記少なくとも一つの殺虫剤が、クロチアニジン、シペルメトリン、エチプロル、フィプロニル、フルピラジフロン、およびメチオカルブからなる群から選択される、請求項１から１９のいずれか１項に記載の組成物。
【請求項２１】
前記殺菌剤がフルピラジフロンである、請求項２０に記載の組成物。
【請求項２２】
前記殺虫剤がクロチアニジンである、請求項１から１９のいずれか１項に記載の組成物。
【請求項２３】
請求項１から２２のいずれか１項に記載の組成物で処理された種子。
【請求項２４】
植物成長促進および／または植物の健康増進のための、請求項１から２３のいずれか１項に記載の組成物の使用。
【請求項２５】
従来植物もしくはトランスジェニック植物またはその種子を処理するための、請求項２４に記載の使用。
【請求項２６】
植物、植物部分または植物周囲の場所を処理して植物成長を促進および／または植物の健康を増進する方法であって、相乗的に有効な量で、
ａ）
（ｉ）少なくとも一つの植物成長刺激タンパク質もしくはペプチド；および
（ｉｉ）標的配列、外膜タンパク質、または外膜タンパク質断片
を含む融合タンパク質を発現する組換え外膜産生性バチルス細胞と、
ｂ）アセタミプリド、アルジカルブ、アミトラズ、β−シフルトリン、カルバリル、クロチアニジン、シフルトリン、シペルメトリン、デルタメトリン、エンドスルファン、エチオン、エチプロル、エトプロホス、フェナミホス、フェノブカルブ、フェンチオン、フィプロニル、フルベンジアミド、フルオピラム、フルピラジフロン、ホルメタナート、ヘプタノホス（ｈｅｐｔａｎｏｐｈｏｓ）、イミダクロプリド、メタミドホス、メチオカルブ、メトミル、ニクロサミド、オキシデメトン−メチル、ホサロン、シラフルオフェン、スピロジクロフェン、スピロメシフェン、スピロテトラマト、チアクロプリド、チオジカルブ、トラロメトリン、トリアゾホス、トリフルムロン、バミドチオン、１−｛２−フルオロ−４−メチル−５−［（Ｒ）−（２，２，２−トリフルオロエチル）スルフィニル］フェニル｝−３−（トリフルオロメチル）−１Ｈ−１，２，４−トリアゾール−５−アミン、および１−（３−クロロピリジン−２−イル）−Ｎ−［４−シアノ−２−メチル−６−（メチルカルバモイル）フェニル］−３−｛［５−（トリフルオロメチル）−２Ｈ−テトラゾール−２−イル］メチル｝−１Ｈ−ピラゾール−５−カルボキサミドからなる群から選択される少なくとも一つの殺虫剤と
を同時または順次に施用する段階を有する方法。
【請求項２７】
前記標的配列または外膜タンパク質が、
配列番号１のアミノ酸２０から３５と少なくとも約４３％同一性を有するアミノ酸配列（アミノ酸２５から３５との同一性は少なくとも約５４％である。）；
配列番号１のアミノ酸１から３５を含む標的配列；
配列番号１のアミノ酸２０から３５を含む標的配列；
配列番号１のアミノ酸２２から３１を含む標的配列；
配列番号１のアミノ酸２２から３３を含む標的配列；
配列番号１のアミノ酸２０から３１を含む標的配列；
配列番号１を含む標的配列；または
配列番号２と少なくとも８５％同一性を有するアミノ酸配列を含む外膜タンパク質
を含む、請求項２６に記載の方法。
【発明の詳細な説明】
【技術分野】
【０００１】
関連出願の相互参照
本願は、２０１４年９月１７日出願の米国暫定特許出願６２／０５１，９１９（その内容は、参照によって全体が本明細書に組み込まれる。）に対する優先権を主張するものである。
【０００２】
電子的に提出された配列表への言及
配列表の公式コピーを、２０１５年９月１４日作成のファイル名「ＢＣＳ１４９０５９ＷＯ＿ＳＴ２５．ｔｘｔ」であってサイズが１５２キロバイトであるＡＳＣＩＩ様式配列表としてＥＦＳ−Ｗｅｂによって電子的に提出しており、本明細書と同時に提出している。このＡＳＣＩＩ様式文書に含まれる配列表は、本明細書の一部であり、参照によってその全体が本明細書に組み込まれるものである。
【０００３】
背景
発明の分野
本発明は、相乗的に効果的な量で、（ｉ）（ｘ）少なくとも一つの植物成長刺激タンパク質またはペプチド；および（ｙ）融合タンパク質をバチルス細胞の外膜に局在させる標的配列を含む融合タンパク質を発現する組換え外膜産生性バチルス細胞と；（ｉｉ）昆虫、ダニ、線虫および／または植物病原体に対する活性を向上させる能力を示す本明細書に開示の特定の殺虫剤から選択される少なくとも一つの殺虫剤とを含む組成物に関する。さらに本発明は、この組成物の使用ならびに植物成長を促進し、植物の健康を増進し、および／または植物および植物部分の全体的損傷を低減する方法に関するものである。
【背景技術】
【０００４】
作物保護では、植物の健康および／または成長を向上させる方途が常に必要とされている。一般に、健康度の高い植物の方がより高い収量をもたらし、および／または植物もしくはその産物の品質が高くなる。
【０００５】
植物の健康を増進するためには、無機物および有機物の両方に基づく肥料が世界的に用いられている。肥料は単一物質であるか組成物であることができ、栄養素を植物に提供するのに使用される。肥料使用の大きな躍進は、１８４０年ごろのＪｕｓｔｕｓ  ｖｏｎ  Ｌｉｅｂｉｇによる窒素肥料の開発であった。しかしながら肥料は、土壌の酸性化および土壌における栄養素バランスの不安定化、例えばミネラル不足や塩分および重金属の濃縮を生じる可能性がある。さらに、過剰な肥料使用は、土壌動物相の変化をもたらす可能性があり、さらには地上水および地下水を汚染し得る。さらに、硝酸塩などの健康に有害な物質が植物や果実で濃縮させることもあり得る。
【０００６】
さらに、殺虫剤および殺菌剤が、有害生物を防除するのに世界的に使用されている。合成殺虫剤または殺菌剤は多くの場合で非特異的であることから、他の天然の有益な生物を含む標的生物以外の生物に作用し得る。化学的性質のため、それらは毒性かつ非生物分解性でもあり得る。特に食品における化学物質の残留物に関連する環境問題および健康問題の可能性について、世界中の消費者の意識が高まっている。そのため、化学的（すなわち合成）農薬の使用または少なくとも量を減らすことへの消費者の圧力が大きくなっている。従って、有効な病害生物防除をなおも可能としながら、食物連鎖要件を管理する必要がある。
【発明の概要】
【発明が解決しようとする課題】
【０００７】
合成殺虫剤または殺菌剤の使用から生じるさらなる問題は、殺虫剤または殺菌剤の繰り返しおよび排他的施用によって抵抗性の有害動物もしくは微生物の選択を生じる場合が多いという点である。通常、そのような株は同じ作用機序を有する他の有効成分に対して交差抵抗性でもある。そうなると、もはや前記活性化合物による病原体の効果的防除はできない。しかしながら、新たな作用機序を有する有効成分は、開発が困難かつ費用がかかる。
【０００８】
植物健康増進剤および／または植物保護剤として作用する生物農薬（ＢＣＡ）の使用が、肥料や合成農薬に代わる選択肢である。場合により、ＢＣＡの有効性は、特には高い感染圧の場合には、従来の殺虫剤および殺菌剤の場合と同じレベルではない。結果的に、状況により、生物農薬、それらの突然変異体およびそれらによって産生される代謝物は、特に低施用量において、完全に満足なものとは限らない。従って、合成殺菌剤および殺虫剤と組み合わせて使用される新たな植物健康増進性組成物および／または植物保護組成物、例えば生物農薬を開発して上記の要件を満足しようとすることが常に必要とされている。
【課題を解決するための手段】
【０００９】
これを考慮すると、特に、植物成長を向上させる能力および／または植物の健康を増進する能力が高められた、または昆虫、ダニ、線虫および／または植物病原体に対する高い活性を示す組成物を提供することが本発明の目的であった。
【００１０】
従って、これらの目的が、下記で定義する本発明による組成物によって達成されることが見出された。ａ）（ｉ）植物成長刺激性化合物の産生もしくは活性化に関与する酵素；細菌、真菌もしくは植物の栄養源を分解もしくは改変する酵素；および病原体もしくは有害生物から植物を保護するタンパク質もしくはペプチドからなる群から選択される少なくとも一つの植物成長刺激タンパク質もしくはペプチド；および（ｉｉ）融合タンパク質をバチルス細胞の外膜に局在させる標的配列を含む融合タンパク質を発現する組換え外膜産生性バチルス細胞；およびｂ）本明細書で開示の少なくとも一つの特定の殺虫剤を施用することで、好ましくは優加法的に（ｉ）植物成長、植物収量および／または植物の健康および／または（ｉｉ）昆虫、ダニ、線虫および／または植物病原体に対する活性を高めることができる。
【００１１】
標的配列、外膜タンパク質、外膜タンパク質断片、融合タンパク質、およびそのような融合タンパク質を発現する組換え外膜産生性バチルス細胞について本明細書で言及することは、独立の実施形態と見なすべきではない。そうではなく、本願を通じて、標的配列、外膜タンパク質、外膜タンパク質断片、融合タンパク質、およびそのような融合タンパク質を発現する組換え外膜産生性バチルス細胞についての言及は、１以上の本明細書に記載の特定の殺虫剤との組み合わせで（好ましくは、相乗的組み合わせで）のみ開示および特許請求されるものと見なすべきである。さらに、「本明細書に開示の特定の殺虫剤」についての言及は、下記の段落［０００１８５］から［０００１８６］に記載の殺虫剤を包含するものである。
【００１２】
本発明は、相乗的に有効な量で、ａ）（ｉ）植物成長刺激性化合物の産生もしくは活性化に関与する酵素；細菌、真菌もしくは植物の栄養源を分解もしくは改変する酵素、および病原体から植物を保護するタンパク質もしくはペプチドからなる群から選択される少なくとも一つの植物成長刺激タンパク質もしくはペプチド；および（ｉｉ）融合タンパク質をバチルス細胞の外膜に局在させる標的配列を含む融合タンパク質を発現する組換え外膜産生性バチルス細胞；およびｂ）アセタミプリド、アルジカルブ、アミトラズ、β−シフルトリン、カルバリル、クロチアニジン、シフルトリン、シペルメトリン、デルタメトリン、エンドスルファン、エチオン、エチプロル、エトプロホス、フェナミホス、フェノブカルブ、フェンチオン、フィプロニル、フルベンジアミド、フルピラジフロン、フルオピラム、ホルメタナート、ヘプタノホス（ｈｅｐｔａｎｏｐｈｏｓ）、イミダクロプリド、メタミドホス、メチオカルブ、メトミル、ニクロサミド、オキシデメトン−メチル、ホサロン、シラフルオフェン、スピロジクロフェン、スピロメシフェン、スピロテトラマト、チアクロプリド、チオジカルブ、トラロメトリン、トリアゾホス、トリフルムロン、バミドチオン、１−｛２−フルオロ−４−メチル−５−［（Ｒ）−（２，２，２−トリフルオロエチル）スルフィニル］フェニル｝−３−（トリフルオロメチル）−１Ｈ−１，２，４−トリアゾール−５−アミン、１−（３−クロロピリジン−２−イル）−Ｎ−［４−シアノ−２−メチル−６−（メチルカルバモイル）フェニル］−３−｛［５−（トリフルオロメチル）−２Ｈ−テトラゾール−２−イル］メチル｝−１Ｈ−ピラゾール−５−カルボキサミドおよび３種類のテルペン類α−テルピネン、ｐ−シメンおよびリモネンを含む農薬テルペン混合物からなる群から選択される少なくとも一つの殺虫剤を含む組成物に関する。
【００１３】
一部の実施形態において、前記標的配列は、配列番号１のアミノ酸２０から３５と少なくとも約４３％同一性を有するアミノ酸配列（アミノ酸２５から３５との同一性は少なくとも約５４％である。）；配列番号１のアミノ酸１から３５を含む標的配列；配列番号１のアミノ酸２０から３５を含む標的配列；配列番号１のアミノ酸２２から３１を含む標的配列；配列番号１のアミノ酸２２から３３を含む標的配列；配列番号１のアミノ酸２０から３１を含む標的配列；配列番号１を含む標的配列；または配列番号２と少なくとも８５％同一性を有するアミノ酸配列を含む外膜タンパク質を含む。
【００１４】
一部の実施形態において、外膜産生性バチルス細胞は、バチルス・セレウス（Ｂａｃｉｌｌｕｓ  ｃｅｒｅｕｓ）科構成員の細胞である。組換え外膜産生性バチルス細胞は、バチルス・アントラシス（Ｂａｃｉｌｌｕｓ  ａｎｔｈｒａｃｉｓ）、バチルス・セレウス（Ｂａｃｉｌｌｕｓ  ｃｅｒｅｕｓ）、バチルス・ツリンギエンシス（Ｂａｃｉｌｌｕｓ  ｔｈｕｒｉｎｇｉｅｎｓｉｓ）、バチルス・ミコイデス（Ｂａｃｉｌｌｕｓ  ｍｙｃｏｉｄｅｓ）、バチルス・シュードミコイデス（Ｂａｃｉｌｌｕｓ  ｐｓｅｕｄｏｍｙｃｏｉｄｅｓ）、バチルス・サマニイ（Ｂａｃｉｌｌｕｓ  ｓａｍａｎｉｉ）、バチルス・ガエモケンシス（Ｂａｃｉｌｌｕｓ  ｇａｅｍｏｋｅｎｓｉｓ）、バチルス・ウェイヘンステフェンシス（Ｂａｃｉｌｌｕｓ  ｗｅｉｈｅｎｓｔｅｐｈｅｎｓｉｓ）、バチルス・トヨイエンシスウェイヘンステフェンシス（Ｂａｃｉｌｌｕｓ  ｔｏｙｏｉｅｎｓｉｓ）およびそれらの組み合わせの細胞のいずれかであることができる。さらなる実施形態において、組換えバチルス細胞は、バチルス・ツリンギエンシス（Ｂａｃｉｌｌｕｓ  ｔｈｕｒｉｎｇｉｅｎｓｉｓ）ＢＴ０１３Ａの細胞である。
【００１５】
ある種の態様において、前記融合タンパク質は、アセトインレダクターゼ、インドール−３−アセトアミドヒドロラーゼ、トリプトファンモノオキシゲナーゼ、アセト乳酸シンターゼ、α−アセト乳酸デカルボキシラーゼ、ピルビン酸デカルボキシラーゼ、ジアセチルレダクターゼ、ブタンジオールデヒドロゲナーゼ、アミノトランスフェラーゼ、トリプトファンデカルボキシラーゼ、アミンオキシダーゼ、インドール−３−ピルビン酸デカルボキシラーゼ、インドール−３−アセトアルデヒドデヒドロゲナーゼ、トリプトファン側鎖オキシダーゼ、ニトリルヒドロラーゼ、ニトリラーゼ、ペプチダーゼ、プロテアーゼ、アデノシンリン酸イソペンテニルトランスフェラーゼ、ホスファターゼ、アデノシンキナーゼ、アデニンホスホリボシルトランスフェラーゼ、ＣＹＰ７３５Ａ、５′リボヌクレオチドホスホヒドロラーゼ、アデノシンヌクレオシダーゼ、ゼアチンシス−トランスイソメラーゼ、ゼアチンＯ−グルコシルトランスフェラーゼ、β−グルコシダーゼ、シス−ヒドロキシラーゼ、ＣＫシス−ヒドロキシラーゼ、ＣＫ  Ｎ−グルコシルトランスフェラーゼ、２，５−リボヌクレオチドホスホヒドロラーゼ、アデノシンヌクレオシダーゼ、プリンヌクレオシドホスホリラーゼ、ゼアチンレダクターゼ、ヒドロキシルアミンレダクターゼ、２−オキソグルタル酸ジオキシゲナーゼ、ジベレリン酸２Ｂ／３Ｂヒドロラーゼ、ジベレリン３−オキシダーゼ、ジベレリン２０−オキシダーゼ、キトサナーゼ、キチナーゼ、β−１，３−グルカナーゼ、β−１，４−グルカナーゼ、β−１，６−グルカナーゼ、アミノシクロプロパン−１−カルボン酸デアミナーゼ、およびノッド因子産生に関与する酵素からなる群から選択される植物成長刺激性化合物の産生もしくは活性化に関与する酵素を含む。
【００１６】
他の態様において、前記融合タンパク質は、セルラーゼ、リパーゼ、リグニンオキシダーゼ、プロテアーゼ、グリコシドヒドロラーゼ、ホスファターゼ、ニトロゲナーゼ、ヌクレアーゼ、アミダーゼ、硝酸レダクターゼ、亜硝酸レダクターゼ、アミラーゼ、アンモニアオキシダーゼ、リグニナーゼ、グルコシダーゼ、ホスホリパーゼ、フィターゼ、ペクチナーゼ、グルカナーゼ、スルファターゼ、ウレアーゼ、キシラナーゼ、およびシデロホアからなる群から選択される細菌、真菌もしくは植物の栄養源を分解もしくは改変する酵素を含む。
【００１７】
さらに他の態様において、前記融合タンパク質は病原体から植物を保護するタンパク質もしくはペプチドを含み、前記タンパク質またはペプチドは殺虫活性、殺蠕虫活性を有し、昆虫または青虫捕食を抑制し、またはそれらの組み合わせを有する。そのようなタンパク質は、殺虫性細菌毒素、内毒素、Ｃｒｙ毒素、プロテアーゼ阻害剤タンパク質またはペプチド、システインプロテアーゼ、またはキチナーゼを含むことができる。前記タンパク質またはペプチドは、ＶＩＰ殺虫性毒素、トリプシン阻害剤、アローヘッド（ａｒｒｏｗｈｅａｄ）プロテアーゼ阻害剤、Ｃｒｙ毒素（例えば、バチルス・ツリンギエンシス（Ｂａｃｉｌｌｕｓ  ｔｈｕｒｉｎｇｉｅｎｓｉｓ）からのＣｒｙ毒素）を含むことができる。
【００１８】
ある種の実施形態において、前記殺虫剤は、アセタミプリド、アルジカルブ、アミトラズ、β−シフルトリン、カルバリル、クロチアニジン、シフルトリン、シペルメトリン、デルタメトリン、エンドスルファン、エチオン、エチプロル、エトプロホス、フェナミホス、フェノブカルブ、フェンチオン、フィプロニル、フルベンジアミド、フルピラジフロン、フルオピラム、ホルメタナート、ヘプタノホス（ｈｅｐｔａｎｏｐｈｏｓ）、イミダクロプリド、メタミドホス、メチオカルブ、メトミル、ニクロサミド、オキシデメトン−メチル、ホサロン、シラフルオフェン、スピロジクロフェン、スピロメシフェン、スピロテトラマト、チアクロプリド、チオジカルブ、トラロメトリン、トリアゾホス、トリフルムロン、バミドチオン、１−｛２−フルオロ−４−メチル−５−［（Ｒ）−（２，２，２−トリフルオロエチル）スルフィニル］フェニル｝−３−（トリフルオロメチル）−１Ｈ−１，２，４−トリアゾール−５−アミン、１−（３−クロロピリジン−２−イル）−Ｎ−［４−シアノ−２−メチル−６−（メチルカルバモイル）フェニル］−３−｛［５−（トリフルオロメチル）−２Ｈ−テトラゾール−２−イル］メチル｝−１Ｈ−ピラゾール−５−カルボキサミドおよび３種類のテルペン類α−テルピネン、ｐ−シメンおよびリモネンを含む農薬テルペン混合物からなる群から選択される。
【００１９】
他の実施形態において、前記殺虫剤は、クロチアニジン、シペルメトリン、エチプロル、フィプロニル、フルオピラム、フルピラジフロン、イミダクロプリド、メチオカルブ、およびチオジカルブからなる群から選択される。
【００２０】
一部の実施形態において、本発明の組成物は、相乗的に有効な量で、ａ）（ｉ）植物成長刺激性化合物の産生もしくは活性化に関与する酵素および細菌、真菌もしくは植物の栄養源を分解もしくは改変する酵素または植物を病原体から保護する少なくとも一つのタンパク質もしくはペプチドからなる群から選択される少なくとも一つの植物成長刺激タンパク質もしくはペプチド；および（ｉｉ）融合タンパク質をバチルス細胞の外膜に局在させる標的配列を含む融合タンパク質を発現する組換え外膜産生性バチルス細胞と；ｂ）クロチアニジン、シペルメトリン、エチプロル、フィプロニル、フルオピラム、フルピラジフロン、イミダクロプリド、メチオカルブ、およびチオジカルブからなる群から選択される少なくとも一つの殺虫剤とを含む。
【００２１】
上記実施形態の特定の態様において、（ｉ）前記少なくとも一つの殺虫剤はクロチアニジンであり；（ｉｉ）前記標的配列は配列番号１のアミノ酸２０から３５と少なくとも約４３％同一性を有するアミノ酸配列（アミノ酸２５から３５との同一性は少なくとも約５４％である。）を含み；（ｉｉｉ）前記植物成長刺激タンパク質もしくはペプチドは、好ましくはそれぞれ配列番号１０７、１０８および１０９と少なくとも９５％配列同一性を有するエンドグルカナーゼ、ホスホリパーゼまたはキトシナーゼ（ｃｈｉｔｏｓｉｎａｓｅ）を含み；（ｉｖ）前記組換えバチルス・セレウス（Ｂａｃｉｌｌｕｓ  ｃｅｒｅｕｓ）科構成員細胞は、バチルス・ツリンギエンシス（Ｂａｃｉｌｌｕｓ  ｔｈｕｒｉｎｇｉｅｎｓｉｓ）またはバチルス・ミコイデス（Ｂａｃｉｌｌｕｓ  ｍｙｃｏｉｄｅｓ）の細胞を含む。さらに別の特定の実施形態において、前記組換えバチルス・セレウス（Ｂａｃｉｌｌｕｓ  ｃｅｒｅｕｓ）科構成員細胞は、バチルス・ツリンギエンシス（Ｂａｃｉｌｌｕｓ  ｔｈｕｒｉｎｇｉｅｎｓｉｓ）ＢＴ０１３Ａの細胞である。
【００２２】
上記実施形態の特定の態様において、（ｉ）前記少なくとも一つの殺虫剤はシペルメトリンであり；（ｉｉ）前記標的配列は配列番号１のアミノ酸２０から３５と少なくとも約４３％同一性を有するアミノ酸配列（アミノ酸２５から３５との同一性は少なくとも約５４％である。）を含み；（ｉｉｉ）前記植物成長刺激タンパク質もしくはペプチドは、好ましくはそれぞれ配列番号１０７、１０８および１０９と少なくとも９５％配列同一性を有するエンドグルカナーゼ、ホスホリパーゼまたはキトシナーゼ（ｃｈｉｔｏｓｉｎａｓｅ）を含み；（ｉｖ）前記組換えバチルス・セレウス（Ｂａｃｉｌｌｕｓ  ｃｅｒｅｕｓ）科構成員細胞は、バチルス・ツリンギエンシス（Ｂａｃｉｌｌｕｓ  ｔｈｕｒｉｎｇｉｅｎｓｉｓ）またはバチルス・ミコイデス（Ｂａｃｉｌｌｕｓ  ｍｙｃｏｉｄｅｓ）の細胞を含む。さらに別の特定の実施形態において、前記組換えバチルス・セレウス（Ｂａｃｉｌｌｕｓ  ｃｅｒｅｕｓ）科構成員細胞は、バチルス・ツリンギエンシス（Ｂａｃｉｌｌｕｓ  ｔｈｕｒｉｎｇｉｅｎｓｉｓ）ＢＴ０１３Ａの細胞である。
【００２３】
上記実施形態の特定の態様において、（ｉ）前記少なくとも一つの殺虫剤はエチプロルであり；（ｉｉ）前記標的配列は配列番号１のアミノ酸２０から３５と少なくとも約４３％同一性を有するアミノ酸配列（アミノ酸２５から３５との同一性は少なくとも約５４％である。）を含み；（ｉｉｉ）前記植物成長刺激タンパク質もしくはペプチドは、好ましくはそれぞれ配列番号１０７、１０８および１０９と少なくとも９５％配列同一性を有するエンドグルカナーゼ、ホスホリパーゼまたはキトシナーゼ（ｃｈｉｔｏｓｉｎａｓｅ）を含み；（ｉｖ）前記組換えバチルス・セレウス（Ｂａｃｉｌｌｕｓ  ｃｅｒｅｕｓ）科構成員細胞は、バチルス・ツリンギエンシス（Ｂａｃｉｌｌｕｓ  ｔｈｕｒｉｎｇｉｅｎｓｉｓ）またはバチルス・ミコイデス（Ｂａｃｉｌｌｕｓ  ｍｙｃｏｉｄｅｓ）の細胞を含む。さらに別の特定の実施形態において、前記組換えバチルス・セレウス（Ｂａｃｉｌｌｕｓ  ｃｅｒｅｕｓ）科構成員細胞は、バチルス・ツリンギエンシス（Ｂａｃｉｌｌｕｓ  ｔｈｕｒｉｎｇｉｅｎｓｉｓ）ＢＴ０１３Ａの細胞である。
【００２４】
上記実施形態の特定の態様において、（ｉ）前記少なくとも一つの殺虫剤はフィプロニルであり；（ｉｉ）前記標的配列は配列番号１のアミノ酸２０から３５と少なくとも約４３％同一性を有するアミノ酸配列（アミノ酸２５から３５との同一性は少なくとも約５４％である。）を含み；（ｉｉｉ）前記植物成長刺激タンパク質もしくはペプチドは、好ましくはそれぞれ配列番号１０７、１０８および１０９と少なくとも９５％配列同一性を有するエンドグルカナーゼ、ホスホリパーゼまたはキトシナーゼ（ｃｈｉｔｏｓｉｎａｓｅ）を含み；（ｉｖ）前記組換えバチルス・セレウス（Ｂａｃｉｌｌｕｓ  ｃｅｒｅｕｓ）科構成員細胞は、バチルス・ツリンギエンシス（Ｂａｃｉｌｌｕｓ  ｔｈｕｒｉｎｇｉｅｎｓｉｓ）またはバチルス・ミコイデス（Ｂａｃｉｌｌｕｓ  ｍｙｃｏｉｄｅｓ）の細胞を含む。さらに別の特定の実施形態において、前記組換えバチルス・セレウス（Ｂａｃｉｌｌｕｓ  ｃｅｒｅｕｓ）科構成員細胞は、バチルス・ツリンギエンシス（Ｂａｃｉｌｌｕｓ  ｔｈｕｒｉｎｇｉｅｎｓｉｓ）ＢＴ０１３Ａの細胞である。
【００２５】
上記実施形態の特定の態様において、（ｉ）前記少なくとも一つの殺虫剤はフルオピラムであり；（ｉｉ）前記標的配列は配列番号１のアミノ酸２０から３５と少なくとも約４３％同一性を有するアミノ酸配列（アミノ酸２５から３５との同一性は少なくとも約５４％である。）を含み；（ｉｉｉ）前記植物成長刺激タンパク質もしくはペプチドは、好ましくはそれぞれ配列番号１０７、１０８および１０９と少なくとも９５％配列同一性を有するエンドグルカナーゼ、ホスホリパーゼまたはキトシナーゼ（ｃｈｉｔｏｓｉｎａｓｅ）を含み；（ｉｖ）前記組換えバチルス・セレウス（Ｂａｃｉｌｌｕｓ  ｃｅｒｅｕｓ）科構成員細胞は、バチルス・ツリンギエンシス（Ｂａｃｉｌｌｕｓ  ｔｈｕｒｉｎｇｉｅｎｓｉｓ）またはバチルス・ミコイデス（Ｂａｃｉｌｌｕｓ  ｍｙｃｏｉｄｅｓ）の細胞を含む。さらに別の特定の実施形態において、前記組換えバチルス・セレウス（Ｂａｃｉｌｌｕｓ  ｃｅｒｅｕｓ）科構成員細胞は、バチルス・ツリンギエンシス（Ｂａｃｉｌｌｕｓ  ｔｈｕｒｉｎｇｉｅｎｓｉｓ）ＢＴ０１３Ａの細胞である。
【００２６】
上記実施形態の特定の態様において、（ｉ）前記少なくとも一つの殺虫剤はフルピラジフロンであり；（ｉｉ）前記標的配列は配列番号１のアミノ酸２０から３５と少なくとも約４３％同一性を有するアミノ酸配列（アミノ酸２５から３５との同一性は少なくとも約５４％である。）を含み；（ｉｉｉ）前記植物成長刺激タンパク質もしくはペプチドは、好ましくはそれぞれ配列番号１０７、１０８および１０９と少なくとも９５％配列同一性を有するエンドグルカナーゼ、ホスホリパーゼまたはキトシナーゼ（ｃｈｉｔｏｓｉｎａｓｅ）を含み；（ｉｖ）前記組換えバチルス・セレウス（Ｂａｃｉｌｌｕｓ  ｃｅｒｅｕｓ）科構成員細胞は、バチルス・ツリンギエンシス（Ｂａｃｉｌｌｕｓ  ｔｈｕｒｉｎｇｉｅｎｓｉｓ）またはバチルス・ミコイデス（Ｂａｃｉｌｌｕｓ  ｍｙｃｏｉｄｅｓ）の細胞を含む。さらに別の特定の実施形態において、前記組換えバチルス・セレウス（Ｂａｃｉｌｌｕｓ  ｃｅｒｅｕｓ）科構成員細胞は、バチルス・ツリンギエンシス（Ｂａｃｉｌｌｕｓ  ｔｈｕｒｉｎｇｉｅｎｓｉｓ）ＢＴ０１３Ａの細胞である。
【００２７】
上記実施形態の特定の態様において、（ｉ）前記少なくとも一つの殺虫剤はイミダクロプリドであり；（ｉｉ）前記標的配列は配列番号１のアミノ酸２０から３５と少なくとも約４３％同一性を有するアミノ酸配列（アミノ酸２５から３５との同一性は少なくとも約５４％である。）を含み；（ｉｉｉ）前記植物成長刺激タンパク質もしくはペプチドは、好ましくはそれぞれ配列番号１０７、１０８および１０９と少なくとも９５％配列同一性を有するエンドグルカナーゼ、ホスホリパーゼまたはキトシナーゼ（ｃｈｉｔｏｓｉｎａｓｅ）を含み；（ｉｖ）前記組換えバチルス・セレウス（Ｂａｃｉｌｌｕｓ  ｃｅｒｅｕｓ）科構成員細胞は、バチルス・ツリンギエンシス（Ｂａｃｉｌｌｕｓ  ｔｈｕｒｉｎｇｉｅｎｓｉｓ）またはバチルス・ミコイデス（Ｂａｃｉｌｌｕｓ  ｍｙｃｏｉｄｅｓ）の細胞を含む。さらに別の特定の実施形態において、前記組換えバチルス・セレウス（Ｂａｃｉｌｌｕｓ  ｃｅｒｅｕｓ）科構成員細胞は、バチルス・ツリンギエンシス（Ｂａｃｉｌｌｕｓ  ｔｈｕｒｉｎｇｉｅｎｓｉｓ）ＢＴ０１３Ａの細胞である。
【００２８】
上記実施形態の特定の態様において、（ｉ）前記少なくとも一つの殺虫剤はメチオカルブであり；（ｉｉ）前記標的配列は配列番号１のアミノ酸２０から３５と少なくとも約４３％同一性を有するアミノ酸配列（アミノ酸２５から３５との同一性は少なくとも約５４％である。）を含み；（ｉｉｉ）前記植物成長刺激タンパク質もしくはペプチドは、好ましくはそれぞれ配列番号１０７、１０８および１０９と少なくとも９５％配列同一性を有するエンドグルカナーゼ、ホスホリパーゼまたはキトシナーゼ（ｃｈｉｔｏｓｉｎａｓｅ）を含み；（ｉｖ）前記組換えバチルス・セレウス（Ｂａｃｉｌｌｕｓ  ｃｅｒｅｕｓ）科構成員細胞は、バチルス・ツリンギエンシス（Ｂａｃｉｌｌｕｓ  ｔｈｕｒｉｎｇｉｅｎｓｉｓ）またはバチルス・ミコイデス（Ｂａｃｉｌｌｕｓ  ｍｙｃｏｉｄｅｓ）の細胞を含む。さらに別の特定の実施形態において、前記組換えバチルス・セレウス（Ｂａｃｉｌｌｕｓ  ｃｅｒｅｕｓ）科構成員細胞は、バチルス・ツリンギエンシス（Ｂａｃｉｌｌｕｓ  ｔｈｕｒｉｎｇｉｅｎｓｉｓ）ＢＴ０１３Ａの細胞である。
【００２９】
上記実施形態の特定の態様において、（ｉ）前記少なくとも一つの殺虫剤はチオジカルブであり；（ｉｉ）前記標的配列は配列番号１のアミノ酸２０から３５と少なくとも約４３％同一性を有するアミノ酸配列（アミノ酸２５から３５との同一性は少なくとも約５４％である。）を含み；（ｉｉｉ）前記植物成長刺激タンパク質もしくはペプチドは、好ましくはそれぞれ配列番号１０７、１０８および１０９と少なくとも９５％配列同一性を有するエンドグルカナーゼ、ホスホリパーゼまたはキトシナーゼ（ｃｈｉｔｏｓｉｎａｓｅ）を含み；（ｉｖ）前記組換えバチルス・セレウス（Ｂａｃｉｌｌｕｓ  ｃｅｒｅｕｓ）科構成員細胞は、バチルス・ツリンギエンシス（Ｂａｃｉｌｌｕｓ  ｔｈｕｒｉｎｇｉｅｎｓｉｓ）またはバチルス・ミコイデス（Ｂａｃｉｌｌｕｓ  ｍｙｃｏｉｄｅｓ）の細胞を含む。さらに別の特定の実施形態において、前記組換えバチルス・セレウス（Ｂａｃｉｌｌｕｓ  ｃｅｒｅｕｓ）科構成員細胞は、バチルス・ツリンギエンシス（Ｂａｃｉｌｌｕｓ  ｔｈｕｒｉｎｇｉｅｎｓｉｓ）ＢＴ０１３Ａの細胞である。
【００３０】
さらに他の実施形態において、組成物はさらに、少なくとも一つの殺菌剤を含む。その少なくとも一つの殺菌剤は合成であることができる。
【００３１】
一部の態様において、前記組成物はさらに、増量剤、溶媒、自発性促進剤、担体、乳化剤、分散剤、凍結保護剤、増粘剤およびアジュバントからなる群から選択される少なくとも一つの補助剤を含む。
【００３２】
他の態様において、本発明は、本明細書に開示の組成物のいずれかで処理された種子に関するものである。
【００３３】
さらに本発明は、殺虫剤および／または殺菌剤としての開示の組成物の使用に関する。ある種の態様において、開示の組成物を、昆虫、ダニ、線虫および／または植物病原体によって引き起こされる植物および植物部分の全体的損傷ならびに収穫された果実もしくは野菜の損失を減らすのに用いる。他の態様において、開示の組成物を、植物成長を促進し、および／または植物の健康を増進するのに用いる。
【００３４】
さらに、本発明は、植物、植物部分および／または植物生育場所に同時もしくは順次に、相乗的に有効な量でａ）（ｉ）植物成長刺激性化合物の産生もしくは活性化に関与する酵素；細菌、真菌もしくは植物の栄養源を分解もしくは改変する酵素；および病原体から植物を保護するタンパク質もしくはペプチドからなる群から選択される少なくとも一つの植物成長刺激タンパク質もしくはペプチド；および（ｉｉ）融合タンパク質をバチルス細胞の外膜に局在させる標的配列を含む融合タンパク質を発現する組換え外膜産生性バチルス細胞；およびｂ）昆虫、ダニ、線虫および／または植物病原体に対して活性を示す、本明細書に開示の特定の殺虫剤から選択される少なくとも一つの殺虫剤を施用する段階を含む、植物、植物部分、例えば種子、根、根茎、球茎、鱗茎、または塊茎、および／または土壌などの植物もしくは植物部分が成長する場所もしくはその近くの場所を処理して、植物成長を促進および／または植物の健康を増進する方法に関する。
【００３５】
別の実施形態において、本発明は、植物、植物部分、例えば種子、根、根茎、球茎、鱗茎、または塊茎、および／または土壌などの植物もしくは植物部分が成長する場所もしくはその近くの場所に同時もしくは順次に、相乗的に有効な量でａ）（ｉ）植物成長刺激性化合物の産生もしくは活性化に関与する酵素；細菌、真菌もしくは植物の栄養源を分解もしくは改変する酵素；および病原体から植物を保護するタンパク質もしくはペプチドからなる群から選択される少なくとも一つの植物成長刺激タンパク質もしくはペプチド；および（ｉｉ）融合タンパク質をバチルス細胞の外膜に局在させる標的配列を含む融合タンパク質を発現する組換え外膜産生性バチルス細胞；およびｂ）昆虫、ダニ、線虫および／または植物病原体に対して活性を示す、本明細書に開示の特定の殺虫剤から選択される少なくとも一つの殺虫剤を施用する段階を含む、昆虫、ダニ、線虫および／または植物病原体によって引き起こされる植物および植物部分の全体的損傷ならびに収穫された果実もしくは野菜の損失を低減する方法である。
【００３６】
上記の段落において、「含む」またはそのいずれかの派生語（例えば、含有する、含んでいる）という用語は、「からなる」またはその適用可能な相当する派生語によって置き換えることができる。
【図面の簡単な説明】
【００３７】
【図１】バチルス・アントラシス（Ｂａｃｉｌｌｕｓ  ａｎｔｈｒａｃｉｓ）スターン（Ｓｔｅｒｎｅ）株ＢｃｌＡのアミノ末端部分のアミノ酸配列の配置を、バチルス・セレウス（Ｂａｃｉｌｌｕｓ  ｃｅｒｅｕｓ）科構成員からの各種外膜タンパク質からの相当する領域とともに示す図である。
【発明を実施するための形態】
【００３８】
概して、「農薬性」とは物質が植物病害生物の死亡率を高める能力または成長速度を阻害する能力を意味する。その用語は本明細書において、ある物質が昆虫、ダニ、線虫および／または植物病原体に対する活性を示す特性を説明するのに用いられる。本発明の意味において、「病害生物」という用語は、昆虫、ダニ、線虫および／または植物病原体を含む。
【００３９】
ＮＲＲＬは、住所がＮａｔｉｏｎａｌ  Ｃｅｎｔｅｒ  ｆｏｒ  Ａｇｒｉｃｕｌｔｕｒａｌ  Ｕｔｉｌｉｚａｔｉｏｎ  Ｒｅｓｅａｒｃｈ，  Ａｇｒｉｃｕｌｔｕｒａｌ  Ｒｅｓｅａｒｃｈ  Ｓｅｒｖｉｃｅ，  Ｕ．Ｓ．  Ｄｅｐａｒｔｍｅｎｔ  ｏｆ  Ａｇｒｉｃｕｌｔｕｒｅ，  １８１５  Ｎｏｒｔｈ  Ｕｎｉｖｅｒｓｉｔｙ  Ｓｔｒｅｅｔ，  Ｐｅｒｏｉａ，  Ｉｌｌｉｎｏｉｓ  ６１６０４  Ｕ．Ｓ．ＡであるＡｇｒｉｃｕｌｔｕｒａｌ  Ｒｅｓｅａｒｃｈ  Ｓｅｒｖｉｃｅ  Ｃｕｌｔｕｒｅ  Ｃｏｌｌｅｃｔｉｏｎの略称である。
【００４０】
ＡＴＣＣは、住所がＡＴＣＣ  Ｐａｔｅｎｔ  Ｄｅｐｏｓｉｔｏｒｙ，  １０８０１  Ｕｎｉｖｅｒｓｉｔｙ  Ｂｏｕｌｅｖａｒｄ，  Ｍａｎａｓｓａｓ，  Ｖｉｒｇｉｎｉａ  １０１１０，  Ｕ．Ｓ．ＡであるＡｍｅｒｉｃａｎ  Ｔｙｐｅ  Ｃｕｌｔｕｒｅ  Ｃｏｌｌｅｃｔｉｏｎの略称である。
【００４１】
本明細書に記載され、頭にＮＲＲＬまたはＡＴＣＣが付く寄託番号を有する株はいずれも、特許手続きのための微生物の寄託の国際承認に関するブダペスト条約による上記個々の寄託機関に寄託されたものである。
【００４２】
「植物成長刺激化合物の産生もしくは活性化に関与する酵素」には、植物成長を刺激し、植物構造を変える化合物の生合成経路におけるいずれかの段階を触媒する酵素、または植物成長を刺激し、植物構造を変える化合物の不活性もしくは低活性誘導体の、その化合物の活性型もしくは高活性型への変換を触媒する酵素などがある。そのような化合物には、例えば、小分子植物ホルモン、例えばオーキシン類およびサイトカイニン類、生理活性ペプチド類、および根圏において細菌もしくは真菌によって合成される植物成長刺激性小分子（例えば、２，３−ブタンジオール）などがあるが、これらに限定されるものではない。
【００４３】
本明細書で使用される「植物免疫系エンハンサータンパク質もしくはペプチド」には、植物の免疫系に対して有益な効果を有するタンパク質またはペプチドなどがある。
【００４４】
本明細書で使用される「植物成長刺激タンパク質またはペプチド」という用語は、そのタンパク質またはペプチドに曝露された植物における植物成長を高めるタンパク質またはペプチドを含む。
【００４５】
「植物成長を増進」および「植物成長を刺激」という用語は、本明細書において互換的に使用され、植物の高さ、重量、葉の大きさ、根の大きさ、または茎の大きさのうちの少なくとも一つを高めたり増加させて、植物からのタンパク質収量を増加させたり、植物の穀物収量を増加させる能力を指す。
【００４６】
本明細書で使用される「病原体から植物を保護するタンパク質もしくはペプチド」は、そのタンパク質またはペプチドに曝露された植物を、病原体感染に対して低感受性とするタンパク質またはペプチドを含む。
【００４７】
本明細書で使用される「植物におけるストレス抵抗性を高めるタンパク質もしくはペプチド」は、そのタンパク質またはペプチドに曝露された植物を、ストレスに対して高抵抗性とするタンパク質またはペプチドを含む。
【００４８】
「植物結合性タンパク質もしくはペプチド」という用語は、植物のいずれかの部分（例えば、根または植物の地上部分、例えば葉、枝葉、茎、花または果実）または植物体に特異的または非特異的に結合することができるペプチドまたはタンパク質を指す。
【００４９】
本明細書で使用される「標的配列」という用語は、バチルス・セレウス（Ｂａｃｉｌｌｕｓ  ｃｅｒｅｕｓ）科構成員の外膜へのより長いポリペプチドまたはタンパク質の局在化をもたらすポリペプチド配列を指す。
【００５０】
融合タンパク質を発現する組換え外膜産生性バチルス細胞
融合タンパク質は、バチルス・セレウス（Ｂａｃｉｌｌｕｓ  ｃｅｒｅｕｓ）科構成員の外膜への融合タンパク質を標的とする標的配列、外膜タンパク質、または外膜タンパク質断片ならびに（ａ）植物成長刺激タンパク質またはペプチド；（ｂ）病原体から植物を保護するタンパク質もしくはペプチド；（ｃ）植物のストレス抵抗性を促進するタンパク質またはペプチド；（ｄ）植物結合性タンパク質またはペプチド；または（ｅ）植物免疫系エンハンサータンパク質またはペプチドを含む。バチルス・セレウス（Ｂａｃｉｌｌｕｓ  ｃｅｒｅｕｓ）科構成員細菌で発現される場合、これらの融合タンパク質は、胞子の外膜層を標的とするものであり、そのタンパク質またはペプチドが胞子の外側に露出するような物理的配置となっている。
【００５１】
このバチルス外膜露出（ＢＥＭＤ）系を用いて、植物に（例えば、植物の枝葉、果実、花、茎または根に）、または土壌などの植物成長媒体にペプチド類、酵素類および他のタンパク質を送達することができる。このようにして土壌または別の植物成長媒体に送達されるペプチド類、酵素類、およびタンパク質は、長期間にわたってその土壌で生き残り、活性を示す。本明細書に記載の融合タンパク質を発現する組換え外膜産生性バチルス細胞の土壌もしくは植物の根圏に導入することで、多くの異なる土壌条件での植物成長が効果的に促進される。これら酵素を増やす上でのＢＥＭＤの使用によって、それらの酵素は、植物寿命の最初の数ヶ月にわたり、その植物および根圏に対して有益な結果をもたらすことができる。
【００５２】
標的配列、外膜タンパク質、および外膜タンパク質断片
参照しやすいように、本明細書で言及されるペプチドおよびタンパク質配列についての配列番号を、下記の表１に挙げてある。
【表１】
2017530966.tif 000003
2017530966.tif 000004
2017530966.tif 000005
2017530966.tif 000006
2017530966.tif 000007
2017530966.tif 000008
2017530966.tif 000009
【００５３】
ＡＡ＝アミノ酸
＊Ｂ．アントラシス（Ｂ．  ａｎｔｈｒａｃｉｓ）スターン（Ｓｔｅｒｎｅ）株ＢｃｌＡは、Ｂ．ツリンギエンシス（Ｂ．  ｔｈｕｒｉｎｇｉｅｎｓｉｓ）ＢｃｌＡと１００％配列同一性を有する。従って、配列番号１、２および５９は、それぞれＢ．ツリンギエンシス（Ｂ．  ｔｈｕｒｉｎｇｉｅｎｓｉｓ）ＢｃｌＡのアミノ酸１から４１、全長Ｂ．ツリンギエンシス（Ｂ．  ｔｈｕｒｉｎｇｉｅｎｓｉｓ）ＢｃｌＡ、およびＢ．ツリンギエンシス（Ｂ．  ｔｈｕｒｉｎｇｉｅｎｓｉｓ）ＢｃｌＡのアミノ酸１から１９６も表す。同様に、配列番号６０は、Ｂ．ツリンギエンシス（Ｂ．  ｔｈｕｒｉｎｇｉｅｎｓｉｓ）ＢｃｌＡのメチオニン残基とアミノ酸２０から３５も表す。
【００５４】
＊＊Ｂ．ミコイデス（Ｂ．  ｍｙｃｏｉｄｅｓ）仮想タンパク質ＴＩＧＲ０３７２０は、Ｂ．ミコイデス（Ｂ．  ｍｙｃｏｉｄｅｓ）仮想タンパク質ＷＰ００３１８９２３４と１００％配列同一性を有する。従って、配列番号：５７および５８は、それぞれＢ．ミコイデス（Ｂ．  ｍｙｃｏｉｄｅｓ）仮想タンパク質ＷＰ００３１８９２３４のアミノ酸１から１３６および全長Ｂ．ミコイデス（Ｂ．  ｍｙｃｏｉｄｅｓ）仮想タンパク質ＷＰ００３１８９２３４も表す。
【００５５】
バチルス（Ｂａｃｉｌｌｕｓ）は、桿菌の属である。バチルス・セレウス（Ｂａｃｉｌｌｕｓ  ｃｅｒｅｕｓ）科の細菌には、属種バチルス・アントラシス（Ｂａｃｉｌｌｕｓ  ａｎｔｈｒａｃｉｓ）、バチルス・セレウス（Ｂａｃｉｌｌｕｓ  ｃｅｒｅｕｓ）、バチルス・ツリンギエンシス（Ｂａｃｉｌｌｕｓ  ｔｈｕｒｉｎｇｉｅｎｓｉｓ）、バチルス・ミコイデス（Ｂａｃｉｌｌｕｓ  ｍｙｃｏｉｄｅｓ）、バチルス・シュードミコイデス（Ｂａｃｉｌｌｕｓ  ｐｓｅｕｄｏｍｙｃｏｉｄｅｓ）、バチルス・サマニイ（Ｂａｃｉｌｌｕｓ  ｓａｍａｎｉｉ）、バチルス・ガエモケンシス（Ｂａｃｉｌｌｕｓ  ｇａｅｍｏｋｅｎｓｉｓ）、バチルス・トヨイエンシスウェイヘンステフェンシス（Ｂａｃｉｌｌｕｓ  ｔｏｙｏｉｅｎｓｉｓ）およびバチルス・ウェイヘンステフェンシス（Ｂａｃｉｌｌｕｓ  ｗｅｉｈｅｎｓｔｅｐｈｅｎｓｉｓ）などがある。ストレスのある環境条件下では、バチルス・セレウス（Ｂａｃｉｌｌｕｓ  ｃｅｒｅｕｓ）科細菌は胞子形成し、長期間にわたり休眠状態のままでいることができる卵形の内生胞子を形成する。その内生胞子の最外層は外膜と称され、毛様突起の外側毛羽立ちによって囲まれた基底層を含む。毛様毛羽立ち上の細繊維は主としてコラーゲン様糖タンパク質ＢｃｌＡによって形成され、それに対して前記基底層は多くの異なるタンパク質からなる。別のコラーゲン関連タンパク質ＢｃｌＢは、外膜にも存在し、バチルス・セレウス（Ｂａｃｉｌｌｕｓ  ｃｅｒｅｕｓ）科構成員の内生胞子上で露出している。
【００５６】
表面毛羽立ちの主たる構成要素であるＢｃｌＡは、アミノ末端（Ｎ末端）が基底層に位置し、カルボキシ末端（Ｃ末端）が胞子から外方向に延びて外膜に結合していることが明らかになっている。
【００５７】
ＢｃｌＡおよびＢｃｌＢのＮ末端領域からのある種の配列を用いて、ペプチドまたはタンパク質をバチルス・セレウス（Ｂａｃｉｌｌｕｓ  ｃｅｒｅｕｓ）内生胞子の外膜に向かわせることができることが、以前に発見されている（米国特許公開番号２０１０／０２３３１２４および２０１１／０２８１３１６、およびＴｈｏｍｐｓｏｎ，  ｅｔ  ａｌ．，  “Ｔａｒｇｅｔｉｎｇ  ｏｆ  ｔｈｅ  ＢｃｌＡ  ａｎｄ  ＢｃｌＢ  Ｐｒｏｔｅｉｎｓ  ｔｏ  ｔｈｅ  Ｂａｃｉｌｌｕｓ  ａｎｔｈｒａｃｉｓ  Ｓｐｏｒｅ  Ｓｕｒｆａｃｅ，”  Ｍｏｌｅｃｕｌａｒ  Ｍｉｃｒｏｂｉｏｌｏｇｙ，  ７０（２）：４２１−３４  （２００８）（これらそれぞれの全内容が、参照によって本明細書に組み込まれるものとする。）を参照する）。バチルス・アントラシス（Ｂａｃｉｌｌｕｓ  ａｎｔｈｒａｃｉｓ）のＢｅｔＡ／ＢＡＳ３２９０タンパク質が外膜に局在していることも認められた。
【００５８】
特に、バチルス・アントラシス（Ｂａｃｉｌｌｕｓ  ａｎｔｈｒａｃｉｓ）スターン（Ｓｔｅｒｎｅ）株からのＢｃｌＡのアミノ酸２０から３５は、外膜に向かうのに十分であることが認められている。いくつかの他のバチルス・セレウス（Ｂａｃｉｌｌｕｓ  ｃｅｒｅｕｓ）科外膜タンパク質および関連する配列を有するバチルス・セレウス（Ｂａｃｉｌｌｕｓ  ｃｅｒｅｕｓ）科タンパク質の相当するＮ末端領域を有するＢｃｌＡ（配列番号１）のアミノ酸１から４１の配列配置を図１に示してある。図１からわかるように、ＢｃｌＡのアミノ酸２０から４１に相当する領域におけるタンパク質の全ての間に高度相同性の領域がある。しかしながら、これらの配列において、ＢｃｌＡのアミノ酸３６から４１に相当するアミノ酸は、二次構造を含み、外膜への融合タンパク質局在化には必要ではない。ＢｃｌＡの保存標的配列領域（配列番号１のアミノ酸２０から３５）を図１で太字で示してあり、それは外膜への局在化に必要な最小標的配列に相当する。標的配列内のＢｃｌＡのアミノ酸２５から３５に及ぶより高度に保存された領域に、図１における配列で下線を引いており、それは、ＥｘｓＦＡ／ＢｘｐＢ／ＥｘｓＦＢおよび相同体の認識配列であり、それは記載のタンパク質を外膜の表面上に向かわせ、集合させる。図１における配列番号３、５および７のアミノ酸配列は、それぞれ、バチルス・アントラシス（Ｂａｃｉｌｌｕｓ  ａｎｔｈｒａｃｉｓ）スターン（Ｓｔｅｒｎｅ）株ＢｅｔＡ／ＢＡＳ３２９０のアミノ酸１から３３、メチオニンとそれに続くバチルス・アントラシス（Ｂａｃｉｌｌｕｓ  ａｎｔｈｒａｃｉｓ）スターン（Ｓｔｅｒｎｅ）株ＢＡＳ４６２３のアミノ酸２から４３、およびバチルス・アントラシス（Ｂａｃｉｌｌｕｓ  ａｎｔｈｒａｃｉｓ）スターン（Ｓｔｅｒｎｅ）株ＢｃｌＢのアミノ酸１から３４である（ＢＡＳ４６２３の場合、天然タンパク質中の位置１に存在するバリンをメチオニンに代えることで、発現がより良好になることが認められた。）。図１からわかるように、これらの配列のそれぞれが、ＢｃｌＡのアミノ酸２０から３５に相当する保存領域（配列番号１；太字で図示）、およびＢｃｌＡのアミノ酸２０から３５に相当するより高度に保存された領域（下線）を含む。
【００５９】
バチルス・セレウス（Ｂａｃｉｌｌｕｓ  ｃｅｒｅｕｓ）科構成員からの別のタンパク質も、保存標的領域を含む。特に、図１において、配列番号９はバチルス・アントラシス（Ｂａｃｉｌｌｕｓ  ａｎｔｈｒａｃｉｓ）スターン（Ｓｔｅｒｎｅ）株ＢＡＳ１８８２のアミノ酸１から３０であり；配列番号１１は、バチルス・ウェイヘンステフェンシス（Ｂａｃｉｌｌｕｓ  ｗｅｉｈｅｎｓｔｅｐｈｅｎｓｉｓ）ＫＢＡＢ４２２８０遺伝子産物のアミノ酸１から３９であり；配列番号１３は、バチルス・ウェイヘンステフェンシス（Ｂａｃｉｌｌｕｓ  ｗｅｉｈｅｎｓｔｅｐｈｅｎｓｉｓ）ＫＢＡＢ４３５７２遺伝子産物のアミノ酸１から３９であり；配列番号１５は、バチルス・セレウス（Ｂａｃｉｌｌｕｓ  ｃｅｒｅｕｓ）ＶＤ２００外膜リーダーペプチドのアミノ酸１から４９であり；配列番号１７は、バチルス・セレウス（Ｂａｃｉｌｌｕｓ  ｃｅｒｅｕｓ）ＶＤ１６６外膜リーダーペプチドアミノ酸１から３３であり；配列番号１９は、バチルス・セレウス（Ｂａｃｉｌｌｕｓ  ｃｅｒｅｕｓ）ＶＤ２００仮想タンパク質ＩＫＧ＿０４６６３のアミノ酸１から３９であり；配列番号２１は、バチルス・ウェイヘンステフェンシス（Ｂａｃｉｌｌｕｓ  ｗｅｉｈｅｎｓｔｅｐｈｅｎｓｉｓ）ＫＢＡＢ４ＹＶＴＮβ−プロペラタンパク質のアミノ酸１から３９であり；配列番号２３は、バチルス・ウェイヘンステフェンシス（Ｂａｃｉｌｌｕｓ  ｗｅｉｈｅｎｓｔｅｐｈｅｎｓｉｓ）ＫＢＡＢ４仮想タンパク質ｂｃｅｒｋｂａｂ４＿２３６３のアミノ酸１から３０であり；配列番号２５は、バチルス・ウェイヘンステフェンシス（Ｂａｃｉｌｌｕｓ  ｗｅｉｈｅｎｓｔｅｐｈｅｎｓｉｓ）ＫＢＡＢ４仮想タンパク質ｂｃｅｒｋｂａｂ４＿２１３１のアミノ酸１から３０であり；配列番号２７は、バチルス・ウェイヘンステフェンシス（Ｂａｃｉｌｌｕｓ  ｗｅｉｈｅｎｓｔｅｐｈｅｎｓｉｓ）ＫＢＡＢ４三重らせん反復含有コラーゲンのアミノ酸１から３６であり；配列番号２９は、バチルス・ミコイデス（Ｂａｃｉｌｌｕｓ  ｍｙｃｏｉｄｅｓ）２０４８仮想タンパク質ｂｍｙｃｏ０００１＿２１６６０のアミノ酸１から３９であり；配列番号３１は、バチルス・ミコイデス（Ｂａｃｉｌｌｕｓ  ｍｙｃｏｉｄｅｓ）２０４８仮想タンパク質ｂｍｙｃ０００１＿２２５４０のアミノ酸１から３０であり；配列番号３３は、バチルス・ミコイデス（Ｂａｃｉｌｌｕｓ  ｍｙｃｏｉｄｅｓ）２０４８仮想タンパク質ｂｍｙｃ０００１＿２１５１０のアミノ酸１から２１であり；配列番号３５は、バチルス・ツリンギエンシス（Ｂａｃｉｌｌｕｓ  ｔｈｕｒｉｎｇｉｅｎｓｉｓ）３５６４６コラーゲン三重らせん反復タンパク質のアミノ酸１から２２であり；配列番号４３は、バチルス・セレウス（Ｂａｃｉｌｌｕｓ  ｃｅｒｅｕｓ）仮想タンパク質ＷＰ＿６９６５２のアミノ酸１から３５であり；配列番号４５は、バチルス・セレウス（Ｂａｃｉｌｌｕｓ  ｃｅｒｅｕｓ）外膜リーダーＷＰ０１６１１７７１７のアミノ酸１から４１であり；配列番号４７は、バチルス・セレウス（Ｂａｃｉｌｌｕｓ  ｃｅｒｅｕｓ）外膜ペプチドＷＰ００２１０５１９２のアミノ酸１から４９であり；配列番号４９は、バチルス・セレウス（Ｂａｃｉｌｌｕｓ  ｃｅｒｅｕｓ）仮想タンパク質ＷＰ８７３５３のアミノ酸１から３８であり；配列番号５１は、バチルス・セレウス（Ｂａｃｉｌｌｕｓ  ｃｅｒｅｕｓ）外膜ペプチド０２１１２３６９のアミノ酸１から３９であり；配列番号５３は、バチルス・セレウス（Ｂａｃｉｌｌｕｓ  ｃｅｒｅｕｓ）外膜タンパク質ＷＰ０１６０９９７７０のアミノ酸１から３９であり；配列番号５５は、バチルス・ツリンギエンシス（Ｂａｃｉｌｌｕｓ  ｔｈｕｒｉｎｇｉｅｎｓｉｓ）仮想タンパク質ＹＰ００６６１２５２５のアミノ酸１から３６であり；配列番号５７は、バチルス・ミコイデス（Ｂａｃｉｌｌｕｓ  ｍｙｃｏｉｄｅｓ）仮想タンパク質ＴＩＧＲ０３７２０のアミノ酸１から１３６である。図１に示したように、これらタンパク質のＮ末端領域のそれぞれが、ＢｃｌＡ（配列番号１）のアミノ酸２０から３５で保存された領域およびＢｃｌＡのアミノ酸２５から３５に相当するより高度に保存された領域を含む。
【００６０】
アミノ酸２０から３５を含むＢｃｌＡのいずれの部分も、標的配列として用いることができる。さらに、全長外膜タンパク質または外膜タンパク質断片を、融合タンパク質を外膜に向かわせるのに用いることができる。従って、アミノ酸２０から３５を含む全長ＢｃｌＡまたはＢｃｌＡの断片を、外膜に向かわせるのに用いることができる。例えば、全長ＢｃｌＡ（配列番号２）または配列番号５９（ＢｃｌＡのアミノ酸１から１９６）などのカルボキシ末端が欠損しているＢｃｌＡの中程度の大きさの断片を用いて、融合タンパク質を外膜に向かわせることができる。配列番号５９の断片などの中程度の大きさの断片は、全長ＢｃｌＡより小さい二次構造を有し、標的配列としての使用に好適であることが認められている。標的配列は、アミノ酸２０から３５、例えば配列番号１（ＢｃｌＡのアミノ酸１から４１）、配列番号１のアミノ酸１から３５、配列番号１のアミノ酸２０から３５、または配列番号６０（ＢｃｌＡのアミノ酸２０から３５に連結されたメチオニン残基）などのＢｃｌＡの多くの比較的短い部分も含むことができる。アミノ酸２０から３５の一部のみを含むＢｃｌＡのさらにより短い断片も、融合タンパク質を外膜に向けさせる能力を示す。例えば、その標的配列は、配列番号１のアミノ酸２２から３１、配列番号１のアミノ酸２２から３３、または配列番号１のアミノ酸２０から３１を含むことができる。
【００６１】
あるいは、ＢｃｌＡのアミノ酸２０から３５に相当するアミノ酸を含むＢｅｔＡ／ＢＡＳ３２９０、ＢＡＳ４６２３、ＢｃｌＢ、ＢＡＳ１８８２、ＫＢＡＢ４２２８０遺伝子産物、ＫＢＡＢ４３５７２遺伝子産物、Ｂ．セレウス（Ｂ．  ｃｅｒｅｕｓ）ＶＤ２００外膜リーダーペプチド、Ｂ．セレウス（Ｂ．  ｃｅｒｅｕｓ）ＶＤ１６６外膜リーダーペプチド、Ｂ．セレウス（Ｂ．  ｃｅｒｅｕｓ）ＶＤ２００仮想タンパク質ＩＫＧ＿０４６６３、Ｂ．ウェイヘンステフェンシス（Ｂ．  ｗｅｉｈｅｎｓｔｅｐｈｅｎｓｉｓ)ＫＢＡＢ４ＹＶＴＮβ−プロペラタンパク質、Ｂ．ウェイヘンステフェンシス（Ｂ．  ｗｅｉｈｅｎｓｔｅｐｈｅｎｓｉｓ)ＫＢＡＢ４仮想タンパク質ｂｃｅｒｋｂａｂ４＿２３６３、Ｂ．ウェイヘンステフェンシス（Ｂ．  ｗｅｉｈｅｎｓｔｅｐｈｅｎｓｉｓ)ＫＢＡＢ４仮想タンパク質ｂｃｅｒｋｂａｂ４＿２１３１、Ｂ．ウェイヘンステフェンシス（Ｂ．  ｗｅｉｈｅｎｓｔｅｐｈｅｎｓｉｓ)ＫＢＡＢ４三重らせん反復含有コラーゲン、Ｂ．ミコイデス（Ｂ．  ｍｙｃｏｉｄｅｓ）２０４８仮想タンパク質ｂｍｙｃｏ０００１＿２１６６０、Ｂ．ミコイデス（Ｂ．  ｍｙｃｏｉｄｅｓ）２０４８仮想タンパク質ｂｍｙｃ０００１＿２２５４０、Ｂ．ミコイデス（Ｂ．  ｍｙｃｏｉｄｅｓ）２０４８仮想タンパク質ｂｍｙｃ０００１＿２１５１０、Ｂ．ツリンギエンシス（Ｂ．  ｔｈｕｒｉｎｇｉｅｎｓｉｓ）３５６４６コラーゲン三重らせん反復タンパク質、Ｂ．セレウス（Ｂ．  ｃｅｒｅｕｓ）仮想タンパク質ＷＰ＿６９６５２、Ｂ．セレウス（Ｂ．  ｃｅｒｅｕｓ）外膜リーダーＷＰ０１６１１７７１７、Ｂ．セレウス（Ｂ．  ｃｅｒｅｕｓ）外膜ペプチドＷＰ００２１０５１９２、Ｂ．セレウス（Ｂ．  ｃｅｒｅｕｓ）仮想タンパク質ＷＰ８７３５３、Ｂ．セレウス（Ｂ．  ｃｅｒｅｕｓ）外膜ペプチド０２１１２３６９、Ｂ．セレウス（Ｂ．  ｃｅｒｅｕｓ）外膜タンパク質ＷＰ０１６０９９７７０、Ｂ．ツリンギエンシス（Ｂ．  ｔｈｕｒｉｎｇｉｅｎｓｉｓ）仮想タンパク質ＹＰ００６６１２５２５、またはＢ．ミコイデス（Ｂ．  ｍｙｃｏｉｄｅｓ）仮想タンパク質ＴＩＧＲ０３７２０のいずれの部分も、標的配列として役立ち得る。図１からわかるように、ＢｅｔＡ／ＢＡＳ３２９０のアミノ酸１２から２７、ＢＡＳ４６２３のアミノ酸２３から３８、ＢｃｌＢのアミノ酸１３から２８、ＢＡＳ１８８２のアミノ酸９から２４、ＫＢＡＢ４２２８０遺伝子産物のアミノ酸１８から３３、ＫＢＡＢ４３５７２遺伝子産物のアミノ酸１８から３３、Ｂ．セレウス（Ｂ．  ｃｅｒｅｕｓ）ＶＤ２００外膜リーダーペプチドのアミノ酸２８から４３、Ｂ．セレウス（Ｂ．  ｃｅｒｅｕｓ）ＶＤ１６６外膜リーダーペプチドのアミノ酸１２から２７、Ｂ．セレウス（Ｂ．  ｃｅｒｅｕｓ）ＶＤ２００仮想タンパク質ＩＫＧ＿０４６６３のアミノ酸１８から３３、Ｂ．ウェイヘンステフェンシス（Ｂ．  ｗｅｉｈｅｎｓｔｅｐｈｅｎｓｉｓ)ＫＢＡＢ４  ＹＶＴＮβ−プロペラタンパク質のアミノ酸１８から３３、Ｂ．ウェイヘンステフェンシス（Ｂ．  ｗｅｉｈｅｎｓｔｅｐｈｅｎｓｉｓ)ＫＢＡＢ４仮想タンパク質ｂｃｅｒｋｂａｂ４＿２３６３のアミノ酸９から２４、Ｂ．ウェイヘンステフェンシス（Ｂ．  ｗｅｉｈｅ���ｓｔｅｐｈｅｎｓｉｓ)ＫＢＡＢ４仮想タンパク質ｂｃｅｒｋｂａｂ４＿２１３１のアミノ酸９から２４、Ｂ．ウェイヘンステフェンシス（Ｂ．  ｗｅｉｈｅｎｓｔｅｐｈｅｎｓｉｓ)ＫＢＡＢ４三重らせん反復含有コラーゲンのアミノ酸１５から３０、Ｂ．ミコイデス（Ｂ．  ｍｙｃｏｉｄｅｓ）２０４８仮想タンパク質ｂｍｙｃｏ０００１＿２１６６０のアミノ酸１８から３３、Ｂ．ミコイデス（Ｂ．  ｍｙｃｏｉｄｅｓ）２０４８仮想タンパク質ｂｍｙｃ０００１＿２２５４０のアミノ酸９から２４、Ｂ．ミコイデス（Ｂ．  ｍｙｃｏｉｄｅｓ）２０４８仮想タンパク質ｂｍｙｃ０００１＿２１５１０のアミノ酸１から１５、Ｂ．ツリンギエンシス（Ｂ．  ｔｈｕｒｉｎｇｉｅｎｓｉｓ）３５６４６コラーゲン三重らせん反復タンパク質のアミノ酸１から１６、Ｂ．セレウス（Ｂ．  ｃｅｒｅｕｓ）仮想タンパク質ＷＰ＿６９６５２のアミノ酸１４から２９、Ｂ．セレウス（Ｂ．  ｃｅｒｅｕｓ）外膜リーダーＷＰ０１６１１７７１７のアミノ酸２０から３５、Ｂ．セレウス（Ｂ．  ｃｅｒｅｕｓ）外膜ペプチドＷＰ００２１０５１９２のアミノ酸２８から４３、Ｂ．セレウス（Ｂ．  ｃｅｒｅｕｓ）仮想タンパク質ＷＰ８７３５３のアミノ酸１７から３２、Ｂ．セレウス（Ｂ．  ｃｅｒｅｕｓ）外膜ペプチド０２１１２３６９のアミノ酸１８から３３、Ｂ．セレウス（Ｂ．  ｃｅｒｅｕｓ）外膜タンパク質ＷＰ０１６０９９７７０のアミノ酸１８から３３、Ｂ．ツリンギエンシス（Ｂ．  ｔｈｕｒｉｎｇｉｅｎｓｉｓ）仮想タンパク質ＹＰ００６６１２５２５のアミノ酸１５から３０、およびＢ．ミコイデス（Ｂ．  ｍｙｃｏｉｄｅｓ）仮想タンパク質ＴＩＧＲ０３７２０のアミノ酸１１５から１３０は、ＢｃｌＡのアミノ酸２０から３５に相当する。従って、上記で挙げた相当するアミノ酸を含むこれらのタンパク質のいずれの部分も、標的配列として役立ち得る。
【００６２】
さらに、ＢｃｌＡのアミノ酸２０から３５を含むあらゆるアミノ酸配列または上記で挙げた相当するアミノ酸のいずれも、標的配列として役立ち得る。
【００６３】
従って、前記標的配列は、配列番号１のアミノ酸１から３５、配列番号１のアミノ酸２０から３５、配列番号１、配列番号６０、配列番号１のアミノ酸２２から３１、配列番号１のアミノ酸２２から３３、または配列番号１のアミノ酸２０から３１を含むことができる。あるいは、前記標的配列は、配列番号１のアミノ酸１から３５、配列番号１のアミノ酸２０から３５、配列番号１、または配列番号６０からなる。あるいは、前記標的配列は、配列番号１のアミノ酸２２から３１、配列番号１のアミノ酸２２から３３、または配列番号１のアミノ酸２０から３１からなることができる。あるいは、外膜タンパク質は全長ＢｃｌＡ（配列番号２）を含むことができ、または外膜タンパク質断片は、カルボキシ末端が欠損したＢｃｌＡの中程度の大きさの断片、例えば配列番号５９（ＢｃｌＡのアミノ酸１から１９６）を含むことができる。あるいは、前記外膜タンパク質断片は、配列番号５９からなることができる。
【００６４】
標的配列は配列番号３のアミノ酸１から２７、配列番号３のアミノ酸１２から２７または配列番号３も含むことができ、または外膜タンパク質は、全長ＢｅｔＡ／ＢＡＳ３２９０（配列番号４）を含むことができる。ＢｅｔＡ／ＢＡＳ３２９０のアミノ酸１２から２７に連結されたメチオニン残基を標的配列として用いることができることも認められている。従って、標的配列は、配列番号６１を含むことができる。標的配列は、配列番号３のアミノ酸１４から２３、配列番号３のアミノ酸１４から２５、または配列番号３のアミノ酸１２から２３も含むことができる。
【００６５】
標的配列は配列番号５のアミノ酸１から３８、配列番号５のアミノ酸２３から３８、または配列番号５も含むことができ、または外膜タンパク質は全長ＢＡＳ４６２３（配列番号６）を含むことができる。
【００６６】
あるいは、標的配列は配列番号７のアミノ酸１から２８、配列番号７のアミノ酸１３から２８、または配列番号７を含むことができ、または外膜タンパク質は、全長ＢｃｌＢ（配列番号８）を含むことができる。
【００６７】
標的配列は配列番号９のアミノ酸１から２４、配列番号９のアミノ酸９から２４または配列番号９も含むことができ、または外膜タンパク質は全長ＢＡＳ１８８２（配列番号１０）を含むことができる。ＢＡＳ１８８２のアミノ酸９から２４に連結されたメチオニン残基も、標的配列として用いることができる。従って、標的配列は、配列番号６９を含むことができる。
【００６８】
標的配列は配列番号１１のアミノ酸１から３３、配列番号１１のアミノ酸１８から３３または配列番号１１も含むことができ、または外膜タンパク質は、全長Ｂ．ウェイヘンステフェンシス（Ｂ．  ｗｅｉｈｅｎｓｔｅｐｈｅｎｓｉｓ)ＫＢＡＢ４２２８０遺伝子産物（配列番号１２）を含むことができる。Ｂ．ウェイヘンステフェンシス（Ｂ．  ｗｅｉｈｅｎｓｔｅｐｈｅｎｓｉｓ)ＫＢＡＢ４２２８０遺伝子産物のアミノ酸１８から３３に連結されたメチオニン残基も、標的配列として用いることができる。従って、標的配列は、配列番号６２を含むことができる。
【００６９】
標的配列は配列番号１３のアミノ酸１から３３、配列番号１３のアミノ酸１８から３３または配列番号１３も含むことができ、または外膜タンパク質は全長Ｂ．ウェイヘンステフェンシス（Ｂ．  ｗｅｉｈｅｎｓｔｅｐｈｅｎｓｉｓ)ＫＢＡＢ４３５７２遺伝子産物（配列番号１４）を含むことができる。Ｂ．ウェイヘンステフェンシス（Ｂ．  ｗｅｉｈｅｎｓｔｅｐｈｅｎｓｉｓ)ＫＢＡＢ４３５７２遺伝子産物のアミノ酸１８から３３に連結されたメチオニン残基も、標的配列として用いることができる。従って、標的配列は、配列番号６３を含むことができる。
【００７０】
あるいは、標的配列は配列番号１５のアミノ酸１から４３、配列番号１５のアミノ酸２８から４３または配列番号１５を含むことができ、または外膜タンパク質は全長Ｂ．セレウス（Ｂ．  ｃｅｒｅｕｓ）ＶＤ２００外膜リーダーペプチド（配列番号１６）を含むことができる。
【００７１】
標的配列は配列番号１７のアミノ酸１から２７、配列番号１７のアミノ酸１２から２７または配列番号１７も含むことができ、または外膜タンパク質は全長Ｂ．セレウス（Ｂ．  ｃｅｒｅｕｓ）ＶＤ１６６外膜リーダーペプチド（配列番号１８）を含むことができる。Ｂ．セレウス（Ｂ．  ｃｅｒｅｕｓ）ＶＤ１６６外膜リーダーペプチドのアミノ酸１２から２７に連結されたメチオニン残基も、標的配列として用いることができる。従って、標的配列は、配列番号６４を含むことができる。
【００７２】
標的配列は配列番号１９のアミノ酸１から３３、配列番号１９のアミノ酸１８から３３または配列番号１９も含むことができ、または外膜タンパク質は全長Ｂ．セレウス（Ｂ．  ｃｅｒｅｕｓ）ＶＤ２００仮想タンパク質ＩＫＧ＿０４６６３（配列番号２０）を含むことができる。
【００７３】
あるいは、標的配列は配列番号２１アミノ酸１から３３、配列番号２１のアミノ酸１８から３３または配列番号２１を含み、または外膜タンパク質は全長Ｂ．ウェイヘンステフェンシス（Ｂ．  ｗｅｉｈｅｎｓｔｅｐｈｅｎｓｉｓ)ＫＢＡＢ４ＹＶＴＮβ−プロペラタンパク質（配列番号２２）を含むことができる。Ｂ．ウェイヘンステフェンシス（Ｂ．  ｗｅｉｈｅｎｓｔｅｐｈｅｎｓｉｓ)ＫＢＡＢ４  ＹＶＴＮβ−プロペラタンパク質のアミノ酸１８から３３に連結されたメチオニン残基も、標的配列として用いることができる。従って、標的配列は、配列番号６５を含むことができる。
【００７４】
標的配列は配列番号２３のアミノ酸１から２４、配列番号２３のアミノ酸９から２４または配列番号２３も含むことができ、または外膜タンパク質は全長Ｂ．ウェイヘンステフェンシス（Ｂ．  ｗｅｉｈｅｎｓｔｅｐｈｅｎｓｉｓ)ＫＢＡＢ４仮想タンパク質ｂｃｅｒｋｂａｂ４＿２３６３（配列番号２４）を含むことができる。Ｂ．ウェイヘンステフェンシス（Ｂ．  ｗｅｉｈｅｎｓｔｅｐｈｅｎｓｉｓ)ＫＢＡＢ４仮想タンパク質ｂｃｅｒｋｂａｂ４＿２３６３のアミノ酸９から２４に連結されたメチオニン残基も、標的配列として用いることができる。従って、標的配列は、配列番号６６を含むことができる。
【００７５】
標的配列は配列番号２５のアミノ酸１から２４、配列番号２５のアミノ酸９から２４または配列番号２５を含み、または外膜タンパク質は全長Ｂ．ウェイヘンステフェンシス（Ｂ．  ｗｅｉｈｅｎｓｔｅｐｈｅｎｓｉｓ)ＫＢＡＢ４仮想タンパク質ｂｃｅｒｋｂａｂ４＿２１３１（配列番号２６）を含むことができる。Ｂ．ウェイヘンステフェンシス（Ｂ．  ｗｅｉｈｅｎｓｔｅｐｈｅｎｓｉｓ)ＫＢＡＢ４仮想タンパク質ｂｃｅｒｋｂａｂ４＿２１３１のアミノ酸９から２４に連結されたメチオニン残基も、標的配列として用いることができる。従って、標的配列は、配列番号６７を含むことができる。
【００７６】
あるいは、標的配列は配列番号２７のアミノ酸１から３０、配列番号２７のアミノ酸１５から３０または配列番号２７を含み、または外膜タンパク質は全長Ｂ．ウェイヘンステフェンシス（Ｂ．  ｗｅｉｈｅｎｓｔｅｐｈｅｎｓｉｓ)ＫＢＡＢ４三重らせん反復含有コラーゲン（配列番号２８）を含むことができる。
【００７７】
標的配列は配列番号２９のアミノ酸１から３３、配列番号２９のアミノ酸１８から３３または配列番号２９も含むことができ、または外膜タンパク質は全長Ｂ．ミコイデス（Ｂ．  ｍｙｃｏｉｄｅｓ）２０４８仮想タンパク質ｂｍｙｃｏ０００１＿２１６６０（配列番号３０）を含むことができる。
【００７８】
標的配列は配列番号３１のアミノ酸１から２４、配列番号３１のアミノ酸９から２４または配列番号３１も含むことができ、または外膜タンパク質は全長Ｂ．ミコイデス（Ｂ．  ｍｙｃｏｉｄｅｓ）２０４８仮想タンパク質ｂｍｙｃ０００１＿２２５４０（配列番号３２）を含むことができる。Ｂ．ミコイデス（Ｂ．  ｍｙｃｏｉｄｅｓ）２０４８仮想タンパク質ｂｍｙｃ０００１＿２２５４０のアミノ酸９から２４に連結されたメチオニン残基も、標的配列として用いることができる。従って、標的配列は、配列番号６８を含むことができる。
【００７９】
あるいは、標的配列は配列番号３３のアミノ酸１から１５、配列番号３３を含み、または外膜タンパク質は全長Ｂ．ミコイデス（Ｂ．  ｍｙｃｏｉｄｅｓ）２０４８仮想タンパク質ｂｍｙｃ０００１＿２１５１０（配列番号３４）を含む。
【００８０】
標的配列は配列番号３５のアミノ酸１から１６、配列番号３５も含むことができ、または外膜タンパク質は、全長Ｂ．ツリンギエンシス（Ｂ．  ｔｈｕｒｉｎｇｉｅｎｓｉｓ）３５６４６コラーゲン三重らせん反復タンパク質（配列番号３６）を含むことができる。
【００８１】
標的配列は配列番号４３のアミノ酸１から２９、配列番号４３のアミノ酸１４から２９または配列番号４３を含むことができ、または外膜タンパク質は全長Ｂ．セレウス（Ｂ．  ｃｅｒｅｕｓ）仮想タンパク質ＷＰ＿６９６５２（配列番号４４）を含むことができる。
【００８２】
あるいは、標的配列は配列番号４５のアミノ酸１から３５、配列番号４５のアミノ酸２０から３５または配列番号４５を含むことができ、または外膜タンパク質は全長Ｂ．セレウス（Ｂ．  ｃｅｒｅｕｓ）外膜リーダーＷＰ０１６１１７７１７（配列番号４６）を含むことができる。Ｂ．セレウス（Ｂ．  ｃｅｒｅｕｓ）外膜リーダーＷＰ０１６１１７７１７のアミノ酸２０から３５に連結されたメチオニン残基も、標的配列として用いることができる。従って、標的配列は、配列番号７０を含むことができる。
【００８３】
標的配列は配列番号４７のアミノ酸１から４３、配列番号４７のアミノ酸２８から４３または配列番号４７を含むことができ、または外膜タンパク質は全長Ｂ．セレウス（Ｂ．  ｃｅｒｅｕｓ）外膜ペプチドＷＰ００２１０５１９２（配列番号４８）を含むことができる。
【００８４】
標的配列は配列番号４９のアミノ酸１から３２、配列番号４９のアミノ酸１７から３２または配列番号４９を含むことができ、または外膜タンパク質は全長Ｂ．セレウス（Ｂ．  ｃｅｒｅｕｓ）仮想タンパク質ＷＰ８７３５３（配列番号５０）を含むことができる。
【００８５】
あるいは、標的配列は配列番号５１のアミノ酸１から３３、配列番号５１のアミノ酸１８から３３または配列番号５１を含むことができ、外膜タンパク質は全長Ｂ．セレウス（Ｂ．  ｃｅｒｅｕｓ）外膜ペプチド０２１１２３６９（配列番号５２）を含むことができる。
【００８６】
標的配列は配列番号５３のアミノ酸１から３３、配列番号５３のアミノ酸１８から３３または配列番号５３を含むことができ、または外膜タンパク質は全長Ｂ．セレウス（Ｂ．  ｃｅｒｅｕｓ）外膜タンパク質ＷＰ０１６０９９７７０（配列番号５４）を含むことができる。
【００８７】
あるいは、標的配列は配列番号５５の酸１から３０、配列番号５５のアミノ酸１５から３０または配列番号５５を含むことができ、または外膜タンパク質は全長Ｂ．ツリンギエンシス（Ｂ．  ｔｈｕｒｉｎｇｉｅｎｓｉｓ）仮想タンパク質ＹＰ００６６１２５２５（配列番号５６）を含むことができる。
【００８８】
標的配列は配列番号５７のアミノ酸１から１３０、配列番号５７のアミノ酸１１５から１３０または配列番号５７も含むことができ、または外膜タンパク質は全長Ｂ．ミコイデス（Ｂ．  ｍｙｃｏｉｄｅｓ）仮想タンパク質ＴＩＧＲ０３７２０（配列番号５８）を含むことができる。
【００８９】
さらに、ＢｃｌＡのアミノ酸２０から３５が保存され、アミノ酸２５から３５がより保存されているが、標的配列がタンパク質を外膜に向かわせる能力に影響することなく、ある程度の変異がこの領域で起こり得ることが図１における配列配置から容易にわかる。図１には、各配列の相当するアミノ酸のそれぞれのＢｃｌＡのアミノ酸２０から３５（「２０から３５％同一性」）およびＢｃｌＡのアミノ酸２５から３５（「２５から３５％同一性」）との同一性パーセントを挙げてある。従って、例えば、ＢｃｌＡのアミノ酸２０から３５と比較して、ＢｅｔＡ／ＢＡＳ３２９０の相当するアミノ酸は約８１．３％同一であり、ＢＡＳ４６２３の相当するアミノ酸は約５０．０％同一であり、ＢｃｌＢの相当するアミノ酸は約４３．８％同一であり、ＢＡＳ１８８２の相当するアミノ酸は約６２．５％同一であり、ＫＢＡＢ４２２８０遺伝子産物の相当するアミノ酸は約８１．３％同一であり、ＫＢＡＢ４３５７２遺伝子産物の相当するアミノ酸は約８１．３％同一である。残りの配列についてのこの領域での配列同一性を図１に示してある。
【００９０】
ＢｃｌＡのアミノ酸２５から３５に関して、ＢｅｔＡ／ＢＡＳ３２９０の相当するアミノ酸は約９０．９％同一であり、ＢＡＳ４６２３の相当するアミノ酸は約７２．７％同一であり、ＢｃｌＢの相当するアミノ酸は約５４．５％同一であり、ＢＡＳ１８８２の相当するアミノ酸は約７２．７％同一であり、ＫＢＡＢ４２２８０遺伝子産物の相当するアミノ酸は約９０．９％同一であり、ＫＢＡＢ４３５７２遺伝子産物の相当するアミノ酸は約８１．８％同一である。残りの配列についてのこの領域での配列同一性を図１に示してある。
【００９１】
従って、標的配列は、配列番号１のアミノ酸２０から３５と少なくとも約４３％同一性を有するアミノ酸配列（アミノ酸２５から３５との同一性は少なくとも約５４％である。）を含むことができる。あるいは、その標的配列は１６個のアミノ酸からなり、配列番号１のアミノ酸２０から３５と少なくとも約４３％同一性を有するアミノ酸配列からなり、アミノ酸２５から３５との同一性は少なくとも約５４％である。
【００９２】
標的配列は、配列番号１のアミノ酸２０から３５と少なくとも約５０％同一性を有するアミノ酸配列も含むことができ、アミノ酸２５から３５との同一性は少なくとも約６３％である。あるいは、標的配列は１６個のアミノ酸からなって少なくとも配列番号１のアミノ酸２０から３５と約５０％同一性を有するアミノ酸配列からなり、アミノ酸２５から３５との同一性は少なくとも約６３％である。
【００９３】
標的配列は、配列番号１のアミノ酸２０から３５と少なくとも約５０％同一性を有するアミノ酸配列も含むことができ、アミノ酸２５から３５との同一性は少なくとも約７２％である。あるいは、標的配列は１６個のアミノ酸からなって配列番号１のアミノ酸２０から３５と少なくとも約５０％同一性を有するアミノ酸配列からなり、アミノ酸２５から３５との同一性は少なくとも約７２％である。
【００９４】
標的配列は、配列番号１のアミノ酸２０から３５と少なくとも約５６％同一性を有するアミノ酸配列も含むことができ、アミノ酸２５から３５との同一性は少なくとも約６３％である。あるいは、標的配列は１６個のアミノ酸からなって配列番号１のアミノ酸２０から３５と少なくとも約５６％同一性を有するアミノ酸配列からなり、アミノ酸２５から３５との同一性は少なくとも約６３％である。
【００９５】
あるいは、標的配列は配列番号１のアミノ酸２０から３５と少なくとも約６２％同一性を有するアミノ配列を含むことができ、アミノ酸２５から３５との同一性は少なくとも約７２％である。標的配列は、１６個のアミノ酸からなって配列番号１のアミノ酸２０から３５と少なくとも約６２％同一性を有するアミノ酸配列からなることもでき、配列番号１のアミノ酸２５から３５との同一性は少なくとも約７２％である。
【００９６】
標的配列は配列番号１のアミノ酸２０から３５と少なくとも６８％同一性を有するアミノ酸配列を含むことができ、アミノ酸２５から３５との同一性は少なくとも約８１％である。あるいは、標的配列は１６個のアミノ酸からなって配列番号１のアミノ酸２０から３５と少なくとも６８％同一性を有するアミノ酸配列からなり、アミノ酸２５から３５との同一性は少なくとも約８１％である。
【００９７】
標的配列は、配列番号１のアミノ酸２０から３５と少なくとも約７５％同一性を有するアミノ配列も含むことができ、アミノ酸２５から３５との同一性は少なくとも約７２％である。あるいは、標的配列は１６個のアミノ酸からなって配列番号１のアミノ酸２０から３５と少なくとも約７５％同一性を有するアミノ酸配列からなり、配列番号１のアミノ酸２５から３５との同一性は少なくとも約７２％である。
【００９８】
標的配列は、配列番号１のアミノ酸２０から３５と少なくとも約７５％同一性を有するアミノ配列も含むことができ、アミノ酸２５から３５との同一性は少なくとも約７２％である。あるいは、標的配列は１６個のアミノ酸からなって配列番号１のアミノ酸２０から３５と少なくとも約７５％同一性を有するアミノ酸配列からなり、配列番号１のアミノ酸２５から３５との同一性は少なくとも約７２％である。
【００９９】
標的配列は配列番号１のアミノ酸２０から３５と少なくとも約７５％同一性を有するアミノ配列も含むことができ、アミノ酸２５から３５との同一性は少なくとも約８１％である。あるいは、標的配列は１６個のアミノ酸からなって配列番号１のアミノ酸２０から３５と少なくとも約７５％同一性を有するアミノ酸配列からなり、配列番号１のアミノ酸２５から３５との同一性は少なくとも約８１％である。
【０１００】
標的配列は配列番号１のアミノ酸２０から３５と少なくとも約８１％同一性を有するアミノ酸配列も含むことができ、アミノ酸２５から３５との同一性は少なくとも約８１％である。あるいは、標的配列は１６個のアミノ酸からなって配列番号１のアミノ酸２０から３５と少なくとも約８１％同一性を有するアミノ酸配列からなり、アミノ酸２５から３５との同一性は少なくとも約８１％である。
【０１０１】
標的配列は配列番号１のアミノ酸２０から３５と少なくとも約８１％同一性を有するアミノ酸配列を含むことができ、アミノ酸２５から３５との同一性は少なくとも約９０％である。あるいは、標的配列は１６個のアミノ酸からなって配列番号１のアミノ酸２０から３５と少なくとも約８１％同一性を有するアミノ酸配列からなり、アミノ酸２５から３５との同一性は少なくとも約９０％である。
【０１０２】
標的配列がＢｃｌＡのアミノ酸２０から３５、ＢｅｔＡ／ＢＡＳ３２９０、ＢＡＳ４２６３、ＢｃｌＢ、ＢＡＳ１８８２、ＫＢＡＢ４  ２２８０遺伝子産物もしくはＫＢＡＢ３５７２遺伝子産物の相当するアミノ酸を含む限り、またはＢｃｌＡのアミノ酸２０から３５および２５から３５と上記配列同一性のいずれかを含む配列が存在する限りにおいて、上記配列の変異体も標的配列として用いることができることは、当業者は認識するものである。
【０１０３】
ＢｃｌＡのアミノ酸２５から３５と相同性を有する領域が欠損しているある種のバチルス・セレウス（Ｂａｃｉｌｌｕｓ  ｃｅｒｅｕｓ）科外膜タンパク質も、ペプチドまたはタンパク質をバチルス・セレウス（Ｂａｃｉｌｌｕｓ  ｃｅｒｅｕｓ）科構成員の外膜に向かわせるのに用いることが可能であることも発見されている。特に、前記融合タンパク質は、配列番号７１を含む外膜タンパク質（Ｂ．ミコイデス（Ｂ．  ｍｙｃｏｉｄｅｓ）ＩｎｈＡ）、配列番号７２を含む外膜タンパク質（Ｂ．アントラシス（Ｂ．  ａｎｔｈｒａｃｉｓ）スターン（Ｓｔｅｒｎｅ）ＢＡＳ１１４１（ＥｘｓＹ））、配列番号７３を含む外膜タンパク質（Ｂ．アントラシス（Ｂ．  ａｎｔｈｒａｃｉｓ）スターン（Ｓｔｅｒｎｅ）ＢＡＳ１１４４（ＢｘｐＢ／ＥｘｓＦＡ））、配列番号７４を含む外膜タンパク質（Ｂ．アントラシス（Ｂ．  ａｎｔｈｒａｃｉｓ）スターン（Ｓｔｅｒｎｅ）ＢＡＳ１１４５（ＣｏｔＹ））、配列番号７５を含む外膜タンパク質（Ｂ．アントラシス（Ｂ．  ａｎｔｈｒａｃｉｓ）スターン（Ｓｔｅｒｎｅ）ＢＡＳ１１４０）、配列番号７６を含む外膜タンパク質（Ｂ．アントラシス（Ｂ．  ａｎｔｈｒａｃｉｓ）Ｈ９４０１  ＥｘｓＦＢ）、配列番号７７を含む外膜タンパク質（Ｂ．ツリンギエンシス（Ｂ．  ｔｈｕｒｉｎｇｉｅｎｓｉｓ）ＨＤ７４  ＩｎｈＡ１）、配列番号７８を含む外膜タンパク質（Ｂ．セレウス（Ｂ．  ｃｅｒｅｕｓ）ＡＴＣＣ１０８７６ＥｘｓＪ）、配列番号７９を含む外膜タンパク質（Ｂ．セレウス（Ｂ．  ｃｅｒｅｕｓ）ＥｘｓＨ）、配列番号８０を含む外膜タンパク質（Ｂ．アントラシス（Ｂ．  ａｎｔｈｒａｃｉｓ）エームス（Ａｍｅｓ）ＹｊｃＡ）、配列番号８１を含む外膜タンパク質（Ｂ．アントラシス（Ｂ．  ａｎｔｈｒａｃｉｓ）ＹｊｃＢ）、配列番号８２を含む外膜タンパク質（Ｂ．アントラシス（Ｂ．  ａｎｔｈｒａｃｉｓ）スターン（Ｓｔｅｒｎｅ）ＢｃｌＣ）、配列番号８３を含む外膜タンパク質（バチルス・ツリンギエンシス（Ｂａｃｉｌｌｕｓ  ｔｈｕｒｉｎｇｉｅｎｓｉｓ）血清型コンクキアン（ｋｏｎｋｕｋｉａｎ）株９７−２７酸ホスファターゼ）、または配列番号８４を含む外膜タンパク質（Ｂ．ツリンギエンシス（Ｂ．  ｔｈｕｒｉｎｇｉｅｎｓｉｓ）ＨＤ７４  ＩｎｈＡ２）を含むことができる。本明細書に記載の融合タンパク質に配列番号７１、７２、７３、７４、７５、７６、７７、７８、７９、８０、８１、８２、８３または８４を含む外膜タンパク質を含ませることで、Ｂ．セレウス（Ｂ．  ｃｅｒｅｕｓ）科構成員の外膜に標的化される。
【０１０４】
さらに、全長外膜タンパク質または上記記載の外膜タンパク質断片のいずれかと高度の配列同一性を有する外膜タンパク質も、ペプチドまたはタンパク質をバチルス・セレウス（Ｂａｃｉｌｌｕｓ  ｃｅｒｅｕｓ）科構成員の外膜に向かわせるのに用いることができる。従って、前記融合タンパク質は、配列番号２、４、６、８、１０、１２、１４、１６、１８、２０、２２、２４、２６、２８、３０、３２、３４、３６、４４、４６、４８、５０、５２、５４、５６、５８、５９、７１、７２、７３、７４、７５、７６、７７、７８、７９、８０、８１、８２、８３および８４のいずれか一つと少なくとも８５％同一性を有するアミノ酸配列を含む外膜タンパク質を含むことができる。あるいは、前記融合タンパク質は、配列番号２、４、６、８、１０、１２、１４、１６、１８、２０、２２、２４、２６、２８、３０、３２、３４、３６、４４、４６、４８、５０、５２、５４、５６、５８、５９、７１、７２、７３、７４、７５、７６、７７、７８、７９、８０、８１、８２、８３および８４のいずれか一つと少なくとも９０％、少なくとも９５％、少なくとも９８％、少なくとも９９％、または１００％同一性を有する外膜タンパク質を含むことができる。
【０１０５】
あるいは、前記融合タンパク質は、配列番号５９と少なくとも８５％同一性を有するアミノ酸配列からなる外膜タンパク質断片を含むことができる。あるいは、前記融合タンパク質は、配列番号５９と少なくとも９０％、少なくとも９５％、少なくとも９８％、少なくとも９９％、または１００％同一性を有するアミノ酸配列からなる外膜タンパク質断片を含むことができる。
【０１０６】
本明細書に記載の標的配列、外膜タンパク質、または外膜タンパク質断片のいずれにおいても、標的配列、外膜タンパク質または外膜タンパク質断片は、そのカルボキシ末端にアミノ酸配列ＧＸＴを含むことができ、Ｘはいずれかのアミノ酸である。
【０１０７】
本明細書に記載の標的配列、外膜タンパク質、または外膜タンパク質断片のいずれにおいても、標的配列、外膜タンパク質、または外膜タンパク質断片は、配列番号１のアミノ酸２０に相当する標的配列の位置にアラニン残基を含むことができる。
【０１０８】
融合タンパク質
融合タンパク質は、標的配列、外膜タンパク質または外膜タンパク質断片、および少なくとも一つの植物成長刺激タンパク質もしくはペプチドを含むことができる。植物成長刺激タンパク質もしくはペプチドは、ペプチドホルモン、非ホルモンペプチド、植物成長刺激性化合物の産生もしくは活性化に関与する酵素または細菌、真菌もしくは植物の栄養源を分解もしくは改変する酵素を含むことができる。標的配列、外膜タンパク質、または外膜タンパク質断片は、上記の標的配列、外膜タンパク質、または外膜タンパク質断片のいずれかであることができる。
【０１０９】
融合タンパク質は、標的配列、外膜タンパク質または外膜タンパク質断片、および植物を病原体から保護する少なくとも一つのタンパク質もしくはペプチドを含むことができる。標的配列、外膜タンパク質、または外膜タンパク質断片は、上記の標的配列、外膜タンパク質、または外膜タンパク質断片のいずれかであることができる。
【０１１０】
融合タンパク質は、当業界で公知の標準的なクローニングおよび分子生物学的方法を用いて製造することができる。例えば、タンパク質またはペプチドをコードする遺伝子（例えば、植物成長刺激タンパク質もしくはペプチドをコードする遺伝子）は、ポリメラーゼ連鎖反応（ＰＣＲ）によって増幅することができ、上記標的配列のいずれかをコードするＤＮＡに連結して融合タンパク質をコードするＤＮＡ分子を形成することができる。その融合タンパク質をコードするＤＮＡ分子は、いずれか好適なベクター、例えばプラスミドベクターにクローニングすることができる。そのベクターは好適には、融合タンパク質をコードするＤＮＡ分子を容易に挿入することができる多重クローニング部位を含む。前記ベクターも好適には、選択可能なマーカー、例えば抗生物質抵抗性遺伝子を含むことで、ベクターで形質転換、トランスフェクションまたは接合される細菌を容易に同定および単離できるようにする。ベクターがプラスミドである場合、そのプラスミドは好適には、複製起点も含む。前記融合タンパク質をコードするＤＮＡは好適には、Ｂ．セレウス（Ｂ．  ｃｅｒｅｕｓ）科構成員内生胞子（例えば、Ｂ．セレウス（Ｂ．  ｃｅｒｅｕｓ）科構成員からの天然ｂｃｌＡプロモーター）の外膜上での融合タンパク質の発現を引き起こす胞子形成プロモーターの制御下にある。あるいは、前記融合タンパク質をコードするＤＮＡは、Ｂ．セレウス（Ｂ．  ｃｅｒｅｕｓ）科構成員宿主の染色体ＤＮＡに組み込むことができる。
【０１１１】
融合タンパク質は、標的配列、外膜タンパク質、外膜タンパク質断片、または植物成長刺激タンパク質もしくはペプチド、病原体から植物を保護するタンパク質もしくはペプチド、植物におけるストレス抵抗性を高めるタンパク質もしくはペプチド、または植物結合性タンパク質もしくはペプチドの一部ではない別のポリペプチド配列も含むことができる。例えば、前記融合タンパク質は、タグまたはマーカーを含むことで、融合タンパク質（例えば、ポリヒスチジンタグまたはＧＦＰもしくはＹＦＰなどの蛍光タンパク質）の精製または視覚化または融合タンパク質を発現する組換え外膜産生性バチルス細胞胞子の視覚化を促進することができる。
【０１１２】
本明細書に記載の標的配列、外膜タンパク質および外膜タンパク質断片を用いる外膜上での融合タンパク質の発現は、融合タンパク質の自然たたみ込みおよび活性保持を可能とするこれら配列のアミノ末端における二次構造の欠如のために促進される。適切なたたみ込みは、標的配列、外膜タンパク質、外膜タンパク質断片、および融合パートナータンパク質の間に短いアミノ酸リンカーを含ませることでさらに促進することができる。
【０１１３】
従って、本明細書に記載の融合タンパク質のいずれも、標的配列、外膜タンパク質、または外膜タンパク質断片および植物成長刺激タンパク質もしくはペプチド、病原体から植物を保護するタンパク質もしくはペプチド、植物におけるストレス抵抗性を高めるタンパク質もしくはペプチド、または植物結合性タンパク質もしくはペプチドの間のアミノ酸リンカーを含むことができる。
【０１１４】
リンカーは、ポリアラニンリンカーまたはポリグリシンリンカーを含むことができる。アラニン残基およびグリシン残基の両方の混合物を含むリンカーも用いることができる。例えば、標的配列が配列番号１を含む場合、融合タンパク質は下記の構造のうちの一つを有することができる。
【０１１５】
リンカーなし：配列番号１−融合パートナータンパク質
アラニンリンカー：配列番号１−Ａｎ−融合パートナータンパク質
グリシンリンカー：配列番号１−Ｇｎ−融合パートナータンパク質
混合アラニンおよびグリシンリンカー：配列番号１−（Ａ／Ｇ）ｎ−融合パートナータンパク質。
【０１１６】
上記において、Ａｎ、Ｇｎ、および（Ａ／Ｇ）ｎは、それぞれ、あらゆる数のアラニン、あらゆる数のグリシン、またはアラニンおよびグリシンのあらゆる数の混合物である。例えば、ｎは１から２５であることができ、好ましくは６から１０である。リンカーがアラニン残基およびグリシン残基の混合物を含む場合、あらゆる組み合わせのグリシン残基およびアラニン残基を用いることができる。上記の構造において、「融合パートナータンパク質」は、植物成長刺激タンパク質もしくはペプチド、病原体から植物を保護するタンパク質もしくはペプチド、植物におけるストレス抵抗性を高めるタンパク質もしくはペプチド、または植物結合性タンパク質もしくはペプチドを表す。
【０１１７】
あるいはまたはさらに、リンカーは、プロテアーゼ認識部位を含むことができる。プロテアーゼ認識部位が含まれることで、プロテアーゼ認識部位を認識するプロテアーゼに曝露されると、植物成長刺激タンパク質もしくはペプチド、病原体から植物を保護するタンパク質もしくはペプチド、植物におけるストレス抵抗性を高めるタンパク質もしくはペプチド、または植物結合性タンパク質もしくはペプチドの標的除去が可能となる。
【０１１８】
植物成長刺激タンパク質およびペプチド
上記で示したように、融合タンパク質は、標的配列、外膜タンパク質、または外膜タンパク質断片および少なくとも一つの植物成長刺激タンパク質もしくはペプチドを含むことができる。例えば、植物成長刺激タンパク質もしくはペプチドは、ペプチドホルモン、非ホルモンペプチド、植物成長刺激性化合物の産生もしくは活性化に関与する酵素、または細菌、真菌もしくは植物の栄養源を分解もしくは改変する酵素を含むことができる。
【０１１９】
例えば、植物成長刺激タンパク質もしくはペプチドがペプチドホルモンを含む場合、ペプチドホルモンは、ファイトスルホカイン（例えば、ファイトスルホカイン−α）、ｃｌａｖａｔａ３（ＣＬＶ３）、システミン、ＺｍｌＧＦ、またはＳＣＲ／ＳＰ１１を含むことができる。
【０１２０】
植物成長刺激タンパク質もしくはペプチドが非ホルモンペプチドを含む場合、非ホルモンペプチドは、ＲＫＮ  １６Ｄ１０、Ｈｇ−Ｓｙｖ４６、ｅＮＯＤ４０ペプチド、メリチン、マストパラン、Ｍａｓ７、ＲＨＰＰ、ＰＯＬＡＲＩＳ、またはクニツ（ｋｕｎｉｔｚ）トリプシン阻害剤（ＫＴＩ）を含むことができる。
【０１２１】
植物成長刺激タンパク質もしくはペプチドは、植物成長刺激性化合物の産生もしくは活性化に関与する酵素を含むことができる。植物成長刺激化合物の産生もしくは活性化に関与する酵素は、植物成長を刺激して植物構造を変える化合物の生合成経路におけるいずれかの段階を触媒する酵素、または植物成長を刺激し植物構造を変える化合物の不活性もしくは低活性誘導体のその化合物の活性型もしくは高活性型への変換を触媒する酵素であることができる。
【０１２２】
植物成長刺激化合物は、根圏における細菌または真菌によって産生される化合物、例えば、２，３−ブタンジオールを含むことができる。
【０１２３】
あるいは、植物成長刺激化合物は、植物成長ホルモン、例えば、サイトカイニンもしくはサイトカイニン誘導体、エチレン、オーキシンもしくはオーキシン誘導体、ジベレリン酸もしくはジベレリン酸誘導体、アブシシン酸もしくはアブシシン酸誘導体、またはジャスモン酸もしくはジャスモン酸誘導体を含むことができる。
【０１２４】
植物成長刺激化合物がサイトカイニンもしくはサイトカイニン誘導体を含む場合、サイトカイニンまたはサイトカイニン誘導体は、キネチン、シス−ゼアチン、トランス−ゼアチン、６−ベンジルアミノプリン、ジヒドロキシゼアチン、Ｎ６−（Ｄ２−イソペンテニル）アデニン、リボシルゼアチン、Ｎ６−（Ｄ２−イソペンテニル）アデノシン、２−メチルチオ−シス−リボシルゼアチン、シス−リボシルゼアチン、トランス−リボシルゼアチン、２−メチルチオ−トランス−リボシルゼアチン、リボシルゼアチン−５−モノホスフェート、Ｎ６−メチルアミノプリン、Ｎ６−ジメチルアミノプリン、２′−デオキシゼアチンリボシド、４−ヒドロキシ−３−メチル−トランス−２−ブテニルアミノプリン、オルト−トポリン、メタ−トポリン、ベンジルアデニン、オルト−メチルトポリン、メタ−メチルトポリン、またはそれらの組み合わせを含むことができる。
【０１２５】
植物成長刺激化合物がオーキシンもしくはオーキシン誘導体を含む場合、オーキシンまたはオーキシン誘導体は、活性オーキシン、不活性オーキシン、複合型オーキシン、天然オーキシン、または合成オーキシン、またはそれらの組み合わせを含むことができる。例えば、オーキシンまたはオーキシン誘導体は、インドール−３−酢酸、インドール−３−ピルビン酸、インドール−３−アセトアルドキシム、インドール−３−アセトアミド、インドール−３−アセトニトリル、インドール−３−エタノール、インドール−３−ピルベート、インドール−３−アセトアルドキシム、インドール−３−酪酸、フェニル酢酸、４−クロロインドール−３−酢酸、グルコース−複合型オーキシン、またはそれらの組み合わせを含むことができる。
【０１２６】
植物成長刺激化合物の産生もしくは活性化に関与する酵素は、アセトインレダクターゼ、インドール−３−アセトアミドヒドロラーゼ、トリプトファンモノオキシゲナーゼ、アセト乳酸シンターゼ、α−アセト乳酸デカルボキシラーゼ、ピルビン酸デカルボキシラーゼ、ジアセチルレダクターゼ、ブタンジオールデヒドロゲナーゼ、アミノトランスフェラーゼ（例えば、トリプトファミノトランスフェラーゼ）、トリプトファンデカルボキシラーゼ、アミンオキシダーゼ、インドール−３−ピルビン酸デカルボキシラーゼ、インドール−３−アセトアルデヒドデヒドロゲナーゼ、トリプトファン側鎖オキシダーゼ、ニトリルヒドロラーゼ、ニトリラーゼ、ペプチダーゼ、プロテアーゼ、アデノシンリン酸イソペンテニルトランスフェラーゼ、ホスファターゼ、アデノシンキナーゼ、アデニンホスホリボシルトランスフェラーゼ、ＣＹＰ７３５Ａ、５′リボヌクレオチドホスホヒドロラーゼ、アデノシンヌクレオシダーゼ、ゼアチンシス−トランスイソメラーゼ、ゼアチンＯ−グルコシルトランスフェラーゼ、β−グルコシダーゼ、シス−ヒドロキシラーゼ、ＣＫシス−ヒドロキシラーゼ、ＣＫ  Ｎ−グルコシルトランスフェラーゼ、２，５−リボヌクレオチドホスホヒドロラーゼ、アデノシンヌクレオシダーゼ、プリンヌクレオシドホスホリラーゼ、ゼアチンレダクターゼ、ヒドロキシルアミンレダクターゼ、２−オキソグルタル酸ジオキシゲナーゼ、ジベレリン酸２Ｂ／３Ｂヒドロラーゼ、ジベレリン３−オキシダーゼ、ジベレリン２０−オキシダーゼ、キトシナーゼ（ｃｈｉｔｏｓｉｎａｓｅ）、キチナーゼ、β−１，３−グルカナーゼ、β−１，４−グルカナーゼ、β−１，６−グルカナーゼ、アミノシクロプロパン−１−カルボン酸デアミナーゼ、またはノッド因子産生に関与する酵素（例えば、ｎｏｄＡ、ｎｏｄＢ、またはｎｏｄＩ）を含むことができる。
【０１２７】
前記酵素がプロテアーゼまたはペプチダーゼを含む場合、プロテアーゼまたはペプチダーゼは、タンパク質、ペプチド、プロタンパク質、またはプレプロタンパク質を開裂させて生理活性ペプチドを作るプロテアーゼまたはペプチダーゼであることができる。その生理活性ペプチドは、生理活性を発揮するあらゆるペプチドであることができる。
【０１２８】
生理活性ペプチドの例には、ＲＫＮ  １６Ｄ１０およびＲＨＰＰなどがある。
【０１２９】
タンパク質、ペプチド、プロタンパク質、またはプレプロタンパク質を開裂させて生理活性ペプチドを作るプロテアーゼまたはペプチダーゼは、サブチリシン、酸プロテアーゼ、アルカリプロテアーゼ、プロテイナーゼ、エンドペプチダーゼ、エキソペプチダーゼ、サーモリシン、パパイン、ペプシン、トリプシン、プロナーゼ、カルボキシラーゼ、セリンプロテアーゼ、グルタミン酸プロテアーゼ、アスパラギン酸プロテアーゼ、システインプロテアーゼ、トレオニンプロテアーゼ、またはメタロプロテアーゼを含むことができる。
【０１３０】
プロテアーゼまたはペプチダーゼは、高タンパク質食（例えば、大豆ミールまたは酵母抽出物）中のタンパク質を開裂させることができる。
【０１３１】
植物成長刺激タンパク質は、細菌、真菌もしくは植物の栄養源を分解もしくは改変する酵素も含むことができる。そのような酵素には、セルラーゼ類、リパーゼ類、リグニンオキシダーゼ類、プロテアーゼ類、グリコシドヒドロラーゼ類、ホスファターゼ類、ニトロゲナーゼ類、ヌクレアーゼ類、アミダーゼ類、硝酸レダクターゼ類、亜硝酸レダクターゼ類、アミラーゼ類、アンモニアオキシダーゼ類、リグニナーゼ類、グルコシダーゼ類、ホスホリパーゼ類、フィターゼ類、ペクチナーゼ類、グルカナーゼ類、スルファターゼ類、ウレアーゼ類、キシラナーゼ類、およびシデロホア類などがある。植物成長培地に導入されたり、植物、種子または植物もしくは植物種子周囲の区画に施用された場合、細菌、真菌もしくは植物の栄養源を分解もしくは改変する融合タンパク質含有酵素は、植物近傍の栄養素のプロセシングに役立つことで、植物による、または植物近傍の有益な細菌もしくは真菌による栄養素取り込みを促進させることができる。
【０１３２】
好適なセルラーゼ類には、エンドセルラーゼ類（例えば、バチルス・サブチリス（Ｂａｃｉｌｌｕｓ  ｓｕｂｔｉｌｉｓ）エンドグルカナーゼ、バチルス・ツリンギエンシス（Ｂａｃｉｌｌｕｓ  ｔｈｕｒｉｎｇｉｅｎｓｉｓ）エンドグルカナーゼ、バチルス・セレウス（Ｂａｃｉｌｌｕｓ  ｃｅｒｅｕｓ）エンドグルカナーゼ、またはバチルス・クラウシイ（バチルス・クラウシイ（Ｂａｃｉｌｌｕｓ  ｃｌａｕｓｉｉ）エンドグルカナーゼなどのエンドグルコナーゼ（ｅｎｄｏｇｌｕｃｏｎａｓｅ））、エキソセルラーゼ類（例えば、トリコデルマ・リーゼイ（Ｔｒｉｃｈｏｄｅｒｍａ  ｒｅｅｓｅｉ）エキソセルラーゼ）、およびβ−グルコシダーゼ類（例えば、バチルス・サブチリス（Ｂａｃｉｌｌｕｓ  ｓｕｂｔｉｌｉｓ）β−グルコシダーゼ、バチルス・ツリンギエンシス（Ｂａｃｉｌｌｕｓ  ｔｈｕｒｉｎｇｉｅｎｓｉｓ）β−グルコシダーゼ、バチルス・セレウス（Ｂａｃｉｌｌｕｓ  ｃｅｒｅｕｓ）β−グルコシダーゼ、またはバチルス・クラウシイ（Ｂａｃｉｌｌｕｓ  ｃｌａｕｓｉｉ）Ｂ−グルコシダーゼ）などがある。
【０１３３】
前記リパーゼは、バチルス・サブチリス（Ｂａｃｉｌｌｕｓ  ｓｕｂｔｉｌｉｓ）リパーゼ、バチルス・ツリンギエンシス（Ｂａｃｉｌｌｕｓ  ｔｈｕｒｉｎｇｉｅｎｓｉｓ）リパーゼ、バチルス・セレウス（Ｂａｃｉｌｌｕｓ  ｃｅｒｅｕｓ）リパーゼ、またはバチルス・クラウシイ（Ｂａｃｉｌｌｕｓ  ｃｌａｕｓｉｉ）リパーゼを含むことができる。
【０１３４】
１実施形態において、リパーゼはバチルス・サブチリス（Ｂａｃｉｌｌｕｓ  ｓｕｂｔｉｌｉｓ）リパーゼを含む。そのバチルス・サブチリス（Ｂａｃｉｌｌｕｓ  ｓｕｂｔｉｌｉｓ）リパーゼは、次のプライマー：ｇｇａｔｃｃａｔｇｇｃｔｇａａｃａｃａａｔｃｃ（順方向、配列番号３７）およびｇｇａｔｃｃｔｔａａｔｔｃｇｔａｔｔｃｔｇｇｃｃ（逆方向、配列番号３８）を用いてＰＣＲ増幅することができる。
【０１３５】
別の実施形態において、セルラーゼはバチルス・サブチリス（Ｂａｃｉｌｌｕｓ  ｓｕｂｔｉｌｉｓ）エンドグルカナーゼである。バチルス・サブチリス（Ｂａｃｉｌｌｕｓ  ｓｕｂｔｉｌｉｓ）エンドグルカナーゼは、次のプライマー：ｇｇａｔｃｃａｔｇａａａｃｇｇｔｃａａｔｃ（順方向、配列番号３９）およびｇｇａｔｃｃｔｔａｃｔａａｔｔｔｇｇｔｔｃｔｇｔ（逆方向、配列番号４０）を用いてＰＣＲ増幅することができる。
【０１３６】
さらに別の実施形態において、融合タンパク質は、大腸菌（Ｅ．  ｃｏｌｉ）プロテアーゼＰｔｒＢを含む。大腸菌（Ｅ．  ｃｏｌｉ）プロテアーゼＰｔｒＢは、次のプライマー：ｇｇａｔｃｃａｔｇｃｔａｃｃａａａａｇｃｃ（順方向、配列番号４１）およびｇｇａｔｃｃｔｔａｇｔｃｃｇｃａｇｇｃｇｔａｇｃ（逆方向、配列番号４２）を用いてＰＣＲ増幅することができる。
【０１３７】
ある種の実施形態において、前記融合タンパク質は、配列番号１０４におけるヌクレオチド配列由来のエンドグルカナーゼを含む。
【０１３８】
標的配列、外膜タンパク質、または外膜タンパク質断片および、適宜にリンカー配列、例えばポリ−Ａリンカーに融合し得る例示的なエンドグルカナーゼについてのアミノ酸配列は、配列番号１０７として提供される融合タンパク質である。
【０１３９】
他の実施形態において、前記融合タンパク質は、配列番号１０５に示したヌクレオチド配列由来のホスホリパーゼを含む。
【０１４０】
標的配列、外膜タンパク質、または外膜タンパク質断片および適宜にリンカー配列、例えばポリ−Ａリンカーに融合し得る例示的なホスホリパーゼについてのアミノ酸配列は、配列番号１０８として提供される融合タンパク質である。
【０１４１】
さらに別の実施形態において、前記融合タンパク質は、配列番号１０６で示したヌクレオチド配列由来のキトサナーゼを含む。融合タンパク質中の、標的配列、外膜タンパク質、または外膜タンパク質断片および適宜にリンカー配列、例えばポリ−Ａリンカーに融合し得る例示的なキトサナーゼについてのアミノ酸配列は、配列番号１０９として提供される。
【０１４２】
融合構築物を作るため、オバーラップエクステンションによるスプライシング（ＳＯＥ）技術を用いて、ＢｃｌＡの最初の３５アミノ酸（配列番号１のアミノ酸１から３５）をコードするバチルス・ツリンギエンシス（Ｂａｃｉｌｌｕｓ  ｔｈｕｒｉｎｇｉｅｎｓｉｓ）ＤＮＡの天然ｂｃｌＡプロモーターに遺伝子を融合させることができる。正しい単位複製配列を大腸菌（Ｅ．  ｃｏｌｉ）／バチルス（Ｂａｃｉｌｌｕｓ）シャトルベクターｐＨＰ１３にクローニングし、正しいクローンをＤＮＡ配列決定によってスクリーニングする。正しいクローンをバチルス・ツリンギエンシス（Ｂａｃｉｌｌｕｓ  ｔｈｕｒｉｎｇｉｅｎｓｉｓ）（Ｃｒｙ、プラスミド）にエレクトロポレーションし、クロラムフェニコール抵抗性に関してスクリーニングする。正しい形質転換体をブレインハートインフュージョン培地において３０℃で終夜増殖させ、栄養寒天プレートに蒔き、３０℃で３日間インキュベートする。融合構築物を発現する胞子（ＢＥＭＤ胞子）を、リン酸緩衝生理食塩水（ＰＢＳ）で洗浄することでプレートから回収し、遠心およびさらなるＰＢＳでの洗浄によって精製することができる。
【０１４３】
そのような融合タンパク質において、エンドグルカナーゼ、ホスホリパーゼまたはキトシナーゼ（ｃｈｉｔｏｓｉｎａｓｅ）は、それぞれ配列番号１０７、１０８または１０９と少なくとも８５％同一性を有するアミノ酸配列をコードするヌクレオチド配列を含むことができる。
【０１４４】
そのような融合タンパク質において、エンドグルカナーゼ、ホスホリパーゼまたはキトシナーゼ（ｃｈｉｔｏｓｉｎａｓｅ）は、それぞれ配列番号１０７、１０８または１０９と少なくとも９０％同一性を有するアミノ酸配列を含むことができる。
【０１４５】
そのような融合タンパク質において、エンドグルカナーゼ、ホスホリパーゼまたはキトシナーゼ（ｃｈｉｔｏｓｉｎａｓｅ）は、それぞれ配列番号１０７、１０８または１０９と少なくとも９５％同一性を有するアミノ酸配列を含むことができる。
【０１４６】
そのような融合タンパク質において、エンドグルカナーゼ、ホスホリパーゼまたはキトシナーゼ（ｃｈｉｔｏｓｉｎａｓｅ）は、それぞれ配列番号１０７、１０８または１０９と「少なくとも９８％同一性を有するアミノ酸配列を含むことができる。
【０１４７】
そのような融合タンパク質において、エンドグルカナーゼ、ホスホリパーゼまたはキトシナーゼ（ｃｈｉｔｏｓｉｎａｓｅ）は、それぞれ配列番号１０７、１０８または１０９と少なくとも９９％同一性を有するアミノ酸配列を含むことができる。
【０１４８】
好適なリグニンオキシダーゼは、リグニンペルオキシダーゼ類、ラッカーゼ類、グリオキサールオキシダーゼ類、リグニナーゼ類、およびマンガンペルオキシダーゼ類を含む。
【０１４９】
プロテアーゼは、サブチリシン、酸プロテアーゼ、アルカリプロテアーゼ、プロテイナーゼ、ペプチダーゼ、エンドペプチダーゼ、エキソペプチダーゼ、サーモリシン、パパイン、ペプシン、トリプシン、プロナーゼ、カルボキシラーゼ、セリンプロテアーゼ、グルタミン酸プロテアーゼ、アスパラギン酸プロテアーゼ、システインプロテアーゼ、トレオニンプロテアーゼ、またはメタロプロテアーゼを含むことができる。
【０１５０】
ホスファターゼは、リン酸モノエステルヒドロラーゼ、ホスホモノエステラーゼ（例えば、ＰｈｏＡ４）、リン酸ジエステルヒドロラーゼ、ホスホジエステラーゼ、三リン酸モノエステルヒドロラーゼ、無水リン酸ヒドロラーゼ、ピロホスファターゼ、フィターゼ（例えば、バチルス・サブチリス（Ｂａｃｉｌｌｕｓ  ｓｕｂｔｉｌｉｓ）ＥＥ１４８フィターゼまたはバチルス・ツリンギエンシス（Ｂａｃｉｌｌｕｓ  ｔｈｕｒｉｎｇｉｅｎｓｉｓ）ＢＴ０１３Ａフィターゼ）、トリメタホスファターゼまたはトリホスファターゼを含むことができる。
【０１５１】
ニトロゲナーゼは、Ｎｉｆファミリーニトロゲナーゼ（例えば、パニエバシラス・メシリエンシス（Ｐａｅｎｉｂａｃｉｌｌｕｓ  ｍａｓｓｉｌｉｅｎｓｉｓ）ＮｉｆＢＤＥＨＫＮＸＶ）を含むことができる。
【０１５２】
病原体から植物を保護するタンパク質およびペプチド
融合タンパク質は、標的配列、外膜タンパク質、または外膜タンパク質断片、および植物を病原体から保護する少なくとも一つのタンパク質もしくはペプチドを含むことができる。
【０１５３】
タンパク質またはペプチドは、植物免疫応答を刺激するタンパク質またはペプチドを含むことができる。例えば、植物免疫応答を刺激するタンパク質またはペプチドは、植物免疫系エンハンサータンパク質またはペプチドを含むことができる。植物免疫系エンハンサータンパク質またはペプチドは、植物の免疫系に対して有益な効果を有するタンパク質またはペプチドであることができる。好適な植物免疫系エンハンサータンパク質およびペプチドには、ハーピン類、α−エラスチン類、β−エラスチン類、システミン類、フェニルアラニンアンモニア−リアーゼ、エリシチン類、デフェンシン類、クリプトゲイン類、フラゲリンタンパク質、およびフラゲリンペプチド類（例えば、ｆｌｇ２２）などがある。
【０１５４】
あるいは、病原体から植物を保護するタンパク質もしくはペプチドは、抗菌活性、抗真菌活性、または抗菌および抗真菌の両方の活性を有するタンパク質またはペプチドであることができる。そのようなタンパク質およびペプチドの例には、バクテリオシン類、リゾチーム類、リゾチームペプチド類（例えば、ＬｙｓＭ）、シデロホア類、非リボソーム活性ペプチド類、コンアルブミン類、アルブミン類、ラクトフェリン類、ラクトフェリンペプチド類（例えば、ＬｆｃｉｎＢ）、ＴａｓＡおよびストレプトアビジンなどがある。
【０１５５】
病原体から植物を保護するタンパク質もしくはペプチドは、殺虫活性、殺蠕虫活性を有する、昆虫または青虫捕食を抑制する、またはそれらの組み合わせを有するタンパク質またはペプチドであることもできる。例えば、病原体から植物を保護するタンパク質もしくはペプチドは、殺虫性細菌毒素（例えば、ＶＩＰ殺虫性タンパク質）、内毒素、Ｃｒｙ毒素（例えば、バチルス・ツリンギエンシス（Ｂａｃｉｌｌｕｓ  ｔｈｕｒｉｎｇｉｅｎｓｉｓ）からのＣｒｙ毒素）、プロテアーゼ阻害剤タンパク質またはペプチド（例えば、トリプシン阻害剤またはアローヘッド（ａｒｒｏｗｈｅａｄ）プロテアーゼ阻害剤）、システインプロテアーゼ、またはキチナーゼを含むことができる。Ｃｒｙ毒素がバチルス・ツリンギエンシス（Ｂａｃｉｌｌｕｓ  ｔｈｕｒｉｎｇｉｅｎｓｉｓ）からのＣｒｙ毒素である場合、そのＣｒｙ毒素はＣｒｙ５Ｂタンパク質またはＣｒｙ２１Ａタンパク質であることができる。Ｃｒｙ５ＢおよびＣｒｙ２１Ａは、殺虫および殺線虫の両方の活性を有する。
【０１５６】
病原体から植物を保護するタンパク質は、酵素を含むことができる。好適な酵素には、プロテアーゼ類およびラクトナーゼ類などがある。そのプロテアーゼ類およびラクトナーゼ類は、細菌シグナル伝達分子（例えば、細菌ラクトンホモセリンシグナル伝達分子）に特異的であることができる。
【０１５７】
その酵素がラクトナーゼである場合、そのラクトナーゼは、１，４−ラクトナーゼ、２−ピロン−４，６−ジカルボキシレートラクトナーゼ、３−オキソアジペートエノール−ラクトナーゼ、アクチノマイシンラクトナーゼ、デオキシリモネートＡ環−ラクトナーゼ、グルコノラクトナーゼＬ−ラムノノ−１，４−ラクトナーゼ、リモニン−Ｄ環−ラクトナーゼ、ステロイド−ラクトナーゼ、トリアセテート−ラクトナーゼ、またはキシロノ−１，４−ラクトナーゼを含むことができる。
【０１５８】
その酵素は、細菌または真菌の細胞成分に特異的な酵素であることもできる。例えば、その酵素は、β−１，３−グルカナーゼ、β−１，４−グルカナーゼ、β−１，６−グルカナーゼ、キトシナーゼ（ｃｈｉｔｏｓｉｎａｓｅ）、キチナーゼ、キトシナーゼ（ｃｈｉｔｏｓｉｎａｓｅ）様酵素、リチカーゼ、ペプチダーゼ、プロテイナーゼ、プロテアーゼ（例えば、アルカリプロテアーゼ、酸プロテアーゼ、または中性プロテアーゼ）、ムタノリシン、スタホリシン（ｓｔａｐｈｏｌｙｓｉｎ）、またはリゾチームを含むことができる。
【０１５９】
植物におけるストレス抵抗性を高めるタンパク質およびペプチド
前記融合タンパク質は、標的配列、外膜タンパク質、または外膜タンパク質断片および少なくとも一つの植物におけるストレス抵抗性を高めるタンパク質もしくはペプチドを含むことができる。
【０１６０】
例えば、前記植物におけるストレス抵抗性を高めるタンパク質もしくはペプチドは、ストレス関連化合物を分解する酵素を含む。ストレス関連化合物には、アミノシクロプロパン−１−カルボン酸（ＡＣＣ）、反応性酸素種、一酸化窒素、オキシリピン類およびフェノール類などがあるが、それらに限定されるものではない。具体的な反応性酸素種には、ヒドロキシル、過酸化水素、酸素、およびスーパーオキシドなどがある。ストレス関連化合物を分解する酵素は、スーパーオキシドジスムターゼ、オキシダーゼ、カタラーゼ、アミノシクロプロパン−１−カルボン酸デアミナーゼ、ペルオキシダーゼ、抗酸化酵素、または抗酸化ペプチドを含むことができる。
【０１６１】
植物におけるストレス抵抗性を高めるタンパク質もしくはペプチドは、植物を環境ストレスから保護するタンパク質またはペプチドも含むことができる。環境ストレスは、例えば、干魃、洪水、熱、凍結、塩、重金属、低ｐＨ、高ｐＨまたはそれらの組み合わせを含むことができる。例えば、植物を環境ストレスから保護するタンパク質またはペプチドは、氷核形成タンパク質、プロリナーゼ、フェニルアラニンアンモニアリアーゼ、イソコリスミ酸シンターゼ、イソコリスミ酸ピルビン酸リアーゼ、またはコリンデヒドロゲナーゼを含むことができる。
【０１６２】
植物結合タンパク質およびペプチド
前記融合タンパク質は、標的配列、外膜タンパク質、または外膜タンパク質断片および少なくとも植物結合性タンパク質もしくはペプチドを含むことができる。その植物結合性タンパク質もしくはペプチドは、植物のいずれかの部分（例えば、植物根または植物の地上部分、例えば葉、茎、花、または果実）または植物体に特異的もしくは非特異的に結合する能力を有するタンパク質またはペプチドであることができる。従って、例えば、前記植物結合性タンパク質もしくはペプチドは、根結合性タンパク質もしくはペプチド、または葉結合性タンパク質もしくはペプチドであることができる。
【０１６３】
好適な植物結合性タンパク質およびペプチドには、アドヘシン類（例えば、リガデシン（ｒｈｉｃａｄｈｅｓｉｎ））、フラゲリン類、オムプチン類、レクチン類、エクスパンシン類、バイオフィルム構造タンパク質（例えば、ＴａｓＡまたはＹｕａＢ）繊毛タンパク質、カールス（ｃｕｒｌｕｓ）タンパク質、インチミン類、インベーシン類、アグルチニン類、およびアフィムブリアル（ａｆｉｍｂｒｉａｌ）タンパク質などがある。
【０１６４】
融合タンパク質を発現する組換えバチルス
本明細書に記載の融合タンパク質は、組換え外膜産生性バチルス細胞によって発現することができる。融合タンパク質は、上記で記載の融合タンパク質のいずれかであることができる。
【０１６５】
組換え外膜産生性バチルス細胞は、２以上の上記の融合タンパク質のいずれかを共発現することができる。例えば、組換え外膜産生性バチルス細胞は、植物成長刺激タンパク質もしくはペプチドを含む少なくとも一つの融合タンパク質、病原体から植物を保護するタンパク質もしくはペプチドを含む少なくとも一つの融合タンパク質、または少なくとも一つの植物におけるストレス抵抗性を高めるタンパク質もしくはペプチドとともに、植物結合性タンパク質もしくはペプチドを含む少なくとも一つの融合タンパク質を共発現することができる。
【０１６６】
組換え外膜産生性バチルス細胞は、バチルス・アントラシス（Ｂａｃｉｌｌｕｓ  ａｎｔｈｒａｃｉｓ）、バチルス・セレウス（Ｂａｃｉｌｌｕｓ  ｃｅｒｅｕｓ）、バチルス・ツリンギエンシス（Ｂａｃｉｌｌｕｓ  ｔｈｕｒｉｎｇｉｅｎｓｉｓ）、バチルス・ミコイデス（Ｂａｃｉｌｌｕｓ  ｍｙｃｏｉｄｅｓ）、バチルス・シュードミコイデス（Ｂａｃｉｌｌｕｓ  ｐｓｅｕｄｏｍｙｃｏｉｄｅｓ）、バチルス・サマニイ（Ｂａｃｉｌｌｕｓ  ｓａｍａｎｉｉ）、バチルス・ガエモケンシス（Ｂａｃｉｌｌｕｓ  ｇａｅｍｏｋｅｎｓｉｓ）、バチルス・ウェイヘンステフェンシス（Ｂａｃｉｌｌｕｓ  ｗｅｉｈｅｎｓｔｅｐｈｅｎｓｉｓ）、バチルス・トヨイエンシスウェイヘンステフェンシス（Ｂａｃｉｌｌｕｓ  ｔｏｙｏｉｅｎｓｉｓ）またはそれらの組み合わせを含むことができる。例えば、組換え外膜産生性バチルス細胞は、バチルス・セレウス（Ｂａｃｉｌｌｕｓ  ｃｅｒｅｕｓ）、バチルス・ツリンギエンシス（Ｂａｃｉｌｌｕｓ  ｔｈｕｒｉｎｇｉｅｎｓｉｓ）、バチルス・シュードミコイデス（Ｂａｃｉｌｌｕｓ  ｐｓｅｕｄｏｍｙｃｏｉｄｅｓ）、またはバチルス・ミコイデス（Ｂａｃｉｌｌｕｓ  ｍｙｃｏｉｄｅｓ）を含むことができる。特に、組換え外膜産生性バチルス細胞は、バチルス・ツリンギエンシス（Ｂａｃｉｌｌｕｓ  ｔｈｕｒｉｎｇｉｅｎｓｉｓ）またはバチルス・ミコイデス（Ｂａｃｉｌｌｕｓ  ｍｙｃｏｉｄｅｓ）を含むことができる。
【０１６７】
融合タンパク質を発現する組換え外膜産生性バチルス細胞を発生させるため、バチルス・セレウス（Ｂａｃｉｌｌｕｓ  ｃｅｒｅｕｓ）科構成員を、当業界で公知の標準的方法（例えば、エレクトロポレーションによって）を用いて融合タンパク質をコードするベクターで複合化、形質導入または形質転換することができる。次に、当該細菌をスクリーニングして、当業者に公知の方法によって形質転換体を識別することができる。例えば、ベクターが抗生物質抵抗性遺伝子を含む場合、細菌を抗生物質抵抗性についてスクリーニングすることができる。あるいは、その融合タンパク質をコードするＤＮＡを、Ｂ．セレウス（Ｂ．  ｃｅｒｅｕｓ）科構成員宿主の染色体ＤＮＡに組み込むことができる。次に、組換え外膜産生性バチルス細胞を、胞子形成を誘発する条件に曝露することができる。胞子形成を誘発するのに好適な条件は当業界で公知である。例えば、組換え外膜産生性バチルス細胞を寒天プレートに蒔き、約３０℃の温度で数日間（例えば３日間）インキュベートすることができる。
【０１６８】
上記属種のいずれかの不活性化株、無毒性株または遺伝子組み換えが行われた株も好適に用いることができる。例えば、Ｃｒｙ毒素を欠損しているバチルス・ツリンギエンシス（Ｂａｃｉｌｌｕｓ  ｔｈｕｒｉｎｇｉｅｎｓｉｓ）を用いることができる。あるいはまたはさらに、融合タンパク質を発現する組換えＢ．セレウス（Ｂ．  ｃｅｒｅｕｓ）科胞子が発生すると、それらを不活性化して、以前に使われたさらなる発芽を防止することができる。当業界で公知の細菌胞子を不活性化するいかなる方法も用いることができる。好適な方法には、熱処理、γ線照射、Ｘ線照射、ＵＶ−Ａ照射、ＵＶ−Ｂ照射、化学的処理（例えば、グルタルアルデヒド、ホルムアルデヒド、過酸化水素、酢酸、漂白剤またはこれらのいずれかの組み合わせによる処理）などがあるが、これらに限定されるものではない。あるいは、毒素非産生株、または遺伝的もしくは物理的不活性化株由来の胞子を用いることができる。
【０１６９】
植物成長促進効果および／または他の有益な特質を有する組換え外膜産生性バチルス細胞
多くのバチルス・セレウス（Ｂａｃｉｌｌｕｓ  ｃｅｒｅｕｓ）科構成員株が。固有の有益な特質を有する。例えば、一部の株は、植物成長促進効果を有する。本明細書に記載の融合タンパク質のいずれも、そのような株で発現させることができる。
【０１７０】
例えば、組換え外膜産生性バチルス細胞は、植物成長促進性細菌株を含むことができる。
【０１７１】
植物成長促進性細菌株は、を含むことができる。殺虫性毒素（例えば、Ｃｒｙ毒素）を産生する細菌株は、殺真菌性化合物（例えば、β−１，３−グルカナーゼ、キトシナーゼ（ｃｈｉｔｏｓｉｎａｓｅ）、リチカーゼ、またはそれらの組み合わせ）を産生し、殺線虫化合物（例えば、Ｃｒｙ毒素）を産生し、殺細菌性化合物を産生し、１以上の抗生物質に対して抵抗性であり、１以上の自由に複製するプラスミドを含み、植物根に結合し、植物根にコロニー形成し、バイオフィルムを形成し、栄養素を可溶化し、有機酸を分泌し、またはこれらのいずれかの組み合わせを行う。
【０１７２】
例えば、組換え外膜産生性バチルス細胞が植物成長促進性細菌株を含む場合、植物成長促進性細菌株は、バチルス・ミコイデス（Ｂａｃｉｌｌｕｓ  ｍｙｃｏｉｄｅｓ）ＢＴ１５５（ＮＲＲＬ番号Ｂ−５０９２１）、バチルス・ミコイデス（Ｂａｃｉｌｌｕｓ  ｍｙｃｏｉｄｅｓ）ＥＥ１１８（ＮＲＲＬ番号Ｂ−５０９１８）、バチルス・ミコイデス（Ｂａｃｉｌｌｕｓ  ｍｙｃｏｉｄｅｓ）ＥＥ１４１（ＮＲＲＬ番号Ｂ−５０９１６）、バチルス・ミコイデス（Ｂａｃｉｌｌｕｓ  ｍｙｃｏｉｄｅｓ）ＢＴ４６−３（ＮＲＲＬ番号Ｂ−５０９２２）、バチルス・セレウス（Ｂａｃｉｌｌｕｓ  ｃｅｒｅｕｓ）科構成員ＥＥ１２８（ＮＲＲＬ番号Ｂ−５０９１７）、バチルス・ツリンギエンシス（Ｂａｃｉｌｌｕｓ  ｔｈｕｒｉｎｇｉｅｎｓｉｓ）ＢＴ０１３Ａ（ＮＲＲＬ番号Ｂ−５０９２４）、またはバチルス・セレウス（Ｂａｃｉｌｌｕｓ  ｃｅｒｅｕｓ）科構成員ＥＥ３４９（ＮＲＲＬ番号Ｂ−５０９２８）を含むことができる。バチルス・ツリンギエンシス（Ｂａｃｉｌｌｕｓ  ｔｈｕｒｉｎｇｉｅｎｓｉｓ）ＢＴ０１３Ａは、バチルス・ツリンギエンシス（Ｂａｃｉｌｌｕｓ  ｔｈｕｒｉｎｇｉｅｎｓｉｓ）４Ｑ７としても知られる。これらの各株は、米国農務省（ＵＳＤＡ）農業調査局（ＡＲＳ）（住所１８１５  Ｎｏｒｔｈ  Ｕｎｉｖｅｒｓｉｔｙ  Ｓｔｒｅｅｔ，  Ｐｅｏｒｉａ，  Ｉｌｌｉｎｏｉｓ  ６１６０４，  Ｕ．Ｓ．Ａ．）に２０１４年３月１０日付けで寄託されており、括弧内に提供されるＮＲＲＬ寄託番号によって識別される。
【０１７３】
これらの植物成長促進性株は、各種の元気の良い植物の根圏から単離されており、それらの１６Ｓ  ｒＲＮＡ配列により、そして生化学的アッセイによって同定されている。その株は、従来の生化学的および形態学的指標によって、少なくともそれらの属名に特定されている。バチルスなどの確認されたグラム陽性株についての生化学的アッセイには、ＰＥＡ培地および栄養寒天での増殖、顕微鏡検査、５％および７．５％ＮａＣｌ培地での増殖、ｐＨ５およびｐＨ９での増殖、４２℃および５０℃での増殖、セロビオース、乳糖、グリセロール、グルコース、ショ糖、ｄ−マンニトールおよびデンプンとの発酵での酸を産生する能力；蛍光顔料産生；ゼラチン加水分解；硝酸還元；カタラーゼ産生、デンプン加水分解；オキシダーゼ反応、ウレアーゼ産生および運動性が含まれていた。
【０１７４】
例えば、植物成長促進性細菌株を含む組換え外膜産生性バチルス細胞は、バチルス・ミコイデス（Ｂａｃｉｌｌｕｓ  ｍｙｃｏｉｄｅｓ）ＢＴ１５５、バチルス・ミコイデス（Ｂａｃｉｌｌｕｓ  ｍｙｃｏｉｄｅｓ）ＥＥ１４１、またはバチルス・ツリンギエンシス（Ｂａｃｉｌｌｕｓ  ｔｈｕｒｉｎｇｉｅｎｓｉｓ）ＢＴ０１３Ａを含むことができる。組換え外膜産生性バチルス細胞は、本明細書に記載の融合タンパク質のいずれか、例えば配列番号６０の標的配列および非ホルモンペプチドを含む融合タンパク質（例えば、クニツ（ｋｕｎｉｔｚ）トリプシン阻害剤（ＫＴＩ））、植物成長刺激性化合物の産生もしくは活性化に関与する酵素（例えば、キトシナーゼ（ｃｈｉｔｏｓｉｎａｓｅ））、植物結合性タンパク質もしくはペプチド（例えば、ＴａｓＡ）；病原体から植物を保護するタンパク質もしくはペプチド（例えば、ＴａｓＡ）、または細菌、真菌もしくは植物の栄養源を分解もしくは改変する酵素（例えば、ホスファターゼ、例えばＰｈｏＡまたはフィターゼ、またはエンドグルカナーゼ）を発現することができる。
【０１７５】
プロモーター
本明細書に記載の組換え外膜産生性バチルス細胞のいずれにおいても、前記融合タンパク質は、標的配列、外膜タンパク質、または融合タンパク質の外膜タンパク質断片由来のプロモーターの制御下に発現することができる。例えば、融合タンパク質がＢ．アントラシス（Ｂ．  ａｎｔｈｒａｃｉｓ）スターン（Ｓｔｅｒｎｅ）ＢｃｌＡ（例えば、配列番号１のアミノ酸２０から３５、配列番号１のアミノ酸１から３５、配列番号１、または配列番号６０）由来の標的配列を含み、または融合タンパク質が全長ＢｃｌＡ（配列番号２）また全長ＢｃｌＡの断片（例えば、配列番号５９）を含む場合、融合タンパク質はＢ．アントラシス（Ｂ．  ａｎｔｈｒａｃｉｓ）スターン（Ｓｔｅｒｎｅ）（例えば、配列番号８５のプロモーター）のゲノム中のＢｃｌＡ遺伝子と通常関連しているプロモーターの制御下に発現することができる。
【０１７６】
あるいは、前記融合タンパク質は、高発現胞子形成プロモーターの制御下に発現させることができる。一部の場合で、前記標的配列、外膜タンパク質、または外膜タンパク質断片由来のプロモーターは、高発現胞子形成プロモーターであろう。他の場合、前記標的配列、外膜タンパク質、または外膜タンパク質断片由来のプロモーターは、高発現胞子形成プロモーターではないであろう。後者の場合、天然プロモーターに代えて高発現胞子形成プロモーターを用いることが有利である可能性がある。高発現胞子形成プロモーターの制御下での融合タンパク質の発現によって、バチルス・セレウス（Ｂａｃｉｌｌｕｓ  ｃｅｒｅｕｓ）科構成員の外膜上での融合タンパク質の発現が増加する。
【０１７７】
高発現胞子形成プロモーターは、１以上のσ−Ｋ胞子形成特異的ポリメラーゼプロモーター配列を含むことができる。
【０１７８】
バチルス・セレウス（Ｂａｃｉｌｌｕｓ  ｃｅｒｅｕｓ）科構成員において融合タンパク質を発現させるのに使用される好適な高発現胞子形成プロモーターには、下記の表２に挙げたものなどがある。
【表２】
2017530966.tif 000010
2017530966.tif 000011
2017530966.tif 000012
2017530966.tif 000013
【０１７９】
上記表２に挙げたプロモーター配列において、σ−Ｋ胞子形成特異的ポリメラーゼプロモーター配列の位置が、太字で下線を施した文字列によって示されている。Ｃｒｙ１Ａプロモーター（Ｂ．ツリンギエンシス（Ｂ．  ｔｈｕｒｉｎｇｉｅｎｓｉｓ）ＨＤ−７３；配列番号９０）は、合計４個のσ−Ｋ配列を有し、そのうちの２個が、表２で二重下線によって示したように、互いに重複している。
【０１８０】
バチルス・セレウス（Ｂａｃｉｌｌｕｓ  ｃｅｒｅｕｓ）科構成員において前記融合タンパク質を発現するのに使用される好ましい高発現胞子形成プロモーターには、ＢｅｔＡプロモーター（Ｂ．アントラシス（Ｂ．  ａｎｔｈｒａｃｉｓ）スターン（Ｓｔｅｒｎｅ）；配列番号８６）、ＢｃｌＡプロモーター（Ｂ．アントラシス（Ｂ．  ａｎｔｈｒａｃｉｓ）スターン（Ｓｔｅｒｎｅ）；配列番号８５）、ＢｃｌＡクラスターグリコシルトランスフェラーゼオペロン１および２プロモーター（Ｂ．アントラシス（Ｂ．  ａｎｔｈｒａｃｉｓ）スターン（Ｓｔｅｒｎｅ）；配列番号１０１および１０２）、およびＹＶＴＮβ−プロペラタンパク質プロモーター（Ｂ．ウェイヘンステフェンシス（Ｂ．  ｗｅｉｈｅｎｓｔｅｐｈｅｎｓｉｓ)ＫＢＡＢ４；配列番号８９）などがある。
【０１８１】
本明細書に記載の外膜産生性バチルス細胞のいずれにおいても、前記融合タンパク質は、配列番号８５から１０３のいずれか一つの核酸配列と少なくとも８０％、少なくとも９０％、少なくとも９５％、少なくとも９８％、少なくとも９９％、または１００％同一性を有する核酸配列を含む胞子形成プロモーターの制御下に発現させることができる。
【０１８２】
胞子形成プロモーターが配列番号８５から１０３のいずれか一つの核酸配列と少なくとも８０％、少なくとも９０％、少なくとも９５％、少なくとも９８％、または少なくとも９９％同一性を有する核酸配列を含む場合、σ−Ｋ胞子形成特異的ポリメラーゼプロモーター配列または複数配列は好ましくは、配列番号８５、８６、８７、８８、８９、９０、９１、９２、９３、９４、９５、９６、９７、９８、９９、１００、１０１、１０２、または１０３の相当するヌクレオチドと１００％同一性を有する。例えば、上記表２に示したように、Ｂ．アントラシス（Ｂ．  ａｎｔｈｒａｃｉｓ）スターン（Ｓｔｅｒｎｅ）のＢｃｌＡプロモーター（配列番号８５）は、ヌクレオチド２４から３２、３５から４３、および１２９から１３７でσ−Ｋ胞子形成特異的ポリメラーゼプロモーター配列を有する。従って、胞子形成プロモーターが配列番号８５の核酸配列と少なくとも９０％同一性を有する配列を含む場合、配列番号８５のヌクレオチド２４から３２、３５から４３、および１２９から１３７に相当する胞子形成プロモーターのヌクレオチドが配列番号８５のヌクレオチド２４から３２、３５から４３、および１２９から１３７と１００％同一性を有することが好ましい。
【０１８３】
本明細書に記載の植物成長刺激方法のいずれにおいても、組換え外膜産生性バチルス細胞および本明細書に開示の特定の殺虫剤から選択される少なくとも一つの殺虫剤を含む植物成長培地で成長する植物は、組換え外膜産生性バチルス細胞を含まない同一の植物成長培地での植物の成長と比較して高い成長を示す。
【０１８４】
植物成長を刺激する本発明に記載の組成物および方法のいずれにおいても、組換え外膜産生性バチルス細胞は、上記細菌の組換え植物成長促進性株のいずれかを含むことができる。
【０１８５】
本明細書に開示の植物成長を刺激する組成物または方法のいずれにおいても、前記融合タンパク質は、上記プロモーターのいずれかの制御下に発現させることができる。
【０１８６】
殺虫剤
「殺虫剤」ならびに「殺虫」という用語は、物質が昆虫の死亡率を高めたり、昆虫の成長速度を阻害する能力を指す。本明細書で使用される場合、「昆虫」という用語は、「昆虫」綱における全ての生物を含む。「成虫前」昆虫という用語は、成虫段階前の生物の形態を指し、例えば卵、幼虫および若虫などである。本明細書で使用される場合、「殺虫剤」および「殺虫性」と言う用語は、「殺線虫剤」および「殺線虫性」および「殺ダニ剤」および「殺ダニ性」も包含する。
【０１８７】
「殺線虫剤」および「殺線虫性」は、物質が線虫の死亡率を高めたり、線虫の成長速度を阻害する能力を指す。概して、「線虫」という用語は、その生物の卵、幼虫、若虫および成体を含む。
【０１８８】
「殺ダニ剤」および「殺ダニ性」は、蛛形綱、ダニ亜綱に属する外寄生生物の死亡率を高めたり、その成長速度を阻害する能力を指す。
【０１８９】
一般名によって本明細書で特定される有効成分が知られており、例えば農薬ハンドブック（″Ｔｈｅ  Ｐｅｓｔｉｃｉｄｅ  Ｍａｎｕａｌ，″  １６ｔｈ  Ｅｄ．、Ｂｒｉｔｉｓｈ  Ｃｒｏｐ  Ｐｒｏｔｅｃｔｉｏｎ  Ｃｏｕｎｃｉｌ  ２０１２）に記載されているか、インターネットにある（例えば：ｈｔｔｐ：／／ｗｗｗ．ａｌａｎｗｏｏｄ．ｎｅｔ／ｐｅｓｔｉｃｉｄｅｓ）。
【０１９０】
一部の実施形態において、前記殺虫剤は、アセタミプリド、アルジカルブ、アミトラズ、β−シフルトリン、カルバリル、クロチアニジン、シフルトリン、シペルメトリン、デルタメトリン、エンドスルファン、エチオン、エチプロル、エトプロホス、フェナミホス、フェノブカルブ、フェンチオン、フィプロニル、フルベンジアミド、フルオピラム、フルピラジフロン、ホルメタナート、ヘプタノホス（ｈｅｐｔａｎｏｐｈｏｓ）、イミダクロプリド、メタミドホス、メチオカルブ、メトミル、ニクロサミド、オキシデメトン−メチル、ホサロン、シラフルオフェン、スピロジクロフェン、スピロメシフェン、スピロテトラマト、チアクロプリド、チオジカルブ、トラロメトリン、トリアゾホス、トリフルムロン、バミドチオン、１−｛２−フルオロ−４−メチル−５−［（Ｒ）−（２，２，２−トリフルオロエチル）スルフィニル］フェニル｝−３−（トリフルオロメチル）−１Ｈ−１，２，４−トリアゾール−５−アミン、１−（３−クロロピリジン−２−イル）−Ｎ−［４−シアノ−２−メチル−６−（メチルカルバモイル）フェニル］−３−｛［５−（トリフルオロメチル）−２Ｈ−テトラゾール−２−イル］メチル｝−１Ｈ−ピラゾール−５−カルボキサミドおよび３種類のテルペン類α−テルピネン、ｐ−シメンおよびリモネンを含む農薬テルペン混合物、および適宜に少量テルペン成分、例えばＲＥＱＵＩＥＭ（登録商標）として販売されている３種類のテルペン類、すなわちα−テルピネン、ｐ−シメンおよびリモネンの混合物を含む摸擬天然農薬からなる群から選択される。
【０１９１】
本発明の好ましい実施形態によれば、前記殺虫剤は、クロチアニジン、シペルメトリン、エチプロル、フィプロニル、フルオピラム、フルピラジフロン、イミダクロプリド、メチオカルブ、およびチオジカルブからなる群から選択される。
【０１９２】
本発明による組成物
本発明によれば、前記組成物は、相乗的に有効な量で、ａ）（ｉ）植物成長刺激性化合物の産生もしくは活性化に関与する酵素；細菌、真菌もしくは植物の栄養源を分解もしくは改変する酵素；および病原体から植物を保護するタンパク質もしくはペプチドからなる群から選択される少なくとも一つの植物成長刺激タンパク質もしくはペプチド；および（ｉｉ）融合タンパク質をバチルス細胞の外膜に局在化させる標的配列を含む融合タンパク質を発現する組換え外膜産生性バチルス細胞；およびｂ）本明細書に開示の少なくとも一つの特定の殺虫剤を含む。
【０１９３】
本発明による「相乗的に有効量」は、融合タンパク質を発現する組換え外膜産生性バチルス細胞や殺虫剤単独の場合と比較して、昆虫、ダニ、線虫および／または植物病原体に対して効果が高い、融合タンパク質を発現する組換え外膜産生性バチルス細胞と少なくとも一つの本明細書に記載の殺虫剤の組み合わせの量を表す。本発明による「相乗的に有効量」はまた、融合タンパク質を発現する組換え外膜産生性バチルス細胞や殺虫剤単独の場合と比較して、植物成長促進および／または植物の健康増進に効果が高い、融合タンパク質を発現する組換え外膜産生性バチルス細胞と少なくとも一つの本明細書に開示の特定の殺虫剤の組み合わせの量を表す。
【０１９４】
本発明は、本明細書で開示の特定の殺虫剤それぞれと組換え外膜産生性バチルス細胞との各および全ての組み合わせを含む。
【０１９５】
非常に好ましい実施形態において、本発明は、相乗的に有効な量でａ）（ｉ）植物成長刺激性化合物の産生もしくは活性化に関与する酵素；細菌、真菌もしくは植物の栄養源を分解もしくは改変する酵素；および病原体もしくは有害生物から植物を保護するタンパク質もしくはペプチドからなる群から選択される少なくとも一つの植物成長刺激性タンパク質もしくはペプチド；および（ｉｉ）融合タンパク質をバチルス細胞の外膜に局在させる標的配列を含む融合タンパク質を発現する組換え外膜産生性バチルス細胞；およびｂ）少なくとも一つの本明細書に開示の特定の殺虫剤を含む組成物に関するものであり、前記少なくとも一つの殺虫剤は、相乗的に有効な量でのアセタミプリド、アルジカルブ、アミトラズ、β−シフルトリン、カルバリル、クロチアニジン、シフルトリン、シペルメトリン、デルタメトリン、エンドスルファン、エチオン、エチプロル、エトプロホス、フェナミホス、フェノブカルブ、フェンチオン、フィプロニル、フルベンジアミド、フルオピラム、フルピラジフロン、ホルメタナート、ヘプタノホス（ｈｅｐｔａｎｏｐｈｏｓ）、イミダクロプリド、メタミドホス、メチオカルブ、メトミル、ニクロサミド、オキシデメトン−メチル、ホサロン、シラフルオフェン、スピロジクロフェン、スピロメシフェン、スピロテトラマト、チアクロプリド、チオジカルブ、トラロメトリン、トリアゾホス、トリフルムロン、バミドチオン、１−｛２−フルオロ−４−メチル−５−［（Ｒ）−（２，２，２−トリフルオロエチル）スルフィニル］フェニル｝−３−（トリフルオロメチル）−１Ｈ−１，２，４−トリアゾール−５−アミン、および１−（３−クロロピリジン−２−イル）−Ｎ−［４−シアノ−２−メチル−６−（メチルカルバモイル）フェニル］−３−｛［５−（トリフルオロメチル）−２Ｈ−テトラゾール−２−イル］メチル｝−１Ｈ−ピラゾール−５−カルボキサミドからなる群から選択される。
【０１９６】
好ましい実施形態において、本発明による組成物はさらに、少なくとも一つの殺菌剤を含む。
【０１９７】
概して、「殺真菌性」は、物質が真菌の死亡率を高めたり、真菌の成長速度を阻害する能力を意味する。「真菌」または「真菌（複数）」という用語は、非常に多様なクロロフィルを持たない有核胞子を有する生物を含む。真菌の例には、酵母類、カビ類、白かび類、さび菌類およびキノコ類などがある。
【０１９８】
さらなる添加剤
本発明の１態様は、増量剤、溶媒、自発性促進剤、担体、乳化剤、分散剤、凍結保護剤、増粘剤およびアジュバントからなる群から選択される少なくとも一つの補助剤をさらに含む上記の組成物を提供することにある。それらの組成物は、製剤と称される。
【０１９９】
従って、本発明の１態様において、そのような製剤およびそれから調製される施用形態が、本発明の組成物を含む水薬、滴剤および噴霧液などの作物保護剤および／または農薬として提供される。その施用形態は、さらなる作物保護剤および／または農薬、および／または浸透剤、例としては、例えば菜種油、ヒマワリ油などの植物油、例えば液体パラフィンなどの鉱油、菜種油もしくは大豆油メチルエステルもしくはアルカノールアルコキシレートなどの植物脂肪酸のアルキルエステル類などの活性促進補助剤、および／または例えばアルキルシロキサン類および／または塩などの展着剤、例としては有機もしくは無機アンモニウムもしくはホスホニウム塩、例としては硫酸アンモニウムもしくはリン酸水素ジアンモニウム、および／またはスルホコハク酸ジオクチルもしくはヒドロキシプロピルグアーポリマー類などの保持促進剤および／またはグリセロールなどの保湿剤および／または例えばアンモニウム系、カリウム系もしくはリン系肥料などの肥料を含むことができる。
【０２００】
代表的な製剤の例には、水溶性液（ＳＬ）、乳剤（ＥＣ）、水系乳濁液（ＥＷ）、フロアブル剤（ＳＣ、ＳＥ、ＦＳ、ＯＤ）、水分散性粒剤（ＷＧ）、粒剤（ＧＲ）およびカプセル濃厚剤（ＣＳ）であり、これらおよび他の可能な種類の製剤は、例えばＦＡＯ／ＷＨＯ  Ｊｏｉｎｔ  Ｍｅｅｔｉｎｇ  ｏｎ  Ｐｅｓｔｉｃｉｄｅ  Ｓｐｅｃｉｆｉｃａｔｉｏｎｓ，  ２００４，  ＩＳＢＮ：９２５１０４８５７６作製のＣｒｏｐ  Ｌｉｆｅ  Ｉｎｔｅｒｎａｔｉｏｎａｌ  ａｎｄ  ｉｎ  Ｐｅｓｔｉｃｉｄｅ  Ｓｐｅｃｉｆｉｃａｔｉｏｎｓ，  Ｍａｎｕａｌ  ｏｎ  Ｄｅｖｅｌｏｐｍｅｎｔ  ａｎｄ  Ｕｓｅ  ｏｆ  ＦＡＯ  ａｎｄ  ＷＨＯ  Ｓｐｅｃｉｆｉｃａｔｉｏｎｓ  ｆｏｒ  Ｐｅｓｔｉｃｉｄｅｓ，  ＦＡＯ  Ｐｌａｎｔ  Ｐｒｏｄｕｃｔｉｏｎ  ａｎｄ  Ｐｒｏｔｅｃｔｉｏｎ  Ｐａｐｅｒｓ−１７３によって記載されている。製剤は、１以上の本発明の活性化合物以外の農薬活性化合物を含んでいても良い。
【０２０１】
対象の製剤もしくは施用形態は好ましくは、補助剤、例えば増量剤、溶媒、自発性促進剤、担体、乳化剤、分散剤、凍結防止剤、殺生物剤、増粘剤および／または他の補助剤、例えばアジュバントを含む。この文脈でのアジュバントは、製剤の生理効果を高める成分であり、その成分自体は生理効果を持たない。アジュバントの例は、葉表面への保持、展着、付着または浸透を促進する薬剤である。
【０２０２】
これらの製剤は、公知の方法で、例えば補助剤、例えば増量剤、溶媒および／または固体担体および／またはさらなる補助剤、例えば界面活性剤と活性化合物を混合することで製造される。製剤は、好適な工場で、または施用前もしくは施用時に調製する。
【０２０３】
補助剤としての使用に好適なものは、活性化合物の製剤、またはその製剤から調製される施用形態（例えば、噴霧液または種子粉衣剤などの使用可能な作物保護剤）にある種の物理的および／または生物学的特性などの特定の特性を付与する上で好適な物質であることができる。
【０２０４】
好適な増量剤は、例えば水、極性および非極性有機化学液体、例えば芳香族および非芳香族炭化水素（パラフィン類、アルキルベンゼン類、アルキルナフタレン類、クロロベンゼン類など）、アルコール類および多価アルコール類（適切な場合には、置換、エーテル化および／またはエステル化されていても良い）、ケトン類（アセトン、シクロヘキサノンなど）、エステル類（脂肪およびオイル類など）および（ポリ）エーテル類、置換されていないおよび置換されているアミン類、アミド類、ラクタム類（Ｎ−アルキルピロリドン類など）およびラクトン類、スルホン類およびスルホキシド（ジメチルスルホキシドなど）の種類からのものである。
【０２０５】
使用される増量剤が水である場合、補助溶媒として例えば有機溶媒を用いることも可能である。実質的に、好適な液体溶媒は、トルエン、トルエンまたはアルキルナフタレン類などの芳香族類、クロロベンゼン類、クロロエチレン類または塩化メチレンなどの塩素化芳香族類および塩素化脂肪族炭化水素類、シクロヘキサンまたはパラフィン類などの脂肪族炭化水素類、例えば石油留分、鉱油および植物油、ブタノールまたはグリコールなどのアルコール類およびそれらのエーテル類およびエステル類、アセトン、メチルエチルケトン、メチルイソブチルケトンまたはシクロヘキサノンなどのケトン類、ジメチルホルムアミドおよびジメチルスルホキシドなどの強極性溶媒、および水である。
【０２０６】
基本的に、全ての好適な溶媒を用いることが可能である。好適な溶媒は、例えば、芳香族炭化水素、例えばキシレン、トルエンまたはアルキルナフタレン類、例えば塩素化芳香族もしくは脂肪族炭化水素、例えばクロロベンゼン、クロロエチレンまたはメチレンクロライド、例えば脂肪族炭化水素、例えばシクロヘキサン、例えばパラフィン類、石油留分、鉱油および植物油、アルコール類、例えばメタノール、エタノール、イソプロパノール、ブタノールまたはグリコール、例えばさらには、それらのエーテルおよびエステル、ケトン類、例えばアセトン、メチルエチルケトン、メチルイソブチルケトンまたはシクロヘキサノン、例えば強極性溶媒、例えばジメチルスルホキシド、そしてさらには水である。
【０２０７】
基本的に、全ての好適な担体を用いることができる。好適な担体には、特には、例えばアンモニウム塩およびカオリン類、クレー類、タルク、チョーク、石英、アタパルガイト、モンモリロナイトまたは珪藻土などの粉砕天然鉱物、および微粉砕シリカ、アルミナなどの粉砕合成鉱物ならびに天然もしくは合成ケイ酸塩、樹脂、ロウ類および／または固体肥料がある。そのような担体の混合物も同様に用いることができる。粒剤に好適な担体には、次のもの、例えば方解石、大理石、軽石、海泡石、白雲石などの粉砕および分別天然鉱物、そして無機および有機ミールの合成顆粒、そしておが屑、紙、ヤシ殻、トウモロコシ穂軸およびタバコ茎などの有機材料の顆粒などがある。
【０２０８】
液化ガス増量剤または溶媒も用いることができる。特に好適なものは、標準的な温度でおよび標準的な圧力下で気体である増量剤または担体であり、例としてはエアロゾル噴射剤、例えばハロゲン化炭化水素、さらにはブタン、プロパン、窒素および二酸化炭素がある。
【０２０９】
イオン特性またはノニオン特性を有する乳化剤および／または発泡剤、分散剤または湿展剤またはこれら界面活性物質の混合物の例には、ポリアクリル酸の塩、リグノスルホン酸の塩、フェノールスルホン酸またはナフタレンスルホン酸の塩、エチレンオキサイドと脂肪アルコールとのまたは脂肪酸とのまたは脂肪アミンとの、置換フェノール（好ましくはアルキルフェノール類またはアリールフェノール類）との重縮合物、スルホコハク酸エステルの塩、タウリン誘導体（好ましくは酒石酸アルキル類）、ポリエトキシル化アルコール類もしくはフェノール類のリン酸エステル類、多価アルコールの脂肪酸エステル類、および硫酸エステル類、スルホン酸エステル類およびリン酸エステル類を含む化合物の誘導体、例えばアルキルアリールポリグリコールエーテル類、アルキルスルホン酸エステル類、アルキル硫酸エステル類、アリールスルホン酸エステル類、タンパク質加水分解物、リグノサルファイト廃液およびメチルセルロースがある。界面活性物質の存在は、活性化合物のうちの一つおよび／または不活性担体のうちの一つが水に不溶であり、施用を水で行う場合に有利である。
【０２１０】
製剤およびそれから誘導される使用形態中に存在しても良いさらなる補助剤には、無機顔料、例えば酸化鉄、酸化チタン、プルシアンブルー、ならびにアリザリン染料、アゾ染料および金属フタロシアニン染料などの有機染料のような着色剤、ならびに栄養素および鉄、マンガン、ホウ素、銅、コバルト、モリブデンおよび亜鉛の塩などの微量栄養素を用いることができる。
【０２１１】
低温安定剤、保存剤、酸化防止剤、光安定剤、または化学的および／または物理的安定性を高める他の薬剤などの安定剤も存在することができる。さらに、発泡剤または消泡剤を存在させても良い。
【０２１２】
さらに、製剤およびそれから誘導される施用形態は、別の補助剤として、カルボキシメチルセルロースなどの粘着剤、粉末、顆粒またはラテックスの形態での天然および合成ポリマー、例えばアラビアガム、ポリビニルアルコール、ポリ酢酸ビニル、さらにはセファリン類およびレシチン類などの天然リン脂質、ならびに合成リン脂質を含むこともできる。さらなる可能な補助剤には、鉱油および植物油などがある。
【０２１３】
製剤およびそれから誘導される施用形態には、さらに別の補助剤が存在することが可能である。そのような添加剤の例には、香料、保護コロイド、結合、接着剤、増粘剤、チキソトロピー物質、浸透剤、保持促進剤、安定剤、金属イオン封鎖剤、錯化剤、保湿剤および展着剤などがある。概して、活性化合物は、製剤に一般に用いられる固体および液体添加剤と組み合わせることができる。
【０２１４】
好適な保持促進剤には、動的表面張力を低減する全ての物質、例えばスルホコハク酸ジオクチル、または粘弾性を高める全ての物質、例えばヒドロキシプロピルグアーポリマーなどがある。
【０２１５】
本発明の文脈で好適な浸透剤には、代表的には活性農薬化合物の植物への浸透を高めるのに用いられる全ての物質などがある。この文脈での浸透剤は、（通常は水系）施用液からおよび／または噴霧コーティングから、植物のクチクルに浸透することができ、それによってクチクルにおける活性化合物の移動性を高めることができるものと定義される。この特性は、文献（Ｂａｕｒ  ｅｔ  ａｌ．，  １９９７，  Ｐｅｓｔｉｃｉｄｅ  Ｓｃｉｅｎｃｅ  ５１，  １３１−１５２）に記載の方法を用いて確認することができる。例としては、ココナッツ脂肪エトキシレート（１０）またはイソトリデシルエトキシレート（１２）などのアルコールアルコキシレート類、脂肪酸エステル類、例えば菜種油もしくは大豆油メチルエステル、脂肪アミンアルコキシレート類、例えば獣脂アミンエトキシレート（１５）、またはアンモニウムおよび／またはホスホニウム塩、例えば硫酸アンモニウムまたはリン酸水素ジアンモニウムなどがある。
【０２１６】
その製剤は好ましくは、製剤の重量に基づいて０．０００１重量％から９８重量％の活性化合物、または特に好ましくは０．０１重量％から９５重量％の活性化合物、より好ましくは０．５重量％から９０重量％の活性化合物を含む。活性化合物の含有量は、組換え外膜産生性バチルス細胞ならびに少なくとも一つの本明細書に開示の特定の殺虫剤の合計として定義される。
【０２１７】
製剤から調製される施用形態（作物保護剤）の活性化合物含有量は、広い範囲内で変動させることができる。その施用形態の活性化合物濃度は代表的には、施用形態の重量に基づいて０．０００１重量％から９５重量％の活性化合物、好ましくは０．０００１重量％から１重量％とすることができる。施用は、その施用形態に適合させた一般的な方法で行う。
【０２１８】
さらに、本発明の１態様において、空間的に分離された配置で、組換え外膜産生性バチルス細胞および少なくとも一つの本明細書に開示の特定の殺虫剤を相乗的に有効な量で含むパーツのキットが提供される。
【０２１９】
本発明のさらに別の実施形態において、上記パーツのキットはさらに、少なくとも一つの別の殺菌剤および／または少なくとも一つの本明細書に開示の特定の殺虫剤を含む。その殺菌剤および／または殺虫剤は、パーツのキットの組換え外膜産生性バチルス細胞コンポーネントに、もしくは空間的に分離されたパーツのキットの殺虫剤コンポーネントに、またはこれらコンポーネントの両方に存在することができる。好ましくは、殺菌剤および／または殺虫剤は、組換え外膜産生性バチルス細胞コンポーネントに存在する。
【０２２０】
さらに、本発明によるパーツのキットはさらに、下記で言及される増量剤、溶媒、自発性促進剤、担体、乳化剤、分散剤、凍結保護剤、増粘剤およびアジュバントからなる群から選択される少なくとも一つの補助剤を含むことができる。この少なくとも一つの補助剤は、パーツのキットの組換え外膜産生性バチルス細胞コンポーネントに、もしくは空間的に分離されたパーツのキットの殺虫剤コンポーネントに、またはこれらコンポーネントの両方に存在することができる。
【０２２１】
本発明の別の態様において、上記の組成物は、昆虫、ダニ、線虫および／または植物病原体によって生じる植物および植物部分の全体的な損傷ならびに収穫された果実もしくは野菜の損失を減らすのに用いられる。
【０２２２】
さらに、本発明の別の態様において、上記の組成物は全体的な植物の健康を増進させる。
【０２２３】
「植物の健康」という用語は一般に、病害生物の防除に関係ない植物の各種改善を含むものである。例えば、挙げることができる有利な性質には、発芽、作物収量、タンパク質含有量、オイル含有量、デンプン含有量、根系の発達増加、根の成長増進、根の大きさ維持の向上、根の有効性の向上、ストレス耐性の向上（例えば、干魃、熱、塩、ＵＶ、水、低温）、エチレン低減（産生減少および／または受容の阻害）、分げつの増加、植物高さの増加、葉身の拡大、枯れた根出葉の減少、分げつ枝の強化、葉の緑色強化、色素含有量、光合成活性、必要投入量の低下（肥料または水など）、必要な種子の減少、分げつの生産性向上、開花の早期化、結実の早期化、植物倒伏（ｖｅｒｓｅ）（倒伏）の減少、苗条成長の増加、植物活力の強化、立った植物の増加ならびに早期およびより良好な発芽などの改善された作物特性がある。
【０２２４】
本発明による使用に関しては、改善された植物の健康は好ましくは、作物収量、根系の発達増加（根の成長増進）、根の大きさ維持の向上、根の有効性の向上、分げつの増加、植物高さの増加、葉身の拡大、枯れた根出葉の減少、分げつ枝の強化、葉の緑色強化、光合成活性、分げつの生産性向上、植物活力の強化および立った植物の増加などの改善された植物特性を指す。
【０２２５】
本発明に関して、改善された植物の健康は、好ましくは特には、作物収量、根系の発達増加、根の成長増進、根の大きさ維持の向上、根の有効性の向上、分げつの増加および植物高さの増加から選択される改善された植物の性質を指す。
【０２２６】
本明細書で定義の植物の健康に対する本発明による組成物の効果は、前記植物のある部分を本発明による組成物によって処理し、当該植物の別の部分を本発明による組成物で処理せずに、同じ環境条件下で成長する植物を比較することで確認することができる。代わりに、前記の他の部分は、全く処理しないか、プラシーボ（すなわち、全ての有効成分を含まない施用（すなわち、本明細書に記載の組換え外膜産生性バチルス・セレウス（Ｂａｃｉｌｌｕｓ  ｃｅｒｅｕｓ）科構成員に基づく生物農薬を含まず、本明細書に記載の殺虫剤を含まない）、または本明細書に記載の組換え外膜産生性バチルス・セレウス（Ｂａｃｉｌｌｕｓ  ｃｅｒｅｕｓ）科構成員に基づく生物農薬を含まない施用、または本明細書に記載の殺虫剤を含まない施用などの本発明による組成物を用いない施用で処理される。
【０２２７】
本発明による組成物は、任意の望ましい方法で、例えば、種子粉衣、土壌潅注の形態で、および／または、畝間に直接的に、および／または茎葉散布として施用することができ、そして、発芽前、発芽後またはその両方のいずれかで施用することができる。すなわち、当該組成物は、種子、植物もしくは収穫された果実および野菜に施用することができるか、植物がそこで成育している土壌もしくは成育させるのが望ましい土壌（植物の成長場所）に施用することができる。
【０２２８】
植物および植物部分の全体的な損傷を低減することで、植物の健康が増進され、および／または植物の活力および収量の増加が生じる。
【０２２９】
好ましくは、本発明による組成物は、従来の植物もしくはトランスジェニック植物またはそれらの種子を処理するのに使用される。
【０２３０】
本発明はまた、融合タンパク質を発現する組換え外膜産生性バチルス細胞および少なくとも一つの本明細書に開示の特定の殺虫剤を含む上記の組成物のいずれかを用いる植物成長の刺激方法に関する。その植物成長刺激方法は、植物、植物部分、植物周囲の場所または植物が植えられる場所（例えば、土壌または他の成長培地）に、相乗的に有効な量で（ｉ）少なくとも一つの植物成長刺激タンパク質もしくはペプチド；および（ｉｉ）標的配列、外膜タンパク質、または外膜タンパク質断片を含む融合タンパク質を発現する組換え外膜産生性バチルス細胞、および少なくとも一つの本明細書に開示のさらなる特定の殺虫剤を含む組成物を施用することを含む。
【０２３１】
本発明の別の態様において、相乗的に有効な量で組換え外膜産生性バチルス細胞および少なくとも一つの本明細書に開示の特定の殺虫剤を同時にまたは順次で施用する段階を含む、植物および植物部分の全体的な損傷ならびに昆虫、ダニ、線虫および／または植物病原体によって生じる収穫された果実もしくは野菜の損失を減らす方法が提供される。
【０２３２】
本発明の別の実施形態において、前記組成物は、組換え外膜産生性バチルス細胞および本明細書に開示の特定の殺虫剤に加えて、少なくとも一つの殺菌剤および／または少なくとも一つの殺虫剤を含む。１実施形態において、前記少なくとも一つの殺菌剤は合成殺菌剤である。
【０２３３】
本発明の方法は、次の施用方法を含む。すなわち、組換え外膜産生性バチルス細胞および少なくとも一つの本明細書に開示の特定の殺虫剤の両方を、農業上許容される貯蔵寿命を有する単一の安定な組成物（いわゆる「単一製剤」）に製剤することができるか、使用の前または使用時に組み合わせる（いわゆる「組み合わせ製剤」）。
【０２３４】
別段の断りがない限り、「組み合わせ」という表現は、単一製剤中の、単一の「レディーミックス」形態中の、単一製剤で構成されている組み合わせ噴霧混合物（例えば、「タンクミックス」）中の、特には順次で（すなわち、適度に短い期間（例えば、数時間または数日間、例えば２時間から７日間）の範囲内で順次に）施用される場合の単一の有効成分の組合せ使用における、組換え外膜産生性バチルス細胞および少なくとも一つの殺虫剤および適宜に少なくとも一つの殺菌剤の各種組み合せを意味する。本発明による組成物を施用する順序は、本発明の作用に関してはあまり重要ではない。従って、「組み合わせ」という用語は、例えば、組換え外膜産生性バチルス細胞および少なくとも一つの本明細書に開示の特定の殺虫剤および適宜に少なくとも一つの殺菌剤を同時にまたは連続して植物、その周囲、生息環境または貯蔵空間に施用した後における、組換え外膜産生性バチルス細胞および少なくとも一つの本明細書に開示の特定の殺虫剤および適宜に少なくとも一つの殺菌剤の処理される植物の表面上もしくは内部または処理される植物の周囲、生息環境または貯蔵空間における存在も包含するものである。
【０２３５】
前記組換え外膜産生性バチルス細胞および少なくとも一つの本明細書に開示の特定の殺虫剤および適宜に少なくとも一つの殺菌剤を順次で利用または使用する場合、次の方法、すなわち第１に前記少なくとも一つの本明細書に開示の特定の殺虫剤および適宜に前記少なくとも一つの殺菌剤および／または前記少なくとも一つの別の殺虫剤を植物または植物部分に施用し、第２に組換え外膜産生性バチルス細胞を同じ植物または植物部分に施用する方法に従って植物もしくは植物部分（種子および種子から発芽する植物を含む）、収穫された果実および野菜を処理することが好ましい。この施用方式によって、収穫時の植物表面での殺虫剤／殺菌剤の残留量が可能な限り低くなる。（作物）成長サイクル内での第１の施用と第２の施用の間の時間間隔は変動することができ、達成されるべき効果によって決まる。例えば、第１の施用は、昆虫、ダニ、線虫および／または植物病原体による植物または植物部分への侵入を防止し（これは特に、種子処理の場合である。）、または昆虫、ダニ、線虫および／または植物病原体による侵入と戦う（これは特に、植物および植物部分の処理の場合である。）ために行い、第２の施用は昆虫、ダニ、線虫および／または植物病原体による侵入を予防または抑制するため、および／または植物の成長を促進するために行う。この文脈での抑制は、前記組換え外膜産生性バチルス細胞が病害生物や植物病原性真菌を完全に死滅させることができるのではなく侵入を許容されるレベルに維持できることを意味する。
【０２３６】
本発明は、複数回の施用によって、本発明の組成物の殺生物、阻害、予防および／または忌避活性を高める方法も提供する。一部の他の実施形態において、本発明の組成物は、いずれか所望の発達段階中、またはいずれか所定の防除圧（ｐｅｓｔ  ｐｒｅｓｓｕｒｅ）下に、約１時間、約５時間、約１０時間、約２４時間、約２日、約３日、約４日、約５日、約１週間、約１０日、約２週間、約３週間、約１ヶ月またはそれ以上の間隔で２回、植物および／または植物部分に施用される。さらに一部の実施形態において、本発明の組成物は、いずれか所望の発達段階中、またはいずれか所定の防除圧（ｐｅｓｔ  ｐｒｅｓｓｕｒｅ）下に、約１時間、約５時間、約１０時間、約２４時間、約２日、約３日、約４日、約５日、約１週間、約１０日、約２週間、約３週間、約１ヶ月またはそれ以上の間隔で、２回より多く、例えば３回、４回、５回、６回、７回、８回、９回、１０回またはそれ以上、植物および／または植物部分に施用される。各施用間の間隔は、所望に応じて変えることができる。当業者であれば、植物種、植物病害生物の種類、および他の要素に応じて、施用時期および間隔の長さを決めることができる。
【０２３７】
前記の段階に従うことで、処理された植物、植物部分、ならびに収穫された果実および野菜表面での少なくとも一つの殺菌剤および／または少なくとも一つの本明細書に開示の特定の殺虫剤および／または別の殺虫剤の残留は非常に低レベルであることができる。
【０２３８】
別段の言及がなければ、植物または植物部分（種子および種子から発芽した植物を含む）、収穫された果実および野菜の本発明による組成物による処理は、一般的な処理方法、例えば浸漬、散布、噴霧、潅漑、気化、散粉、煙霧、ばらまき、泡状化、塗布、拡散（ｓｐｒｅａｄｉｎｇ−ｏｎ）、潅水（潅注（ｄｒｅｎｃｈｉｎｇ））、点滴潅漑などによって、直接的に行うか、または、それらの周囲、生息環境もしくは貯蔵空間に作用させることにより行う。さらに、組換え外膜産生性バチルス細胞、少なくとも一つの本明細書に開示の特定の殺虫剤、および適宜に少なくとも一つの殺菌剤を単一製剤もしくは組み合わさ製剤として超微量散布法によって施用することも可能であり、または本発明による組成物を組成物として、または単一製剤として土壌中（畝間）に注入することが可能である。
【０２３９】
「処理対象の植物」という用語は、植物の全ての部分（これは、その根系を包含する）、および、それぞれ、処理対象植物の茎もしくは幹の周囲の少なくとも１０ｃｍ、２０ｃｍ、３０ｃｍの半径内にある材料物質（例えば、土壌または栄養媒体）または処理対象のその植物の根系の周囲の少なくとも１０ｃｍ、２０ｃｍ、３０ｃｍの半径内にある材料物質を包含する。
【０２４０】
適宜に少なくとも一つの殺菌剤存在下に、少なくとも一つの本明細書に開示の特定の殺虫剤と組み合わせて使用もしくは利用される組換え外膜産生性バチルス細胞の量は、最終製剤ならびに処理される植物、植物部分、種子、収穫された果実および野菜の大きさもしくは種類によって決まる。通常、本発明に従って利用もしくは使用される組換え外膜産生性バチルス細胞は、その単一製剤または少なくとも一つの本明細書に開示の特定の殺虫剤および適宜に殺菌剤との組み合わせ製剤の約１％から約８０重量％、好ましくは約１％から約６０重量％、より好ましくは約１０％から約５０重量％で存在する。
【０２４１】
適宜に少なくとも一つの殺菌剤存在下に、組換え外膜産生性バチルス細胞と組み合わせて使用もしくは利用される前記少なくとも一つの本明細書に開示の特定の殺虫剤の量は、最終製剤ならびに処理される植物、植物部分、種子、収穫された果実および野菜の大きさもしくは種類によって決まる。通常、本発明に従って利用もしくは使用される前記組換え外膜産生性バチルス細胞は、その単一製剤または前記少なくとも一つの本明細書に開示の特定の殺虫剤および適宜に少なくとも一つの殺菌剤との組み合わせ製剤の約０．１％から約８０重量％、好ましくは１％から約６０重量％、より好ましくは約１０％から約５０重量％で存在する。
【０２４２】
組換え外膜産生性バチルス細胞の施用は、茎葉噴霧として、土壌処理として、および／または種子処理／粉衣として行うことができる。茎葉処理として使用される場合、１実施形態において、エーカー当たり全ブロス約１／１６から約５ガロンを施用する。土壌処理として使用される場合、１実施形態において、エーカー当たり全ブロス約１から約５ガロンを施用する。種子処理に用いる場合、エーカー当たり全ブロス約１／３２から約１／４ガロンを施用する。種子処理の場合、最終使用製剤は、グラム当たり１×１０４、少なくとも１×１０５、少なくとも１×１０６、１×１０７、少なくとも１×１０８、少なくとも１×１０９、または少なくとも１×１０１０コロニー形成単位を含む。
【０２４３】
組換え外膜産生性バチルス細胞および少なくとも一つの本明細書に開示の特定の殺虫剤および存在する場合には好ましくは殺菌剤も、相乗的重量比で使用または利用される。当業者であれば、通常の方法によって本発明における相乗的重量比を見出すことができる。当業者には、これらの比が、組み合わせ製剤内の比率ならびに両方の成分を処理対象植物に単一製剤として施用した場合の本明細書に記載の組換え外膜産生性バチルス細胞および少なくとも一つの本明細書に開示の特定の殺虫剤の計算上の比率を指すことは明らかである。単一製剤中の組換え外膜産生性バチルス細胞および少なくとも一つの本明細書に開示の特定の殺虫剤のそれぞれの体積および量は当業者には既知であることから、当業者は簡単な数学によってこの比を計算することができる。
【０２４４】
その比は、本発明による組み合わせの成分を植物もしくは植物部分に施用した時点での少なくとも一つの本明細書に開示の特定の殺虫剤の量および本発明による組み合わせの成分を植物もしくは植物部分に施用する少し前（例えば、４８時間、２４時間、１２時間、６時間、２時間、１時間）またはその時点での組換え外膜産生性バチルス細胞の量に基づいて計算することができる。
【０２４５】
植物もしくは植物部分への組換え外膜産生性バチルス細胞および少なくとも一つの本明細書に開示の特定の殺虫剤の施用は、両方の成分が施用後に植物表面もしくは植物体内に存在する限り、同時にまたは異なった時点で行うことができる。組換え外膜産生性バチルス細胞および殺虫剤を異なる時点で施用し、殺虫剤を組換え外膜産生性バチルス細胞より明らかに前に施用する場合、当業者は、組換え外膜産生性バチルス細胞施用の時点またはその時点の少し前に当業界で公知の化学分析によって、植物表面／植物体内における殺虫剤の濃度を求めることができる。逆も同様に、組換え外膜産生性バチルス細胞を最初に植物に施用する場合、その組換え外膜産生性バチルス細胞の濃度は、殺虫剤施用の時点またはその時点より少し前に、やはり当業界で公知である試験を用いて求めることができる。
【０２４６】
特に、１実施形態において、組換え外膜産生性バチルス細胞および少なくとも一つの本明細書に開示の特定の殺虫剤の相乗的重量比は、１：１０００から１０００：１の範囲、好ましくは１：５００から５００：１の範囲、より好ましくは１：３００から５００：１の範囲にある。特別に好ましい比率は、２０：１から１：２０、例えば１０：１、５：１または２：１である。留意すべき点として、これらの比の範囲は、組換えバチルス・セレウス（Ｂａｃｉｌｌｕｓ  ｃｅｒｅｕｓ）科構成員に基づく生物農薬（少なくとも一つの特定の殺虫剤または少なくとも一つの本明細書に開示の特定の殺虫剤の調製物と組み合わせられるもの）を指す。例えば、比率１００：１は、組換え外膜産生性バチルスに基づく生物農薬の胞子調製物１００重量部および殺虫剤１重量部を組み合わせることを意味する（単一製剤として、組み合わせ製剤として、または植物に別個に施用して植物上でその組み合わせを形成することで）。この実施形態の１態様において、組換え外膜産生性バチルス細胞の胞子調製物は、少なくとも約１×１０４ｃｆｕ／ｇ、少なくとも約１×１０５ｃｆｕ／ｇ、少なくとも約１×１０６ｃｆｕ／ｇ、少なくとも約１×１０７ｃｆｕ／ｇ、少なくとも約１×１０８ｃｆｕ／ｇ、少なくとも約１×１０９ｃｆｕ／ｇ、少なくとも約１×１０１０ｃｆｕ／ｇを含む乾燥胞子調製物である。
【０２４７】
別の実施形態において、組換え外膜産生性バチルス細胞および少なくとも一つの本明細書に開示の特定の殺虫剤の相乗的重量比は、１：１００から２０，０００：１の範囲、好ましくは１：５０から１０，０００：１の範囲、またはさらには１：５０から１０００：１の範囲である。
【０２４８】
本発明の１実施形態において、散布後の組換え外膜産生性バチルス細胞の濃度は、少なくとも５０ｇ／ｈａ、例えば５０から７５００ｇ／ｈａ、５０から２５００ｇ／ｈａ、５０から１５００ｇ／ｈａ；少なくとも２５０ｇ／ｈａ（ヘクタール）、少なくとも５００ｇ／ｈａまたは少なくとも８００ｇ／ｈａである。
【０２４９】
本発明に従って利用もしくは使用される組成物の施用量は、変動し得るものである。当業者は、通常の実験によって、適切な施用量を見出すことができる。
【０２５０】
本発明の別の態様において、上記の組成物で処理された種子が提供される。
【０２５１】
植物の種子を処理することによる昆虫、ダニ、線虫および／または植物病原体の防除は、かなり以前から知られており、常に改良すべきテーマである。そうではあっても、種子の処理は、常に満足な形で解決されるとは限らない一連の問題を伴う。従って、植物の貯蔵中、播種後または発芽後における作物保護組成物の追加使用の必要性を取り除く、または少なくとも大幅に減らす、種子および発芽植物の保護方法を開発することが望ましい。さらに、種子および発芽植物に対して昆虫、ダニ、線虫および／または植物病原体による攻撃から可能な最も良好な保護を提供するが、植物自体に対する使用有効成分による損傷を起こさないような形で使用される有効成分の量を至適化することが望ましい。特に、種子処理の方法の場合も、病害生物抵抗性もしくは病害生物耐性のトランスジェニック植物の固有の殺虫特性および／または殺線虫特性を考慮して、作物保護組成物の使用を最小限としながら種子および発芽植物の至適な保護を達成すべきである。
【０２５２】
従って本発明は特に、相乗的に有効量で、上記で定義の組換え外膜産生性バチルス細胞および少なくとも一つの本明細書に開示の特定の殺虫剤によって種子を処理することによって、種子および発芽植物を病害生物による攻撃から保護する方法に関するものでもある。種子および発芽植物を病害生物による攻撃から保護する本発明の方法は、種子を組換え外膜産生性バチルス細胞および少なくとも一つの本明細書に開示の特定の殺虫剤、および適宜に少なくとも一つの殺菌剤により１回の操作で同時に処理する方法を包含する。それは、種子を、組換え外膜産生性バチルス細胞および少なくとも一つの本明細書に開示の特定の殺虫剤および適宜に少なくとも一つの殺菌剤によって異なる時点で処理する方法も包含する。
【０２５３】
本発明は同様に、種子および結果的に得られた植物を昆虫、ダニ、線虫および／または植物病原体に対して保護する目的で種子を処理するための本発明の組成物の使用に関する。
【０２５４】
本発明はさらに、組換え外膜産生性バチルス細胞および少なくとも一つの本明細書に開示の特定の殺虫剤および適宜に少なくとも一つの殺菌剤で同時に処理された種子に関する。本発明はさらに、組換え外膜産生性バチルス細胞および少なくとも一つの本明細書に開示の特定の殺虫剤および適宜に少なくとも一つの殺菌剤および／または少なくとも一つの殺虫剤で異なった時点で処理された種子に関する。組換え外膜産生性バチルス細胞および少なくとも一つの本明細書に開示の特定の殺虫剤および適宜に少なくとも一つの殺菌剤によって異なった時点で処理された種子の場合、本発明の組成物中の個々の有効成分は、種子の異なった層に存在する可能性がある。
【０２５５】
さらに、本発明は、本発明の組成物による処理後に、フィルムコーティング処理を受けて、種子の埃による摩耗が防止された種子に関する。
【０２５６】
本発明の利点の一つは、本発明の組成物の特定の全身特性のため、これらの組成物による種子の処理によって、種子自体だけでなく種子が発芽した後の種子から発生した植物にも、昆虫、ダニ、線虫および／または植物病原体からの保護が提供されるという点である。このようにして、播種時やその少し後に作物を直接処理する必要がなくなる可能性がある。
【０２５７】
別の利点は、本発明の組成物による種子の処理によって、処理された種子の発芽および発生を促進できるということに認められる。
【０２５８】
本発明の組成物を特にトランスジェニック種子にも用いることが可能であることも、有利であると考えられる。
【０２５９】
本発明の組成物をシグナル伝達技術の薬剤と併用し、その結果として、例えば、根粒菌、菌根菌および／または内部寄生菌などの共生生物によるコロニー形成を改善、例えば促進し、および／または窒素固定を至適化することができることも挙げられる。
【０２６０】
本発明の組成物は、農業において、温室内で、森林でまたは園芸において使用される全ての植物品種の種子を保護するのに適している。詳細には、対象となる種子は、禾穀類（例えば、コムギ、オオムギ、ライムギ、エンバクおよびアワ）、トウモロコシ、ワタ、ダイズ、イネ、ジャガイモ、ヒマワリ、コーヒー、タバコ、キャノーラ、アブラナ、ビート（例えば、テンサイ、および、飼料用ビート）、落花生、野菜（例えば、トマト、キュウリ、エンドウマメ、タマネギ、アブラナ科およびレタス）、果樹、芝生および観賞植物の種子である。禾穀類（例えば、コムギ、オオムギ、ライムギおよびエンバク）、トウモロコシ、大豆、棉、キャノーラ、アブラナおよびイネの種子を処理することが、特に重要である。
【０２６１】
上記ですでに言及したように、本発明の組成物でトランスジェニック種子を処理することが、特に重要である。ここで対象となる種子は、特には殺虫特性および／または殺線虫特性を有するポリペプチドの発現を制御する少なくとも１種類の異種遺伝子を含む植物の種子である。トランスジェニック種子でのこれら異種遺伝子は、例えば、バシルス（Ｂａｃｉｌｌｕｓ）種、リゾビウム（Ｒｈｉｚｏｂｉｕｍ）種、シュードモナス（Ｐｓｅｕｄｏｍｏｎａｓ）種、セラチア（Ｓｅｒｒａｔｉａ）種、トリコデルマ（Ｔｒｉｃｈｏｄｅｒｍａ）種、クラビバクテル（Ｃｌａｖｉｂａｃｔｅｒ）種、グロムス（Ｇｌｏｍｕｓ）種またはグリオクラジウム（Ｇｌｉｏｃｌａｄｉｕｍ）種の微生物由来であることができる。本発明は、バシルス（Ｂａｃｉｌｌｕｓ）種由来の少なくとも１種類の異種遺伝子を含むトランスジェニック種子の処理に特に好適である。特に好ましくは、対象となる異種遺伝子は、バシルス・ツリンギエンシス（Ｂａｃｉｌｌｕｓｔｈｕｒｉｎｇｉｅｎｓｉｓ）に由来するものである。
【０２６２】
本発明に関連して、本発明の組成物は、種子に対して、単独で施用するか、好適な製剤で施用する。好ましくは、種子は、処理の途中で損傷が引き起こらないように安定である条件で処理する。一般に、種子は、収穫と播種の間の任意の時点で処理することができる。代表的には、植物から分離されていて、穂軸、殻、茎、皮、被毛または髄が除去されている種子を用いる。そこで、例えば、収穫され、不純物が取り除かれ、含水量が１５重量％未満となるまで乾燥された種子を使用することができる。あるいは、乾燥後に例えば水で処理され、その後再度乾燥された種子を使用することもできる。
【０２６３】
種子を処理する場合には、概して、種子の発芽が悪影響を受けないように、および／または種子から生じた植物が損傷を受けないように、種子に施用する本発明の組成物の量および／または他の添加剤の量が選択されるようにする必要がある。このことは、特に、特定の施用量で薬害作用を示し得る有効成分の場合に当てはまる。
【０２６４】
本発明の組成物は、直接施用することができる。すなわち、さらに別の成分を含ませることなく、そして希釈することなく施用することが可能である。一般に、その組成物は、好適な製剤の形態で種子に施用するのが好ましい。種子処理のための好適な製剤および方法は、当業者には公知であり、例えば、次の文献：米国特許第４，２７２，４１７Ａ号、同４，２４５，４３２Ａ号、同４，８０８，４３０Ａ号、同５，８７６，７３９Ａ号、米国特許公開２００３／０１７６４２８Ａ１、ＷＯ２００２／０８０６７５Ａ１、ＷＯ２００２／０２８１８６Ａ２に記載されている。
【０２６５】
本発明に従って使用することが可能な組み合わせは、一般的な種子粉衣製剤、例えば、液剤、乳濁液、懸濁液、粉剤、泡剤、スラリーその他の種子用のコーティング組成物、および、さらに、ＵＬＶ製剤などに変換することができる。
【０２６６】
これらの製剤は、既知の方法で、その組成物を、一般的な補助剤、例えば、一般的な増量剤、さらには、溶媒または希釈剤、着色剤、湿展剤、分散剤、乳化剤、消泡剤、防腐剤、二次増粘剤、粘着剤、ジベレリン類などと混合させ、さらには水と混合させることによって調製される。
【０２６７】
本発明に従って使用することが可能な種子粉衣製剤中に存在させることができる着色剤には、そのような目的に関して一般的な全ての着色剤などがある。この文脈では、水中での溶解性が乏しい顔料だけでなく、水溶性染料も使用することができる。例としては、「Ｒｈｏｄａｍｉｎ  Ｂ」、「Ｃ．Ｉ．Ｐｉｇｍｅｎｔ  Ｒｅｄ  １１２」、および、「Ｃ．Ｉ．Ｓｏｌｖｅｎｔ  Ｒｅｄ  １」の名称で知られている着色剤などがある。
【０２６８】
本発明に従って使用することが可能な種子粉衣製剤中に存在させることができる湿展剤には、湿潤を促進し、農薬成分の製剤において一般的な慣習的な全ての物質が包含される。好ましくは、アルキルナフタレンスルホネート類、例えば、ジイソプロピルナフタレンスルホネートまたはジイソブチル−ナフタレンスルホネートなどを使用することができる。
【０２６９】
本発明に従って使用することが可能な種子粉衣製剤中に存在させることができる分散剤および／または乳化剤には、農薬活性成分の製剤において一般的な非イオン性、アニオン性およびカチオン性の全ての分散剤などがある。好ましくは、非イオン性もしくはアニオン性の分散剤または非イオン性もしくはアニオン性の分散剤の混合物を使用することができる。好適な非イオン性分散剤は特には、エチレンオキシド／プロピレンオキシドブロックポリマー類、アルキルフェノールポリグリコールエーテル類およびトリスチリルフェノールポリグリコールエーテル類、ならびに、それらのリン酸化誘導体または硫酸化誘導体である。好適なアニオン性分散剤は特には、リグノスルホネート類、ポリアクリル酸塩類およびアリールスルホネート／ホルムアルデヒド縮合物である。
【０２７０】
本発明に従って使用される種子粉衣製剤中に存在させることができる消泡剤には、農薬活性成分の製剤において一般的な全ての泡抑制剤などがある。好ましくは、シリコーン系消泡剤およびステアリン酸マグネシウムを使用する。
【０２７１】
本発明に従って使用される種子粉衣製剤中に存在させることができる防腐剤には、農芸化学組成物中でそのような目的のために使用することが可能な全ての物質などがある。例として、ジクロロフェンおよびベンジルアルコールヘミホルマールなどがある。
【０２７２】
本発明に従って使用される種子粉衣製剤中に存在させることができる二次増粘剤には、農芸化学組成物中でそのような目的のために使用することが可能な全ての物質などがある。好ましいものと想到されるものには、セルロース誘導体、アクリル酸誘導体、キサンタン、変性クレーおよび高分散シリカなどがある。
【０２７３】
本発明に従って使用される種子粉衣製剤中に存在させることができる粘着剤には、種子粉衣製品中で使用可能な全ての一般的な結合剤などがある。ポリビニルピロリドン、ポリ酢酸ビニル、ポリビニルアルコールおよびチロースを好ましいものとして挙げることができる。
【０２７４】
本発明に従って使用される種子粉衣製剤中に存在させることができるジベレリン類には、好ましくは、ジベレリンＡ１、ジベレリンＡ３（＝ジベレリン酸）、ジベレリンＡ４およびジベレリンＡ７などがあり、ジベレリン酸を使用するのが特に好ましい。ジベレリン類は公知である（Ｒ．  Ｗｅｇｌｅｒ  ″Ｃｈｅｍｉｅ  ｄｅｒ  Ｐｆｌａｎｚｅｎｓｃｈｕｔｚ−  ｕｎｄ  Ｓｃｈａｄｌｉｎｇｓｂｅｋａｍｐｆｕｎｇｓｍｉｔｔｅｌ″，  Ｖｏｌ．２，  Ｓｐｒｉｎｇｅｒ  Ｖｅｒｌａｇ，  １９７０，  ｐｐ．４０１−４１２参照）。
【０２７５】
本発明に従って使用することが可能な種子粉衣製剤は、非常に多様な種類の種子を処理するために、直接使用することができるか、予め水で希釈した後に使用することができる。従って、濃厚物または水による希釈によってそれから得ることができる製剤を用いて、コムギ、オオムギ、ライムギ、エンバクおよびライコムギなどの穀物の種子、さらにはトウモロコシ、イネ、アブラナ、エンドウマメ、マメ類、ワタ、ヒマワリおよびビートの種子、あるいは非常に多様な野菜の種子を粉衣することができる。本発明に従って使用することが可能な種子粉衣製剤またはそれらの希釈された調製物は、トランスジェニック植物の種子を粉衣するのに使用することもできる。その場合、発現により形成された物質との相互作用において、さらなる相乗効果が生じることがあり得る。
【０２７６】
本発明に従って使用することが可能な種子粉衣製剤または水を添加することによってその種子粉衣製剤から調製される調製物を用いて種子を処理する場合に、好適な混合装置には、種子粉衣するために一般的に使用することができる全ての装置が包含される。より詳細には、種子粉衣を実行する際の手順は、種子を混合機の中に入れること、特定の所望量の種子粉衣製剤を、そのままで添加するかまたは予め水で希釈した後に添加すること、および、種子表面でのその製剤の分布が均一となるまで混合を実施することを含む。その後に乾燥操作を行っても良い。
【０２７７】
本発明に従って使用可能な種子粉衣製剤の施用量は、比較的広い範囲内で変動し得る。それは、製剤中の組換え外膜産生性バチルス・セレウス（Ｂａｃｉｌｌｕｓ  ｃｅｒｅｕｓ）科構成員に基づく生物農薬および少なくとも一つの本明細書に開示の特定の殺虫剤の特定の量によって、そして種子によって決まる。当該組成物の場合の施用量は、通常は種子１ｋｇ当たり０．００１から５０ｇであり、好ましくは種子１ｋｇ当たり０．０１から１５ｇにある。
【０２７８】
良好な植物耐性および温血動物に対する良好な毒性および環境による良好な耐容性と組み合わせて、本発明による組成物は、それらが殺虫活性および殺ダニ活性および／または殺線虫活性を示す場合、植物および植物器官を保護し、収穫量を増加させ、収穫物の品質を向上させ、有害動物、特に農業、園芸、畜産、森林、庭園およびレジャー施設、貯蔵製品および材料の保護、そして衛生部門で遭遇する昆虫、ダニ類、クモ類、蠕虫および軟体動物を防除するのに好適である。それらは好ましくは、植物保護剤として用いることができる。特に、本発明は、殺虫剤および／または殺菌剤としての本発明による組成物の使用に関する。
【０２７９】
それらは、普通に感受性および抵抗性の生物種に対して、そして全てのもしくは一部の発達段階に対して活性である。上記の病害生物には下記のものなどがある。
【０２８０】
節足動物門、特に、クモ綱（Ａｒａｃｈｎｉｄａ）からの病害生物、例えば、アカルス属種（Ａｃａｒｕｓ  ｓｐｐ．）、アケリア・シェルドニ（Ａｃｅｒｉａ  ｓｈｅｌｄｏｎｉ）、アキュロプス属種（Ａｃｕｌｏｐｓ  ｓｐｐ．）、アカルス属種（Ａｃｕｌｕｓ  ｓｐｐ．）、アンブリオンマ属種（Ａｍｂｌｙｏｍｍａ  ｓｐｐ．）、アムピテトラニュクス・ビエネンシス（Ａｍｐｈｉｔｅｔｒａｎｙｃｈｕｓ  ｖｉｅｎｎｅｎｓｉｓ）、アルガス属種（Ａｒｇａｓ  ｓｐｐ．）、ブーフィラス属種（Ｂｏｏｐｈｉｌｕｓ  ｓｐｐ．）、ブレビパルプス属種（Ｂｒｅｖｉｐａｌｐｕｓ  ｓｐｐ．）、ブリオビア・グラミナム（Ｂｒｙｏｂｉａ  ｇｒａｍｉｎｕｍ）、ブリオビア・プラエチオサ（Ｂｒｙｏｂｉａ  ｐｒａｅｔｉｏｓａ）、セントルロイデス属種（Ｃｅｎｔｒｕｒｏｉｄｅｓ  ｓｐｐ．）、コリオプテス属種（Ｃｈｏｒｉｏｐｔｅｓ  ｓｐｐ．）、デルマニサス・ガリナエ（Ｄｅｒｍａｎｙｓｓｕｓ  ｇａｌｌｉｎａｅ）、デルマトファゴイデス・プテロニッシナス（Ｄｅｒｍａｔｏｐｈａｇｏｉｄｅｓ  ｐｔｅｒｏｎｙｓｓｉｎｕｓ）、デルマトファゴイデス・ファリナエ（Ｄｅｒｍａｔｏｐｈａｇｏｉｄｅｓ  ｆａｒｉｎａｅ）、デルマセントル属種（Ｄｅｒｍａｃｅｎｔｏｒ  ｓｐｐ．）、エオテトラニカス属種（Ｅｏｔｅｔｒａｎｙｃｈｕｓ  ｓｐｐ．）、エピトリメルス  ピリ（Ｅｐｉｔｒｉｍｅｒｕｓ  ｐｙｒｉ）、エウテトラニクス属種（Ｅｕｔｅｔｒａｎｙｃｈｕｓ  ｓｐｐ．）、エリオフィエス属種（Ｅｒｉｏｐｈｙｅｓ  ｓｐｐ．）、グリシファグス・ドメスチクス（Ｇｌｙｃｙｐｈａｇｕｓ  ｄｏｍｅｓｔｉｃｕｓ）、ハロチデウス・  デストルクトル（Ｈａｌｏｔｙｄｅｕｓ  ｄｅｓｔｒｕｃｔｏｒ）、ヘミタルソネムス属種（Ｈｅｍｉｔａｒｓｏｎｅｍｕｓ  ｓｐｐ．）、イボマダニ属（Ｈｙａｌｏｍｍａ  ｓｐｐ．）、イキソデス属種（Ｉｘｏｄｅｓ  ｓｐｐ．）、ラトロデクタス属種（Ｌａｔｒｏｄｅｃｔｕｓ  ｓｐｐ．）、ロキソセレス属種（Ｌｏｘｏｓｃｅｌｅｓ  ｓｐｐ．）、メタテトラニカス属種（Ｍｅｔａｔｅｔｒａｎｙｃｈｕｓ  ｓｐｐ．）、ネウトロムビクラ・アウツムナリス（Ｎｅｕｔｒｏｍｂｉｃｕｌａ  ａｕｔｕｍｎａｌｉｓ）、ヌフェルサ属種（Ｎｕｐｈｅｒｓａ  ｓｐｐ．）、オリゴニクス属種（Ｏｌｉｇｏｎｙｃｈｕｓ  ｓｐｐ．）、オルニトドロス属種（Ｏｒｎｉｔｈｏｄｏｒｕｓ  ｓｐｐ．）、オルニトニスス属種（Ｏｒｎｉｔｈｏｎｙｓｓｕｓ  ｓｐｐ．）、パノニクス属種（Ｐａｎｏｎｙｃｈｕｓ  ｓｐｐ．）、フィロコプトルタ・オレイボラ（Ｐｈｙｌｌｏｃｏｐｔｒｕｔａ  ｏｌｅｉｖｏｒａ）、ポリファゴタルソネムス・ラツス（Ｐｏｌｙｐｈａｇｏｔａｒｓｏｎｅｍｕｓ  ｌａｔｕｓ）、プソロプテス属種（Ｐｓｏｒｏｐｔｅｓ  ｓｐｐ．）、リピセファルス属種（Ｒｈｉｐｉｃｅｐｈａｌｕｓ  ｓｐｐ．）、リゾグリフス属種（Ｒｈｉｚｏｇｌｙｐｈｕｓ  ｓｐｐ．）、サルコプテス属種（Ｓａｒｃｏｐｔｅｓ  ｓｐｐ．）、スコルピオ・マウルス（Ｓｃｏｒｐｉｏ  ｍａｕｒｕｓ）、ステネオタルソネムス属種（Ｓｔｅｎｅｏｔａｒｓｏｎｅｍｕｓ  ｓｐｐ．）、ステネオタルソネムス・スピンキ（Ｓｔｅｎｅｏｔａｒｓｏｎｅｍｕｓ  ｓｐｉｎｋｉ）、タルソネム���属種（Ｔａｒｓｏｎｅｍｕｓ  ｓｐｐ．）、テトラニクス属種（Ｔｅｔｒａｎｙｃｈｕｓ  ｓｐｐ．）、トロムビクラ・アルフレズゲシ（Ｔｒｏｍｂｉｃｕｌａ  ａｌｆｒｅｄｄｕｇｅｓｉ）、バエジョビス属種（Ｖａｅｊｏｖｉｓ  ｓｐｐ．）、バサテス・リコペルシシ（Ｖａｓａｔｅｓ  ｌｙｃｏｐｅｒｓｉｃｉ）；
特には、クロバーハダニ（ｃｌｏｖｅｒ  ｍｉｔｅ）、ニセクロバーハダニ（ｂｒｏｗｎ  ｍｉｔｅ）、ヘーゼルナッツハダニ（ｈａｚｅｌｎｕｔ  ｓｐｉｄｅｒ  ｍｉｔｅ）、アスパラガスハダニ（ａｓｐａｒａｇｕｓ  ｓｐｉｄｅｒ  ｍｉｔｅ）、ホモノハダニ（ｂｒｏｗｎ  ｗｈｅａｔ  ｍｉｔｅ）、マメダニ（ｌｅｇｕｍｅ  ｍｉｔｅ）、カタバミダニ（ｏｘａｌｉｓ  ｍｉｔｅ）、ツゲダニ（ｂｏｘｗｏｏｄ  ｍｉｔｅ）、テキサスシトラスダニ（Ｔｅｘａｓ  ｃｉｔｒｕｓ  ｍｉｔｅ）、オリエンタルハダニ（Ｏｒｉｅｎｔａｌ  ｒｅｄ  ｍｉｔｅ）、ミカンハダニ（ｃｉｔｒｕｓ  ｒｅｄ  ｍｉｔｅ）、リンゴハダニ（Ｅｕｒｏｐｅａｎ  ｒｅｄ  ｍｉｔｅ）、イエローハダニ（ｙｅｌｌｏｗ  ｓｐｉｄｅｒ  ｍｉｔｅ）、イチジクハダニ（ｆｉｇ  ｓｐｉｄｅｒ  ｍｉｔｅ）、ルイスハダニ（Ｌｅｗｉｓ  ｓｐｉｄｅｒ  ｍｉｔｅ）、コウノシロハダニ（ｓｉｘ−ｓｐｏｔｔｅｄ  ｓｐｉｄｅｒ  ｍｉｔｅ）、ウィラメットハダニ（Ｗｉｌｌａｍｅｔｔｅ  ｍｉｔｅ）、ユマハダニ（Ｙｕｍａ  ｓｐｉｄｅｒ  ｍｉｔｅ）、ウェブ−スピニングダニ（ｗｅｂ−ｓｐｉｎｎｉｎｇ  ｍｉｔｅ）、パイナップルダニ（ｐｉｎｅａｐｐｌｅ  ｍｉｔｅ）、シトラスグリーンダニ（ｃｉｔｒｕｓ  ｇｒｅｅｎ  ｍｉｔｅ）、アメリカサイカチハダニ（ｈｏｎｅｙ−ｌｏｃｕｓｔ  ｓｐｉｄｅｒ  ｍｉｔｅ）、カンザワハダニ（ｔｅａ  ｒｅｄ  ｓｐｉｄｅｒ  ｍｉｔｅ）、サザーンレッドマイト（ｓｏｕｔｈｅｒｎ  ｒｅｄ  ｍｉｔｅ）、アボカドブラウンマイト（ａｖｏｃａｄｏ  ｂｒｏｗｎ  ｍｉｔｅ）、トドマツノハダニ（ｓｐｒｕｃｅ  ｓｐｉｄｅｒ  ｍｉｔｅ）、アボカドレッドマイト（ａｖｏｃａｄｏ  ｒｅｄ  ｍｉｔｅ）、バンクスグラスマイト（Ｂａｎｋｓ  ｇｒａｓｓ  ｍｉｔｅ）、ニセナミハダニ（ｃａｒｍｉｎｅ  ｓｐｉｄｅｒ  ｍｉｔｅ）、アシノワハダニ（ｄｅｓｅｒｔ  ｓｐｉｄｅｒ  ｍｉｔｅ）、ベジタブルスパイダーマイト（ｖｅｇｅｔａｂｌｅ  ｓｐｉｄｅｒ  ｍｉｔｅ）、チューミドスパイダーマイト（ｔｕｍｉｄ  ｓｐｉｄｅｒ  ｍｉｔｅ）、イチゴハダニ（ｓｔｒａｗｂｅｒｒｙ  ｓｐｉｄｅｒ  ｍｉｔｅ）、ナミハダニ（ｔｗｏ−ｓｐｏｔｔｅｄ  ｓｐｉｄｅｒ  ｍｉｔｅ）、マクダニエルダニ（ＭｃＤａｎｉｅｌ  ｍｉｔｅ）、パシフィックハダニ（Ｐａｃｉｆｉｃ  ｓｐｉｄｅｒ  ｍｉｔｅ）、オウトウハダニ（ｈａｗｔｈｏｒｎ  ｓｐｉｄｅｒ  ｍｉｔｅ）、フォースポッテッドハダニ（ｆｏｕｒ−ｓｐｏｔｔｅｄ  ｓｐｉｄｅｒ  ｍｉｔｅ）、シェーネイハダニ（Ｓｃｈｏｅｎｅｉ  ｓｐｉｄｅｒ  ｍｉｔｅ）、チリニセハダニ（Ｃｈｉｌｅａｎ  ｆａｌｓｅ  ｓｐｉｄｅｒ  ｍｉｔｅ）、ブドウヒメハダニ（ｃｉｔｒｕｓ  ｆｌａｔ  ｍｉｔｅ）、チャノヒメハダニ（ｐｒｉｖｅｔ  ｍｉｔｅ）、フラットスカーレットマイト（ｆｌａｔ  ｓｃａｒｌｅｔ  ｍｉｔｅ）、ホワイトテイルドマイト（ｗｈｉｔｅ−ｔａｉｌｅｄ  ｍｉｔｅ）、パイナップルタルソネミドマイト（ｐｉｎｅａｐｐｌｅ  ｔａｒｓｏｎｅｍｉｄ  ｍｉｔｅ）、西インドサトウキビダニ（Ｗｅｓｔ  Ｉｎｄｉａｎ  ｓｕｇａｒ  ｃａｎｅ  ｍｉｔｅ）、バルブスケールマイト（ｂｕｌｂ  ｓｃａｌｅ  ｍｉｔｅ）、シクラメンホコリダニ（ｃｙｃｌａｍｅｎ  ���ｉｔｅ）、チャノホコリダニ（ｂｒｏａｄ  ｍｉｔｅ）、ムギダニ（ｗｉｎｔｅｒ  ｇｒａｉｎ  ｍｉｔｅ）、アカアシダニ（ｒｅｄ−ｌｅｇｇｅｄ  ｅａｒｔｈ  ｍｉｔｅ）、フィルバートビッグバドマイト（ｆｉｌｂｅｒｔ  ｂｉｇ−ｂｕｄ  ｍｉｔｅ）、ブドウハモグリダニ（ｇｒａｐｅ  ｅｒｉｎｅｕｍ  ｍｉｔｅ）、ナシ葉ブリスターダニ（ｐｅａｒ  ｂｌｉｓｔｅｒ  ｌｅａｆ  ｍｉｔｅ）、リンゴ葉エッジローラーダニ（アップル  ｌｅａｆ  ｅｄｇｅｒｏｌｌｅｒ  ｍｉｔｅ）、ピーチモザイクベクターダニ（ｐｅａｃｈ  ｍｏｓａｉｃ  ｖｅｃｔｏｒ  ｍｉｔｅ）、アルダービードガルダニ（Ａｌｄｅｒ  ｂｅａｄ  ｇａｌｌ  ｍｉｔｅ）、ペリアンウォルナットリーフガルダニ（Ｐｅｒｉａｎ  ｗａｌｎｕｔ  ｌｅａｆ  ｇａｌｌ  ｍｉｔｅ）、ピーカン葉エッジロールダニ（ｐｅｃａｎ  ｌｅａｆ  ｅｄｇｅｒｏｌｌ  ｍｉｔｅ）、イチジクモンサビダニ（ｆｉｇ  ｂｕｄ  ｍｉｔｅ）、オリーブバドマイト（ｏｌｉｖｅ  ｂｕｄ  ｍｉｔｅ）、シトラスバドマイト（ｃｉｔｒｕｓ  ｂｕｄ  ｍｉｔｅ）、リチイエリネウムマイト（ｌｉｔｃｈｉ  ｅｒｉｎｅｕｍ  ｍｉｔｅ）、チューリップサビダニ（ｗｈｅａｔ  ｃｕｒｌ  ｍｉｔｅ）、ココナッツ花・ナッツダニ（ｃｏｃｏｎｕｔ  ｆｌｏｗｅｒ  ａｎｄ  ｎｕｔ  ｍｉｔｅ）、サトウキビブリスターダニ（ｓｕｇａｒ  ｃａｎｅ  ｂｌｉｓｔｅｒ  ｍｉｔｅ）、バッファローグラスダニ（ｂｕｆｆａｌｏ  ｇｒａｓｓ  ｍｉｔｅ）、ベルムダグラスダニ（ｂｅｒｍｕｄａ  ｇｒａｓｓ  ｍｉｔｅ）、キャロットバドマイト（ｃａｒｒｏｔ  ｂｕｄ  ｍｉｔｅ）、スイートポテトリーフゴールマイト（ｓｗｅｅｔ  ｐｏｔａｔｏ  ｌｅａｆ  ｇａｌｌ  ｍｉｔｅ）、ザクロ葉カールマイト（ｐｏｍｅｇｒａｎａｔｅ  ｌｅａｆ  ｃｕｒｌ  ｍｉｔｅ）、アッシュスプラングルゴールマイト（ａｓｈ  ｓｐｒａｎｇｌｅ  ｇａｌｌ  ｍｉｔｅ）、メープルブラダーゴールマイト（ｍａｐｌｅ  ｂｌａｄｄｅｒ  ｇａｌｌ  ｍｉｔｅ）、アルダーエリネウムマイト（ａｌｄｅｒ  ｅｒｉｎｅｕｍ  ｍｉｔｅ）、レッドベリーマイト（ｒｅｄｂｅｒｒｙ  ｍｉｔｅ）、コットンブリスターマイト（ｃｏｔｔｏｎ  ｂｌｉｓｔｅｒ  ｍｉｔｅ）、ブルーベリーバドマイト（ｂｌｕｅｂｅｒｒｙ  ｂｕｄ  ｍｉｔｅ）、チャノナガサビダニ（ｐｉｎｋ  ｔｅａ  ｒｕｓｔ  ｍｉｔｅ）、リブドティーマイト（ｒｉｂｂｅｄ  ｔｅａ  ｍｉｔｅ）、グレイシトラスマイト（ｇｒｅｙ  ｃｉｔｒｕｓ  ｍｉｔｅ）、スイートポテトルストマイト（ｓｗｅｅｔ  ｐｏｔａｔｏ  ｒｕｓｔ  ｍｉｔｅ）、ホースチェストナットルストマイト（ｈｏｒｓｅ  ｃｈｅｓｔｎｕｔ  ｒｕｓｔ  ｍｉｔｅ）、ミカンサビダニ（ｃｉｔｒｕｓ  ｒｕｓｔ  ｍｉｔｅ）、リンゴサビダニ（ａｐｐｌｅ  ｒｕｓｔ  ｍｉｔｅ）、ブドウサビダニ（ｇｒａｐｅ  ｒｕｓｔ  ｍｉｔｅ）、ナシサビダニ（ｐｅａｒ  ｒｕｓｔ  ｍｉｔｅ）、フラットニードルシースパインマイト（ｆｌａｔ  ｎｅｅｄｌｅ  ｓｈｅａｔｈ  ｐｉｎｅ  ｍｉｔｅ）、ワイルドローズバドおよびフルーツマイト（ｗｉｌｄ  ｒｏｓｅ  ｂｕｄ  ａｎｄ  ｆｒｕｉｔ  ｍｉｔｅ）、ドライベリーマイト（ｄｒｙｂｅｒｒｙ  ｍｉｔｅ）、マンゴーサビダニ（ｍａｎｇｏ  ｒｕｓｔ  ｍｉｔｅ）、アザレアサビダニ（ａｚａｌｅａ  ｒｕｓｔ  ｍｉｔｅ）、モモサビダニ（ｐｌｕｍ  ｒｕｓｔ  ｍｉｔｅ）、ピーチシルバーマイト（ｐｅａｃｈ  ｓｉｌｖｅｒ  ｍｉｔｅ）、リンゴサビダニ（ａｐｐｌｅ  ｒｕｓｔ  ｍｉｔｅ）、トマトサビダニ（ｔｏｍａｔｏ  ｒｕｓｓｅｔ  ｍｉｔｅ）、ミカンサビダニ（ｐｉｎｋ  ｃｉｔｒｕｓ  ｒｕｓｔ  ｍｉｔｅ）、シリアルサビダニ（ｃｅｒｅａｌ  ｒｕｓｔ  ｍｉｔｅ）、イネサビダニ（ｒｉｃｅ  ｒｕｓｔ  ｍｉｔｅ）；
唇脚綱（Ｃｈｉｌｏｐｏｄａ）からの病害生物、例えば、ゲオフィルス属種（Ｇｅｏｐｈｉｌｕｓ  ｓｐｐ．）、スクチゲラ属種（Ｓｃｕｔｉｇｅｒａ  ｓｐｐ．）；
トビムシ目（Ｃｏｌｌｅｍｂｏｌａ）の、例えば、オニキウルス・アルマツス（Ｏｎｙｃｈｉｕｒｕｓ  ａｒｍａｔｕｓ）；
倍脚綱（Ｄｉｐｌｏｐｏｄａ）からの病害生物、例えば、ブラニウルス・グツラツス（Ｂｌａｎｉｕｌｕｓ  ｇｕｔｔｕｌａｔｕｓ）；
昆虫綱（Ｉｎｓｅｃｔａ）からの病害生物、例えば、ゴキブリ目（Ｂｌａｔｔｏｄｅａ）の、例えば、ブラッテラ・アサヒナイ（Ｂｌａｔｔｅｌｌａ  ａｓａｈｉｎａｉ）、ブラッテラ・ゲルマニカ（Ｂｌａｔｔｅｌｌａ  ｇｅｒｍａｎｉｃａ）、ブラッタ・オリエンタリス（Ｂｌａｔｔａ  ｏｒｉｅｎｔａｌｉｓ）、レウコファエア・マデラエ（Ｌｅｕｃｏｐｈａｅａ  ｍａｄｅｒａｅ）、パンクロラ属種（Ｐａｎｃｈｌｏｒａ  ｓｐｐ．）、パルコブラタ属種（Ｐａｒｃｏｂｌａｔｔａ  ｓｐｐ．）、ペリプラネタ属種（Ｐｅｒｉｐｌａｎｅｔａ  ｓｐｐ．）、スペラ・ロンギパルパ（Ｓｕｐｅｌｌａ  ｌｏｎｇｉｐａｌｐａ）；
鞘翅目（Ｃｏｌｅｏｐｔｅｒａ）からの病害生物、例えば、アカリマ・ビタツム（Ａｃａｌｙｍｍａ  ｖｉｔｔａｔｕｍ）、アカントセリデス・オブテクツス（Ａｃａｎｔｈｏｓｃｅｌｉｄｅｓ  ｏｂｔｅｃｔｕｓ）、アドレツス属種（Ａｄｏｒｅｔｕｓ  ｓｐｐ．）、アゲラスチカ・アルニ（Ａｇｅｌａｓｔｉｃａ  ａｌｎｉ）、アグリオテス属種（Ａｇｒｉｏｔｅｓ  ｓｐｐ．）、アルフィトビウス・ジアペリヌス（Ａｌｐｈｉｔｏｂｉｕｓ  ｄｉａｐｅｒｉｎｕｓ）、アンフィマロン・ソルチチアリス（Ａｍｐｈｉｍａｌｌｏｎ  ｓｏｌｓｔｉｔｉａｌｉｓ）、アノビウム・プンクタツム（Ａｎｏｂｉｕｍ  ｐｕｎｃｔａｔｕｍ）、アノプロホラ属種（Ａｎｏｐｌｏｐｈｏｒａ  ｓｐｐ．）、アントノムス属種（Ａｎｔｈｏｎｏｍｕｓ  ｓｐｐ．）、アントレヌス属種（Ａｎｔｈｒｅｎｕｓ  ｓｐｐ．）、アピオン属種（Ａｐｉｏｎ  ｓｐｐ．）、アポゴニア属種（Ａｐｏｇｏｎｉａ  ｓｐｐ．）、アトマリア属種（Ａｔｏｍａｒｉａ  ｓｐｐ．）、アタゲヌス属種（Ａｔｔａｇｅｎｕｓ  ｓｐｐ．）、ブルキジウス・オブテクツス（Ｂｒｕｃｈｉｄｉｕｓ  ｏｂｔｅｃｔｕｓ）、ブルクス属種（Ｂｒｕｃｈｕｓ  ｓｐｐ．）、カッシダ属種（Ｃａｓｓｉｄａ  ｓｐｐ．）、セロトマ・トリフルカタ（Ｃｅｒｏｔｏｍａ  ｔｒｉｆｕｒｃａｔａ）、セウトリンクス属種（Ｃｅｕｔｏｒｒｈｙｎｃｈｕｓ  ｓｐｐ．）、カエトクネマ属種（Ｃｈａｅｔｏｃｎｅｍａ  ｓｐｐ．）、クレオヌス・メンジクス（Ｃｌｅｏｎｕｓ  ｍｅｎｄｉｃｕｓ）、コノデルス属種（Ｃｏｎｏｄｅｒｕｓ  ｓｐｐ．）、コスモポリテス属種（Ｃｏｓｍｏｐｏｌｉｔｅｓ  ｓｐｐ．）、コステリトラ・ゼアランジカ（Ｃｏｓｔｅｌｙｔｒａ  ｚｅａｌａｎｄｉｃａ）、クウテニセラ属種（Ｃｔｅｎｉｃｅｒａ  ｓｐｐ．）、クルクリオ属種（Ｃｕｒｃｕｌｉｏ  ｓｐｐ．）、クリプトレステス・フェルギネウス（Ｃｒｙｐｔｏｌｅｓｔｅｓ  ｆｅｒｒｕｇｉｎｅｕｓ）、クリプトリンクス・ラパチ（Ｃｒｙｐｔｏｒｈｙｎｃｈｕｓ  ｌａｐａｔｈｉ）、シリンドロコプツルス属種（Ｃｙｌｉｎｄｒｏｃｏｐｔｕｒｕｓ  ｓｐｐ．）、デルメステス属種（Ｄｅｒｍｅｓｔｅｓ  ｓｐｐ．）、ジアブロチカ属種（Ｄｉａｂｒｏｔｉｃａ  ｓｐｐ．）、ジコクロキス属種（Ｄｉｃｈｏｃｒｏｃｉｓ  ｓｐｐ．）、ディクラディスパアルミジェラ（Ｄｉｃｌａｄｉｓｐａ  ａｒｍｉｇｅｒａ）、ジロボデルス属種（Ｄｉｌｏｂｏｄｅｒｕｓ  ｓｐｐ．）、エピラクナ属種（Ｅｐｉｌａｃｈｎａ  ｓｐｐ．）、エピトリックス属種（Ｅｐｉｔｒｉｘ  ｓｐｐ．）、ファウスチヌス属種（Ｆａｕｓｔｉｎｕｓ  ｓｐｐ．）、ジビウム・プシロイデス（Ｇｉｂｂｉｕｍ  ｐｓｙｌｌｏｉｄｅｓ）、グナトセルス・コルヌトゥス（Ｇｎａｔｈｏｃｅｒｕｓ  ｃｏｒｎｕｔｕｓ）、ヘルラウンダリス（Ｈｅｌｌｕｌａ  ｕｎｄａｌｉｓ）、ヘテロニュクス・アラトル（Ｈｅｔｅｒｏｎｙｃｈｕｓ  ａｒａｔｏｒ）、ヘテロニュクス属種（Ｈｅｔｅｒｏｎｙｘ  ｓｐｐ．）、ヒラモルファ・エレガンス（Ｈｙｌａｍｏｒｐｈａ  ｅｌｅｇａｎｓ）、ヒロトルペス・バジュルス（Ｈｙｌｏｔｒｕｐｅｓ  ｂａｊｕｌｕｓ）、ヒペラ・ポスチカ（Ｈｙｐｅｒａ  ｐｏｓｔｉｃａ）、ヒポメセススクアモスス（Ｈｙ���ｏｍｅｃｅｓ  ｓｑｕａｍｏｓｕｓ）、ヒポテネムス属種（Ｈｙｐｏｔｈｅｎｅｍｕｓ  ｓｐｐ．）、ラクノステルナ・コンサングイネア（Ｌａｃｈｎｏｓｔｅｒｎａ  ｃｏｎｓａｎｇｕｉｎｅａ）、ラシオデルマ・セリコルネ（Ｌａｓｉｏｄｅｒｍａ  ｓｅｒｒｉｃｏｒｎｅ）、ラテチクス・オリザエ（Ｌａｔｈｅｔｉｃｕｓ  ｏｒｙｚａｅ）、ラトリジウス属種（Ｌａｔｈｒｉｄｉｕｓ  ｓｐｐ．）、レマ属種（Ｌｅｍａ  ｓｐｐ．）、レプチノタルサ・デセムリネアタ（Ｌｅｐｔｉｎｏｔａｒｓａ  ｄｅｃｅｍｌｉｎｅａｔａ）、ロイコプテラ属種（Ｌｅｕｃｏｐｔｅｒａ  ｓｐｐ．）、リソロプトルス・オリゾフィルス（Ｌｉｓｓｏｒｈｏｐｔｒｕｓ  ｏｒｙｚｏｐｈｉｌｕｓ）、リキスス属種（Ｌｉｘｕｓ  ｓｐｐ．）、ルペロデス属種（Ｌｕｐｅｒｏｄｅｓ  ｓｐｐ．）、リクツス属種（Ｌｙｃｔｕｓ  ｓｐｐ．）、メガセリス属種（Ｍｅｇａｓｃｅｌｉｓ  ｓｐｐ．）、メラノツス属種（Ｍｅｌａｎｏｔｕｓ  ｓｐｐ．）、メリゲテス・アエネウス（Ｍｅｌｉｇｅｔｈｅｓ  ａｅｎｅｕｓ）、メロロンタ属種（Ｍｅｌｏｌｏｎｔｈａ  ｓｐｐ．）、ミゴドルス属種（Ｍｉｇｄｏｌｕｓ  ｓｐｐ．）、モノカムス属種（Ｍｏｎｏｃｈａｍｕｓ  ｓｐｐ．）、ナウパクツス・キサントグラフス（Ｎａｕｐａｃｔｕｓ  ｘａｎｔｈｏｇｒａｐｈｕｓ）、ネクロビア属種（Ｎｅｃｒｏｂｉａ  ｓｐｐ．）、ニプツス・ホロレウクス（Ｎｉｐｔｕｓ  ｈｏｌｏｌｅｕｃｕｓ）、オリクテス・リノセロス（Ｏｒｙｃｔｅｓ  ｒｈｉｎｏｃｅｒｏｓ）、オリザエフィルス・スリナメンシス（Ｏｒｙｚａｅｐｈｉｌｕｓ  ｓｕｒｉｎａｍｅｎｓｉｓ）、オリザファグス・オリザエ（Ｏｒｙｚａｐｈａｇｕｓ  ｏｒｙｚａｅ）、オチオリンクス属種（Ｏｔｉｏｒｒｈｙｎｃｈｕｓ  ｓｐｐ．）、オキシセトニア・ジュクンダ（Ｏｘｙｃｅｔｏｎｉａ  ｊｕｃｕｎｄａ）、ファエドン・コクレアリアエ（Ｐｈａｅｄｏｎ  ｃｏｃｈｌｅａｒｉａｅ）、フィロファガ属種（Ｐｈｙｌｌｏｐｈａｇａ  ｓｐｐ．）、フィロファガ・ヘレリー（Ｐｈｙｌｌｏｐｈａｇａ  ｈｅｌｌｅｒｉ）、フィロトレタ属種（Ｐｈｙｌｌｏｔｒｅｔａ  ｓｐｐ．）、ポピリア・ジャポニカ（Ｐｏｐｉｌｌｉａ  ｊａｐｏｎｉｃａ）、プレムノトリペス属種（Ｐｒｅｍｎｏｔｒｙｐｅｓ  ｓｐｐ．）、プロステファヌス・トランカタス（Ｐｒｏｓｔｅｐｈａｎｕｓ  ｔｒｕｎｃａｔｕｓ）、プシリオデス属種（Ｐｓｙｌｌｉｏｄｅｓ  ｓｐｐ．）、プチヌス属種（Ｐｔｉｎｕｓ  ｓｐｐ．）、リゾビウス・ベントラリス（Ｒｈｉｚｏｂｉｕｓ  ｖｅｎｔｒａｌｉｓ）、リゾペルタ・ドミニカ（Ｒｈｉｚｏｐｅｒｔｈａ  ｄｏｍｉｎｉｃａ）、シトフィルス属種（Ｓｉｔｏｐｈｉｌｕｓ  ｓｐｐ．）、シトフィルス・オリザエ（Ｓｉｔｏｐｈｉｌｕｓ  ｏｒｙｚａｅ）、スフェノホルス属種（Ｓｐｈｅｎｏｐｈｏｒｕｓ  ｓｐｐ．）、ステゴビウム・パセニウム（Ｓｔｅｇｏｂｉｕｍ  ｐａｎｉｃｅｕｍ）、ステルネクス属種（Ｓｔｅｒｎｅｃｈｕｓ  ｓｐｐ．）、シンフィレテス属種（Ｓｙｍｐｈｙｌｅｔｅｓ  ｓｐｐ．）、タニメクス属種（Ｔａｎｙｍｅｃｕｓ  ｓｐｐ．）、テネブリオ・モリトル（Ｔｅｎｅｂｒｉｏ  ｍｏｌｉｔｏｒ）、テネブリオイデス・マウレタニカス（Ｔｅｎｅｂｒｉ��ｉｄｅｓ  ｍａｕｒｅｔａｎｉｃｕｓ）、トリボリウム属種（Ｔｒｉｂｏｌｉｕｍ  ｓｐｐ．）、トロゴデルマ属種（Ｔｒｏｇｏｄｅｒｍａ  ｓｐｐ．）、チキウス属種（Ｔｙｃｈｉｕｓ  ｓｐｐ．）、キシロトレクス属種（Ｘｙｌｏｔｒｅｃｈｕｓ  ｓｐｐ．）、ザブルス属種（Ｚａｂｒｕｓ  ｓｐｐ．）；
好ましくはバンディッド・キューカンバ・ビートル（Ｂａｎｄｅｄ  ｃｕｃｕｍｂｅｒ  ｂｅｅｔｌｅ）（ジアブロチカ・バルテアタ（Ｄｉａｂｒｏｔｉｃａ  ｂａｌｔｅａｔａ））、ノーザン・コーン・ルートワーム（ジアブロチカ・バルベリ（Ｄｉａｂｒｏｔｉｃａ  ｂａｒｂｅｒｉ））、サザン・コーン・ルートワーム（ジアブロチカ・ウンデシムプンクタタ・ホワルディ（Ｄｉａｂｒｏｔｉｃａ  ｕｎｄｅｃｉｍｐｕｎｃｔａｔａ  ｈｏｗａｒｄｉ））、ウェスタン・キューカンバ・ビートル（Ｗｅｓｔｅｒｎ  ｃｕｃｕｍｂｅｒ  ｂｅｅｔｌｅ）（ジアブロチカ・ウンデシムプンクタタ・テネラ（Ｄｉａｂｒｏｔｉｃａ  ｕｎｄｅｃｉｍｐｕｎｃｔａｔａ  ｔｅｎｅｌｌａ））、ウェスタン・スポッティッド・キューカンバ・ビートル（Ｗｅｓｔｅｒｎ  ｓｐｏｔｔｅｄ  ｃｕｃｕｍｂｅｒ  ｂｅｅｔｌｅ）（ジアブロチカ・ウンデシムプンクタタ・ウンデシムプンクタタ（Ｄｉａｂｒｏｔｉｃａ  ｕｎｄｅｃｉｍｐｕｎｃｔａｔａ  ｕｎｄｅｃｉｍｐｕｎｃｔａｔａ））、ウェスタン・コーン・ルートワーム（ジアブロチカ・ビルギフェラ・ビルギフェラ（Ｄｉａｂｒｏｔｉｃａ  ｖｉｒｇｉｆｅｒａ  ｖｉｒｇｉｆｅｒａ））、メキシカン・コーン・ルートワーム（ジアブロチカ・ビルギフェラ・ゼアエ（Ｄｉａｂｒｏｔｉｃａ  ｖｉｒｇｉｆｅｒａ  ｚｅａｅ））からの病害生物；
双翅目（Ｄｉｐｔｅｒａ）からの病害生物、例えば、アエデス属種（Ａｅｄｅｓ  ｓｐｐ．）、アグロミザ属種（Ａｇｒｏｍｙｚａ  ｓｐｐ．）、アナストレファ属種（Ａｎａｓｔｒｅｐｈａ  ｓｐｐ．）、アノフェレス属種（Ａｎｏｐｈｅｌｅｓ  ｓｐｐ．）、アスポンジュリア属種（Ａｓｐｈｏｎｄｙｌｉａ  ｓｐｐ．）、バクトロケラ属種（Ｂａｃｔｒｏｃｅｒａ  ｓｐｐ．）、ビビオ・ホルツラヌス（Ｂｉｂｉｏ  ｈｏｒｔｕｌａｎｕｓ）、カリホラ・エリトロセファラ（Ｃａｌｌｉｐｈｏｒａ  ｅｒｙｔｈｒｏｃｅｐｈａｌａ）、カリフォラ・ビシナ（Ｃａｌｌｉｐｈｏｒａ  ｖｉｃｉｎａ）、セラチチス・カピタタ（Ｃｅｒａｔｉｔｉｓ  ｃａｐｉｔａｔａ）、キロノムス属種（Ｃｈｉｒｏｎｏｍｕｓ  ｓｐｐ．）、クリソミイア属種（Ｃｈｒｙｓｏｍｙｉａ  ｓｐｐ．）、クリソプス属種（Ｃｈｒｙｓｏｐｓ  ｓｐｐ．）、クリソゾナ・プルビアリス（Ｃｈｒｙｓｏｚｏｎａ  ｐｌｕｖｉａｌｉｓ）、コクリオミイア属種（Ｃｏｃｈｌｉｏｍｙｉａ  ｓｐｐ．）、コンタリニア属種（Ｃｏｎｔａｒｉｎｉａ  ｓｐｐ．）、コルジオビア・アントロポファガ（Ｃｏｒｄｙｌｏｂｉａ  ａｎｔｈｒｏｐｏｐｈａｇａ）、クリコトプス・シルベストリス（Ｃｒｉｃｏｔｏｐｕｓ  ｓｙｌｖｅｓｔｒｉｓ）、クレクス属種（Ｃｕｌｅｘ  ｓｐｐ．）、クリコイデス属種（Ｃｕｌｉｃｏｉｄｅｓ  ｓｐｐ．）、クリセタ属種（Ｃｕｌｉｓｅｔａ  ｓｐｐ．）、クテレブラ属種（Ｃｕｔｅｒｅｂｒａ  ｓｐｐ．）、ダクス・オレアエ（Ｄａｃｕｓ  ｏｌｅａｅ）、ダシネウラ属種（Ｄａｓｙｎｅｕｒａ  ｓｐｐ．）、デリア属種（Ｄｅｌｉａ  ｓｐｐ．）、デルマトビア・ホミニス（Ｄｅｒｍａｔｏｂｉａ  ｈｏｍｉｎｉｓ）、ドロソフィラ属種（Ｄｒｏｓｏｐｈｉｌａ  ｓｐｐ．）、エキノクネムス属種（Ｅｃｈｉｎｏｃｎｅｍｕｓ  ｓｐｐ．）、ファンニア属種（Ｆａｎｎｉａ  ｓｐｐ．）、ガステロフィルス属種（Ｇａｓｔｅｒｏｐｈｉｌｕｓ  ｓｐｐ．）、グロッシナ属種（Ｇｌｏｓｓｉｎａ  ｓｐｐ．）、ハエマトポタ属種（Ｈａｅｍａｔｏｐｏｔａ  ｓｐｐ．）、ヒドレリア属種（Ｈｙｄｒｅｌｌｉａ  ｓｐｐ．）、ヒドレリアグリセオラ（Ｈｙｄｒｅｌｌｉａ  ｇｒｉｓｅｏｌａ）、ハイレミア属種（Ｈｙｌｅｍｙａ  ｓｐｐ．）、ヒポボスカ属種（Ｈｉｐｐｏｂｏｓｃａ  ｓｐｐ．）、ヒポデルマ属種（Ｈｙｐｏｄｅｒｍａ  ｓｐｐ．）、リリオミザ属種（Ｌｉｒｉｏｍｙｚａ  ｓｐｐ．）、ルシリア属種（Ｌｕｃｉｌｉａ  ｓｐｐ．）、ルトゾミイア属種（Ｌｕｔｚｏｍｙｉａ  ｓｐｐ．）、マンソニア属種（Ｍａｎｓｏｎｉａ  ｓｐｐ．）、ムスカ属種（Ｍｕｓｃａ  ｓｐｐ．）、オエストルス属種（Ｏｅｓｔｒｕｓ  ｓｐｐ．）、オシネラ・フリト（Ｏｓｃｉｎｅｌｌａ  ｆｒｉｔ）、パラタニタルスス属種（Ｐａｒａｔａｎｙｔａｒｓｕｓ  ｓｐｐ．）、パラロイテルボルニエラ・スブチンクタ（Ｐａｒａｌａｕｔｅｒｂｏｒｎｉｅｌｌａ  ｓｕｂｃｉｎｃｔａ）、ペゴマイヤ属種（Ｐｅｇｏｍｙｉａ  ｓｐｐ．）、フレボトムス属種（Ｐｈｌｅｂｏｔｏｍｕｓ  ｓｐｐ．）、ホルビア属種（Ｐｈｏｒｂｉａ  ｓｐｐ．）、ホルミア属種（Ｐｈｏｒｍｉａ  ｓｐｐ．）、ピオフィラ・カゼイ（Ｐｉｏｐｈｉｌａ  ｃａｓｅｉ）、プロジプロシス属種（Ｐｒｏｄｉｐｌｏｓｉｓ  ｓｐｐ．）、プシラ・ロサエ（Ｐｓｉｌａ  ｒｏｓａｅ）、ラゴレチス属種（Ｒｈａｇｏｌｅｔｉｓ  ｓｐｐ．）、サルコファガ属種（Ｓａｒｃｏｐｈａｇａ  ｓｐｐ．）、シムリウム属種（Ｓｉｍｕｌｉｕｍ  ｓｐｐ．）、ストモキス属種（Ｓｔｏｍｏｘｙｓ  ｓｐｐ．）、タバヌス属種（Ｔａｂａｎｕｓ  ｓｐｐ．）、テタノプス属種（Ｔｅｔａｎｏｐｓ  ｓｐｐ．）、チプラ属種（Ｔｉｐｕｌａ  ｓｐｐ．）；
ヘテロプテラ目（Ｈｅｔｅｒｏｐｔｅｒａ）からの病害生物、例えば、アナサ・トリスチス（Ａｎａｓａ  ｔｒｉｓｔｉｓ）、アンテスチオプチス属種（Ａｎｔｅｓｔｉｏｐｓｉｓ  ｓｐｐ．）、ボイセア属種（Ｂｏｉｓｅａ  ｓｐｐ．）、ブリスス属種（Ｂｌｉｓｓｕｓ  ｓｐｐ．）、カロコリス属種（Ｃａｌｏｃｏｒｉｓ  ｓｐｐ．）、カムピロンマ・リビダ（Ｃａｍｐｙｌｏｍｍａ  ｌｉｖｉｄａ）、カベレリウス属種（Ｃａｖｅｌｅｒｉｕｓ  ｓｐｐ．）、シメックス属種（Ｃｉｍｅｘ  ｓｐｐ．）、コラリア属種（Ｃｏｌｌａｒｉａ  ｓｐｐ．）、クレオンチアデス・ジルツス（Ｃｒｅｏｎｔｉａｄｅｓ  ｄｉｌｕｔｕｓ）、ダシヌス・ペピリス（Ｄａｓｙｎｕｓ  ｐｉｐｅｒｉｓ）、ジケロプス・フルカツス（Ｄｉｃｈｅｌｏｐｓ  ｆｕｒｃａｔｕｓ）、ジコノコリス・ヘウェチ（Ｄｉｃｏｎｏｃｏｒｉｓ  ｈｅｗｅｔｔｉ）、ジスデルクス属種（Ｄｙｓｄｅｒｃｕｓ  ｓｐｐ．）、エウシスツス属種（Ｅｕｓｃｈｉｓｔｕｓ  ｓｐｐ．）、エウリガステル属種（Ｅｕｒｙｇａｓｔｅｒ  ｓｐｐ．）、ヘリオペルチス属種（Ｈｅｌｉｏｐｅｌｔｉｓ  ｓｐｐ．）、ホルシアス・ノビレルス（Ｈｏｒｃｉａｓ  ｎｏｂｉｌｅｌｌｕｓ）、レプトコリサ属種（Ｌｅｐｔｏｃｏｒｉｓａ  ｓｐｐ．）、レプトコリサ・ヴァリコルニス（Ｌｅｐｔｏｃｏｒｉｓａ  ｖａｒｉｃｏｒｎｉｓ）、レプトグロスス・フィロプス（Ｌｅｐｔｏｇｌｏｓｓｕｓ  ｐｈｙｌｌｏｐｕｓ）、リグス属種（Ｌｙｇｕｓ  ｓｐｐ．）、マクロペス・イクスカバツス（Ｍａｃｒｏｐｅｓ  ｅｘｃａｖａｔｕｓ）、ミリダエ（Ｍｉｒｉｄａｅ）、モナロニオン・アトラツム（Ｍｏｎａｌｏｎｉｏｎ  ａｔｒａｔｕｍ）、ネザラ属種（Ｎｅｚａｒａ  ｓｐｐ．）、オエバルス属種（Ｏｅｂａｌｕｓ  ｓｐｐ．）、ペントミダエ（Ｐｅｎｔｏｍｉｄａｅ）、ピエスマ・クワドラタ（Ｐｉｅｓｍａ  ｑｕａｄｒａｔａ）、ピエゾドルス属種（Ｐｉｅｚｏｄｏｒｕｓ  ｓｐｐ．）、プサルス属種（Ｐｓａｌｌｕｓ  ｓｐｐ．）、プセウドアシスタ・ペルセア（Ｐｓｅｕｄａｃｙｓｔａ  ｐｅｒｓｅａ）、ロドニウス属種（Ｒｈｏｄｎｉｕｓ  ｓｐｐ．）、サールベンゲラ・シングラリス（Ｓａｈｌｂｅｒｇｅｌｌａ  ｓｉｎｇｕｌａｒｉｓ）、スカプトコリス・カスタネア（Ｓｃａｐｔｏｃｏｒｉｓ  ｃａｓｔａｎｅａ）、スコチノホラ属種（Ｓｃｏｔｉｎｏｐｈｏｒａ  ｓｐｐ．）、ステファニチス・ナシ（Ｓｔｅｐｈａｎｉｔｉｓ  ｎａｓｈｉ）、チブラカ属種（Ｔｉｂｒａｃａ  ｓｐｐ．）、トリアトマ属種（Ｔｒｉａｔｏｍａ  ｓｐｐ．）；
ホモプテラ目（Ｈｏｍｏｐｔｅｒａ）からの病害生物、例えば、アシッツィア・アカシアバイレヤナエ（Ａｃｉｚｚｉａ  ａｃａｃｉａｅｂａｉｌｅｙａｎａｅ）、アシッツィア・ドドナエアエ（Ａｃｉｚｚｉａ  ｄｏｄｏｎａｅａｅ）、アシッツィア・ウンカトイデス（Ａｃｉｚｚｉａ  ｕｎｃａｔｏｉｄｅｓ）、アクリダ・ツリタ（Ａｃｒｉｄａ  ｔｕｒｒｉｔａ）、アシルトシポン属種（Ａｃｙｒｔｈｏｓｉｐｏｎ  ｓｐｐ．）、アクロゴニア属種（Ａｃｒｏｇｏｎｉａ  ｓｐｐ．）、アエネオラミア属種（Ａｅｎｅｏｌａｍｉａ  ｓｐｐ．）、アゴノセナ属種（Ａｇｏｎｏｓｃｅｎａ  ｓｐｐ．）、アレイローデス・プロレッテラ（Ａｌｅｙｒｏｄｅｓ  ｐｒｏｌｅｔｅｌｌａ）、アレウロロブス・バロデンシス（Ａｌｅｕｒｏｌｏｂｕｓ  ｂａｒｏｄｅｎｓｉｓ）、アレウロトリクス・フロコスス（Ａｌｅｕｒｏｔｈｒｉｘｕｓ  ｆｌｏｃｃｏｓｕｓ）、アロカリダラ・マライエンシス（Ａｌｌｏｃａｒｉｄａｒａ  ｍａｌａｙｅｎｓｉｓ）、アムラスカ属種（Ａｍｒａｓｃａ  ｓｐｐ．）、アヌラフィス・カルズィ（Ａｎｕｒａｐｈｉｓ  ｃａｒｄｕｉ）、アオニジエラ属種（Ａｏｎｉｄｉｅｌｌａ  ｓｐｐ．）、アファノスチグマ・ピリ（Ａｐｈａｎｏｓｔｉｇｍａ  ｐｉｒｉ）、アフィス属種（Ａｐｈｉｓ  ｓｐｐ．）、アルボリジア・アピカリス（Ａｒｂｏｒｉｄｉａ  ａｐｉｃａｌｉｓ）、アリタイニラ属種（Ａｒｙｔａｉｎｉｌｌａ  ｓｐｐ．）、アスピジエラ属種（Ａｓｐｉｄｉｅｌｌａ  ｓｐｐ．）、アスピジオツス属種（Ａｓｐｉｄｉｏｔｕｓ  ｓｐｐ．）、アタヌス属種（Ａｔａｎｕｓ  ｓｐｐ．）、アウラコルツム・ソラニ（Ａｕｌａｃｏｒｔｈｕｍ  ｓｏｌａｎｉ）、ベミシア・タバシ（Ｂｅｍｉｓｉａ  ｔａｂａｃｉ）、ブラストプシラ・オクシデンタリス（Ｂｌａｓｔｏｐｓｙｌｌａ  ｏｃｃｉｄｅｎｔａｌｉｓ）、ボレイオグリカスピス・メラロイカエ（Ｂｏｒｅｉｏｇｌｙｃａｓｐｉｓ  ｍｅｌａｌｅｕｃａｅ）、ブラキカウズス・ヘリクリシ（Ｂｒａｃｈｙｃａｕｄｕｓ  ｈｅｌｉｃｈｒｙｓｉ）、ブラキコルス属種（Ｂｒａｃｈｙｃｏｌｕｓ  ｓｐｐ．）、ブレビコリネ・ブラシカエ（Ｂｒｅｖｉｃｏｒｙｎｅ  ｂｒａｓｓｉｃａｅ）、カコプシラ属種（Ｃａｃｏｐｓｙｌｌａ  ｓｐｐ．）、カリジポナ・マルギナタ（Ｃａｌｌｉｇｙｐｏｎａ  ｍａｒｇｉｎａｔａ）、カルネオセファラ・フルギダ（Ｃａｒｎｅｏｃｅｐｈａｌａ  ｆｕｌｇｉｄａ）、セラトバクナ・ラニゲラ（Ｃｅｒａｔｏｖａｃｕｎａ  ｌａｎｉｇｅｒａ）、セルコピダエ（Ｃｅｒｃｏｐｉｄａｅ）、セロプラステス属種（Ｃｅｒｏｐｌａｓｔｅｓ  ｓｐｐ．）、カエトシホン・フラガエホリイ（Ｃｈａｅｔｏｓｉｐｈｏｎ  ｆｒａｇａｅｆｏｌｉｉ）、キオナスピス・テガレンシス（Ｃｈｉｏｎａｓｐｉｓ  ｔｅｇａｌｅｎｓｉｓ）、クロリタ・オヌキイ（Ｃｈｌｏｒｉｔａ  ｏｎｕｋｉｉ）、コンドラクリスロセ（Ｃｈｏｎｄｒａｃｒｉｓ  ｒｏｓｅａ）、クロマフィス・ジュグランジコラ（Ｃｈｒｏｍａｐｈｉｓ  ｊｕｇｌａｎｄｉｃｏｌａ）、クリソムファルス・フィクス（Ｃｈｒｙｓｏｍｐｈａｌｕｓ  ｆｉｃｕｓ）、シカズリナ・ムビラ（Ｃｉｃａｄｕｌｉｎａ  ｍｂｉｌａ）、コッコミチルス・ハリイ（Ｃｏｃｃｏｍｙｔｉｌ��ｓ  ｈａｌｌｉ）、コックス属種（Ｃｏｃｃｕｓ  ｓｐｐ．）、クリストミズル・リビス（Ｃｒｙｐｔｏｍｙｚｕｓ  ｒｉｂｉｓ）、クリプトネオッサ属種（Ｃｒｙｐｔｏｎｅｏｓｓａ  ｓｐｐ．）、クテノナリタイナ属種（Ｃｔｅｎａｒｙｔａｉｎａ  ｓｐｐ．）、ダルブルス属種（Ｄａｌｂｕｌｕｓ  ｓｐｐ．）、ジアロイロデス・シトリ（Ｄｉａｌｅｕｒｏｄｅｓ  ｃｉｔｒｉ）、ジアホリナ・シトリ（Ｄｉａｐｈｏｒｉｎａ  ｃｉｔｒｉ）、ジアスピス属種（Ｄｉａｓｐｉｓ  ｓｐｐ．）、ドロシカ属種（Ｄｒｏｓｉｃｈａ  ｓｐｐ．）、ジサフィス属種（Ｄｙｓａｐｈｉｓ  ｓｐｐ．）、ジスミコックス属種（Ｄｙｓｍｉｃｏｃｃｕｓ  ｓｐｐ．）、エンポアスカ属種（Ｅｍｐｏａｓｃａ  ｓｐｐ．）、エリオソマ属種（Ｅｒｉｏｓｏｍａ  ｓｐｐ．）、エリトロネウラ属種（Ｅｒｙｔｈｒｏｎｅｕｒａ  ｓｐｐ．）、ユーカリプトリマ属種（Ｅｕｃａｌｙｐｔｏｌｙｍａ  ｓｐｐ．）、ユーフィルラ属種（Ｅｕｐｈｙｌｌｕｒａ  ｓｐｐ．）、エウセリス・ビロバツス（Ｅｕｓｃｅｌｉｓ  ｂｉｌｏｂａｔｕｓ）、フェリシア属種（Ｆｅｒｒｉｓｉａ  ｓｐｐ．）、ゲオコックス・コフェアエ（Ｇｅｏｃｏｃｃｕｓ  ｃｏｆｆｅａｅ）、グリカスピス属種（Ｇｌｙｃａｓｐｉｓ  ｓｐｐ．）、ヘテロプシラ  クバナ（Ｈｅｔｅｒｏｐｓｙｌｌａ  ｃｕｂａｎａ）、ヘテロプシラ・スピヌロサ（Ｈｅｔｅｒｏｐｓｙｌｌａ  ｓｐｉｎｕｌｏｓａ）、ホマロジスカ・コアグラタ（Ｈｏｍａｌｏｄｉｓｃａ  ｃｏａｇｕｌａｔａ）、ヒアロプテルス・アルンジニス（Ｈｙａｌｏｐｔｅｒｕｓ  ａｒｕｎｄｉｎｉｓ）、イセリア属種（Ｉｃｅｒｙａ  ｓｐｐ．）、イジオセルス属種（Ｉｄｉｏｃｅｒｕｓ  ｓｐｐ．）、イジオスコプス属種（Ｉｄｉｏｓｃｏｐｕｓ  ｓｐｐ．）、ラオデルファクス・ストリアテルス（Ｌａｏｄｅｌｐｈａｘ  ｓｔｒｉａｔｅｌｌｕｓ）、レカニウム属種（Ｌｅｃａｎｉｕｍ  ｓｐｐ．）、レピドサフェス属種（Ｌｅｐｉｄｏｓａｐｈｅｓ  ｓｐｐ．）、リパフィス・エリシミ（Ｌｉｐａｐｈｉｓ  ｅｒｙｓｉｍｉ）、マクロシフム属種（Ｍａｃｒｏｓｉｐｈｕｍ  ｓｐｐ．）、マクロステレス・ファシフロン（Ｍａｃｒｏｓｔｅｌｅｓ  ｆａｃｉｆｒｏｎｓ）、マハナルバ属種（Ｍａｈａｎａｒｖａ  ｓｐｐ．）、メラナフィス・サッカリ（Ｍｅｌａｎａｐｈｉｓ  ｓａｃｃｈａｒｉ）、メトカルフィエラ属種（Ｍｅｔｃａｌｆｉｅｌｌａ  ｓｐｐ．）、メトポロフィウム・ジロズム（Ｍｅｔｏｐｏｌｏｐｈｉｕｍ  ｄｉｒｈｏｄｕｍ）、モネリア・コスタリス（Ｍｏｎｅｌｌｉａ  ｃｏｓｔａｌｉｓ）、モネリオプシス・ペカニス（Ｍｏｎｅｌｌｉｏｐｓｉｓ  ｐｅｃａｎｉｓ）、ミズス属種（Ｍｙｚｕｓ  ｓｐｐ．）、ナソノビア・ニビスニグリ（Ｎａｓｏｎｏｖｉａ  ｒｉｂｉｓｎｉｇｒｉ）、ネホテッチキス属種（Ｎｅｐｈｏｔｅｔｔｉｘ  ｓｐｐ．）、ネッチゴニクラ・スペクトラ（Ｎｅｔｔｉｇｏｎｉｃｌｌａ  ｓｐｅｃｔｒａ）、ニラパルバタ・ルゲンス（Ｎｉｌａｐａｒｖａｔａ  ｌｕｇｅｎｓ）、オンコメトピア属種（Ｏｎｃｏｍｅｔｏｐｉａ  ｓｐｐ．）、オルテジア・プラテロンガ（Ｏｒｔｈｅｚｉａ  ｐｒａｅｌｏｎｇａ）、オクシアチネンシス（Ｏｘｙａ  ｃｈｉｎｅｎｓｉｓ）、パチプシラ属種（Ｐａｃｈｙｐｓｙｌｌａ  ｓｐｐ．）、パラベムシア・ミリカエ（Ｐａｒａｂｅｍｉｓｉａ  ｍｙｒｉｃａｅ）、パラトリオザ属種（Ｐａｒａｔｒｉｏｚａ  ｓｐｐ．）、パルラトリア属種（Ｐａｒｌａｔｏｒｉａ  ｓｐｐ．）、ペムフィグス属種（Ｐｅｍｐｈｉｇｕｓ  ｓｐｐ．）、ペレグリヌス・マイジス（Ｐｅｒｅｇｒｉｎｕｓ  ｍａｉｄｉｓ）、フェナコックス属種（Ｐｈｅｎａｃｏｃｃｕｓ  ｓｐｐ．）、フロエオミズス・パセリニイ（Ｐｈｌｏｅｏｍｙｚｕｓ  ｐａｓｓｅｒｉｎｉｉ）、ホロドン・フムリ（Ｐｈｏｒｏｄｏｎ  ｈｕｍｕｌｉ）、フィロキセラ属種（Ｐｈｙｌｌｏｘｅｒａ  ｓｐｐ．）、ピンナスピス・アスピジストラエ（Ｐｉｎｎａｓｐｉｓ  ａｓｐｉｄｉｓｔｒａｅ）、プラノコックス属種（Ｐｌａｎｏｃｏｃｃｕｓ  ｓｐｐ．）、プロソピドプシラ・フラバ（Ｐｒｏｓｏｐｉｄｏｐｓｙｌｌａ  ｆｌａｖａ）、プロトプルビナリア・ピリホルミス（Ｐｒｏｔｏｐｕｌｖｉｎａｒｉａ  ｐｙｒｉｆｏｒｍｉｓ）、プセウダウラカスピス・ペンタゴナ（Ｐｓｅｕｄａｕｌａｃａｓｐｉｓ  ｐｅｎｔａｇｏｎａ）、プセウドコックス属種（Ｐｓｅｕｄｏｃｏｃｃｕｓ  ｓｐｐ．）、プシロプシス属種（Ｐｓｙｌｌｏｐｓｉｓ  ｓｐｐ．）、プシラ属種（Ｐｓｙｌｌａ  ｓｐｐ．）、プテロマルス属種（Ｐｔｅｒｏｍａｌｕｓ  ｓｐｐ．）、ピリラ属種（Ｐｙｒｉｌｌａ  ｓｐｐ．）、クアドラスピジオツス属種（Ｑｕａｄｒａｓｐｉｄｉｏｔｕｓ  ｓｐｐ．）、クエサダ・ギガス（Ｑｕｅｓａｄａ  ｇｉｇａｓ）、ラストロコックス属種（Ｒａｓｔｒｏｃｏｃｃｕｓ  ｓｐｐ．）、ロパロシフム属種（Ｒｈｏｐａｌｏｓｉｐｈｕｍ  ｓｐｐ．）、サイセチア属種（Ｓａｉｓｓｅｔｉａ  ｓｐｐ．）、スカフォイデウス  チタヌス（Ｓｃａｐｈｏｉｄｅｕｓ  ｔｉｔａｎｕｓ）、シザフィス・グラミヌム（Ｓｃｈｉｚａｐｈｉｓ  ｇｒａｍｉｎｕｍ）、セレナスピズス・アルチクラツス（Ｓｅｌｅｎａｓｐｉｄｕｓ  ａｒｔｉｃｕｌａｔｕｓ）、ソガタ属種（Ｓｏｇａｔａ  ｓｐｐ．）、ソガテラ・フルシフェラ（Ｓｏｇａｔｅｌｌａ  ｆｕｒｃｉｆｅｒａ）、ソガトデス属種（Ｓｏｇａｔｏｄｅｓ  ｓｐｐ．）、スチクトセファラ・フェスチナ（Ｓｔｉｃｔｏｃｅｐｈａｌａ  ｆｅｓｔｉｎａ）、シフォニヌス・フィリレアエ（Ｓｉｐｈｏｎｉｎｕｓ  ｐｈｉｌｌｙｒｅａｅ）、テナラファラ・マラエンシス（Ｔｅｎａｌａｐｈａｒａ  ｍａｌａｙｅｎｓｉｓ）、テトラゴノセフェラ属種（Ｔｅｔｒａｇｏｎｏｃｅｐｈｅｌａ  ｓｐｐ．）、チノカリス・カリアエホリアエ（Ｔｉｎｏｃａｌｌｉｓ  ｃａｒｙａｅｆｏｌｉａｅ）、トマスピス属種（Ｔｏｍａｓｐｉｓ  ｓｐｐ．）、トキソプテラ属種（Ｔｏｘｏｐｔｅｒａ  ｓｐｐ．）、トリアエウロデス・バポラリオルム（Ｔｒｉａｌｅｕｒｏｄｅｓ  ｖａｐｏｒａｒｉｏｒｕｍ）、トリオザ属種（Ｔｒｉｏｚａ  ｓｐｐ．）、チフロシバ属種（Ｔｙｐｈｌｏｃｙｂａ  ｓｐｐ．）、ウナスピス属種（Ｕｎａｓｐｉｓ  ｓｐｐ．）、ビテウス・ビチホリイ（Ｖｉｔｅｕｓ  ｖｉｔｉｆｏｌｉｉ）、ジギナ属種（Ｚｙｇｉｎａ  ｓｐｐ．）；
膜翅目（ハチ目）（Ｈｙｍｅｎｏｐｔｅｒａ）からの病害生物、例えば、アクロミルメックス属種（Ａｃｒｏｍｙｒｍｅｘ  ｓｐｐ．）、アタリア属種（Ａｔｈａｌｉａ  ｓｐｐ．）、アッタ属種（Ａｔｔａ  ｓｐｐ．）、ジプリオン属種（Ｄｉｐｒｉｏｎ  ｓｐｐ．）、ホプロカンパ属種（Ｈｏｐｌｏｃａｍｐａ  ｓｐｐ．）、ラシウス属種（Ｌａｓｉｕｓ  ｓｐｐ．）、モノモイウム・ファラオニス（Ｍｏｎｏｍｏｒｉｕｍ  ｐｈａｒａｏｎｉｓ）、シレクス属種（Ｓｉｒｅｘ  ｓｐｐ．）、ソレノプシスインビクタ（Ｓｏｌｅｎｏｐｓｉｓ  ｉｎｖｉｃｔａ）、タピノマ属種（Ｔａｐｉｎｏｍａ  ｓｐｐ．）、ウロセルス属種（Ｕｒｏｃｅｒｕｓ  ｓｐｐ．）、ベスパ属種（Ｖｅｓｐａ  ｓｐｐ．）、キセリス属種（Ｘｅｒｉｓ  ｓｐｐ．）；
等脚目（Ｉｓｏｐｏｄａ）からの病害生物、例えば、アルマジリジウム・ブルガレ（Ａｒｍａｄｉｌｌｉｄｉｕｍ  ｖｕｌｇａｒｅ）、オニスクス・アセルス（Ｏｎｉｓｃｕｓ  ａｓｅｌｌｕｓ）、ポルセリオ・スカベル（Ｐｏｒｃｅｌｌｉｏ  ｓｃａｂｅｒ）；
等翅目（Ｉｓｏｐｔｅｒａ）からの病害生物、例えば、コプトテルメス属種（Ｃｏｐｔｏｔｅｒｍｅｓ  ｓｐｐ．）、コルニテルメス・クムランス（Ｃｏｒｎｉｔｅｒｍｅｓ  ｃｕｍｕｌａｎｓ）、クリプトテルメス属種（Ｃｒｙｐｔｏｔｅｒｍｅｓ  ｓｐｐ．）、インシシテルメス属種（Ｉｎｃｉｓｉｔｅｒｍｅｓ  ｓｐｐ．）、ミクロテルメス・オベシ（Ｍｉｃｒｏｔｅｒｍｅｓ  ｏｂｅｓｉ）、オドントテルメス属種（Ｏｄｏｎｔｏｔｅｒｍｅｓ  ｓｐｐ．）、レチクリテルメス属種（Ｒｅｔｉｃｕｌｉｔｅｒｍｅｓ  ｓｐｐ．）；
チョウ目（Ｌｅｐｉｄｏｐｔｅｒａ）からの病害生物、例えば、アクロイア・グリセラ（Ａｃｈｒｏｉａ  ｇｒｉｓｅｌｌａ）、アクロニクタ・マジョル（Ａｃｒｏｎｉｃｔａ  ｍａｊｏｒ）、アドキソフィエス属種（Ａｄｏｘｏｐｈｙｅｓ  ｓｐｐ．）、アエジア・レウコメラス（Ａｅｄｉａ  ｌｅｕｃｏｍｅｌａｓ）、アグロチス属種（Ａｇｒｏｔｉｓ  ｓｐｐ．）、アラバマ属種（Ａｌａｂａｍａ  ｓｐｐ．）、アミエロイス・トランシテッラ（Ａｍｙｅｌｏｉｓ  ｔｒａｎｓｉｔｅｌｌａ）、アナルシア属種（Ａｎａｒｓｉａ  ｓｐｐ．）、アンチカルシア属種（Ａｎｔｉｃａｒｓｉａ  ｓｐｐ．）、アルギロプロス属種（Ａｒｇｙｒｏｐｌｏｃｅ  ｓｐｐ．）、バラトラ・ブラシカエ（Ｂａｒａｔｈｒａ  ｂｒａｓｓｉｃａｅ）、ボルボ・シンナラ（Ｂｏｒｂｏ  ｃｉｎｎａｒａ）、ブックラトリクス・ツルベリエラ（Ｂｕｃｃｕｌａｔｒｉｘ  ｔｈｕｒｂｅｒｉｅｌｌａ）、ブパルス・ピニアリウス（Ｂｕｐａｌｕｓ  ｐｉｎｉａｒｉｕｓ）、ブッセオラ属種（Ｂｕｓｓｅｏｌａ  ｓｐｐ．）、カコエキア属種（Ｃａｃｏｅｃｉａ  ｓｐｐ．）、カロプチリア・ティボラ（Ｃａｌｏｐｔｉｌｉａ  ｔｈｅｉｖｏｒａ）、カプラ・レチクラナ（Ｃａｐｕａ  ｒｅｔｉｃｕｌａｎａ）、カルポカプサ・ポモネラ（Ｃａｒｐｏｃａｐｓａ  ｐｏｍｏｎｅｌｌａ）、カルポシナ・ニポメンシス（Ｃａｒｐｏｓｉｎａ  ｎｉｐｏｎｅｎｓｉｓ）、ケイマトビア・ブルマタ（Ｃｈｅｉｍａｔｏｂｉａ  ｂｒｕｍａｔａ）、キロ属種（Ｃｈｉｌｏ  ｓｐｐ．）、コリストネウラ属種（Ｃｈｏｒｉｓｔｏｎｅｕｒａ  ｓｐｐ．）、クリシア・アンビグエラ（Ｃｌｙｓｉａ  ａｍｂｉｇｕｅｌｌａ）、クナファロセルス属種（Ｃｎａｐｈａｌｏｃｅｒｕｓ  ｓｐｐ．）、クナファロクロチス・メジナリス（Ｃｎａｐｈａｌｏｃｒｏｃｉｓ  ｍｅｄｉｎａｌｉｓ）、クネファシア属種（Ｃｎｅｐｈａｓｉａ  ｓｐｐ．）、コノポモルファ属種（Ｃｏｎｏｐｏｍｏｒｐｈａ  ｓｐｐ．）、コノトラケルス属種（Ｃｏｎｏｔｒａｃｈｅｌｕｓ  ｓｐｐ．）、コピタルシア属種（Ｃｏｐｉｔａｒｓｉａ  ｓｐｐ．）、シディア属種（Ｃｙｄｉａ  ｓｐｐ．）、ダラカ・ノクツイデス（Ｄａｌａｃａ  ｎｏｃｔｕｉｄｅｓ）、ジアファニア属種（Ｄｉａｐｈａｎｉａ  ｓｐｐ．）、ジアトラエア・サッカラリス（Ｄｉａｔｒａｅａ  ｓａｃｃｈａｒａｌｉｓ）、エアリアス属種（Ｅａｒｉａｓ  ｓｐｐ．）、エクデュトロパ・アウランティウム（Ｅｃｄｙｔｏｌｏｐｈａ  ａｕｒａｎｔｉｕｍ）、エラスモパルプス・リグノセルス（Ｅｌａｓｍｏｐａｌｐｕｓ  ｌｉｇｎｏｓｅｌｌｕｓ）、エルダナ・サッカリナ（Ｅｌｄａｎａ  ｓａｃｃｈａｒｉｎａ）、エフェスチア属種（Ｅｐｈｅｓｔｉａ  ｓｐｐ．）、エピノチア属種（Ｅｐｉｎｏｔｉａ  ｓｐｐ．）、エピフィアス・ポスティフィッタナ（Ｅｐｉｐｈｙａｓ  ｐｏｓｔｖｉｔｔａｎａ）、エチエッラ属種（Ｅｔｉｅｌｌａ  ｓｐｐ．）、エウリア属種（Ｅｕｌｉａ  ｓｐｐ．）、ユーポエシリア・アンビグエラ（Ｅｕｐｏｅｃｉｌｉａ  ａｍｂｉｇｕｅｌｌａ）、エウプロクチス属種（Ｅｕｐｒｏｃｔｉｓ  ｓｐｐ．）、エウキソア属種（Ｅｕｘｏａ  ｓｐｐ．）、フェルチア属種（Ｆｅｌｔｉａ  ｓｐｐ．）、ガレリア・メ��ネラ（Ｇａｌｌｅｒｉａ  ｍｅｌｌｏｎｅｌｌａ）、グラシラリア属種（Ｇｒａｃｉｌｌａｒｉａ  ｓｐｐ．）、グラホリタ属種（Ｇｒａｐｈｏｌｉｔｈａ  ｓｐｐ．）、ヘジレプタ属種（Ｈｅｄｙｌｅｐｔａ  ｓｐｐ．）、ヘリコベルパ属種（Ｈｅｌｉｃｏｖｅｒｐａ  ｓｐｐ．）、ヘリオチス属種（Ｈｅｌｉｏｔｈｉｓ  ｓｐｐ．）、ホフマノフィラ・プセウドスプレテア（Ｈｏｆｍａｎｎｏｐｈｉｌａ  ｐｓｅｕｄｏｓｐｒｅｔｅｌｌａ）、ホモエオソマ属種（Ｈｏｍｏｅｏｓｏｍａ  ｓｐｐ．）、ホモナ属種（Ｈｏｍｏｎａ  ｓｐｐ．）、ヒピノメウタ・パデラ（Ｈｙｐｏｎｏｍｅｕｔａ  ｐａｄｅｌｌａ）、カキボリア・フラボファシアタ（Ｋａｋｉｖｏｒｉａ  ｆｌａｖｏｆａｓｃｉａｔａ）、ラフィグマ属種（Ｌａｐｈｙｇｍａ  ｓｐｐ．）、ラスペイレシア・モレスタ（Ｌａｓｐｅｙｒｅｓｉａ  ｍｏｌｅｓｔａ）、ロイシノデス・オルボナリス（Ｌｅｕｃｉｎｏｄｅｓ  ｏｒｂｏｎａｌｉｓ）、ロイコプテラ属種（Ｌｅｕｃｏｐｔｅｒａ  ｓｐｐ．）、リトコレチス属種（Ｌｉｔｈｏｃｏｌｌｅｔｉｓ  ｓｐｐ．）、リトファネ・アンテンナタ（Ｌｉｔｈｏｐｈａｎｅ  ａｎｔｅｎｎａｔａ）、ロベシア属種（Ｌｏｂｅｓｉａ  ｓｐｐ．）、ロキサグロチス・アルビコスタ（Ｌｏｘａｇｒｏｔｉｓ  ａｌｂｉｃｏｓｔａ）、リマントリア属種（Ｌｙｍａｎｔｒｉａ  ｓｐｐ．）、リオネチア属種（Ｌｙｏｎｅｔｉａ  ｓｐｐ．）、マラコソマ・ネウストリア（Ｍａｌａｃｏｓｏｍａ  ｎｅｕｓｔｒｉａ）、マルカ・テスツラリス（Ｍａｒｕｃａ  ｔｅｓｔｕｌａｌｉｓ）、マメストラ・ブラシカエ（Ｍａｍｓｔｒａ  ｂｒａｓｓｉｃａｅ）、メラニチス・レダ（Ｍｅｌａｎｉｔｉｓ  ｌｅｄａ）、モキス属種（Ｍｏｃｉｓ  ｓｐｐ．）、モノピス・オブビエラ（Ｍｏｎｏｐｉｓ  ｏｂｖｉｅｌｌａ）、ミチムナ・セパラタ（Ｍｙｔｈｉｍｎａ  ｓｅｐａｒａｔａ）、ネマポゴン・コロアセルス（Ｎｅｍａｐｏｇｏｎ  ｃｌｏａｃｅｌｌｕｓ）、ニュムプラ属種（Ｎｙｍｐｈｕｌａ  ｓｐｐ．）、オイケチクス属種（Ｏｉｋｅｔｉｃｕｓ  ｓｐｐ．）、オリア属種（Ｏｒｉａ  ｓｐｐ．）、オルタガ属種（Ｏｒｔｈａｇａ  ｓｐｐ．）、オストリニア属種（Ｏｓｔｒｉｎｉａ  ｓｐｐ．）、オウレマ・オリザエ（Ｏｕｌｅｍａ  ｏｒｙｚａｅ）、パノリス・フランメア（Ｐａｎｏｌｉｓ  ｆｌａｍｍｅａ）、パルナラ属種（Ｐａｒｎａｒａ  ｓｐｐ．）、ペクチノホラ属種（Ｐｅｃｔｉｎｏｐｈｏｒａ  ｓｐｐ．）、ペリロイコプテラ属種（Ｐｅｒｉｌｅｕｃｏｐｔｅｒａ  ｓｐｐ．）、フソリマエア属種（Ｐｈｔｈｏｒｉｍａｅａ  ｓｐｐ．）、フィロクニスチス・シトレラ（Ｐｈｙｌｌｏｃｎｉｓｔｉｓ  ｃｉｔｒｅｌｌａ）、フィロノリクテル属種（Ｐｈｙｌｌｏｎｏｒｙｃｔｅｒ  ｓｐｐ．）、ピエリス属種（Ｐｉｅｒｉｓ  ｓｐｐ．）、プラチノタ・スツルタナ（Ｐｌａｔｙｎｏｔａ  ｓｔｕｌｔａｎａ）、プロジア・インテルプンクテラ（Ｐｌｏｄｉａ  ｉｎｔｅｒｐｕｎｃｔｅｌｌａ）、プルシア属種（Ｐｌｕｓｉａ  ｓｐｐ．）、プルテラ・キシロステラ（Ｐｌｕｔｅｌｌａ  ｘｙｌｏｓｔｅｌｌａ）、プラユス属種（Ｐｒａｙｓ  ｓｐｐ．）、プロデニア属種（Ｐｒｏｄｅｎｉａ  ｓｐｐ．）、プロトパルセ属種（Ｐｒｏｔｏｐａｒｃｅ  ｓｐｐ．）、プセウダレチア属種（Ｐｓｅｕｄａｌｅｔｉａ  ｓｐｐ．）、シューダレティア  ユニプンクタ（Ｐｓｅｕｄａｌｅｔｉａ  ｕｎｉｐｕｎｃｔａ）、プセウドプルシア・インクルデンス（Ｐｓｅｕｄｏｐｌｕｓｉａ  ｉｎｃｌｕｄｅｎｓ）、ピラウスタ・ヌビラリス（Ｐｙｒａｕｓｔａ  ｎｕｂｉｌａｌｉｓ）、ラキプルシア・ヌ（Ｒａｃｈｉｐｌｕｓｉａ  ｎｕ）、スコエノビウス属種（Ｓｃｈｏｅｎｏｂｉｕｓ  ｓｐｐ．）、スキルポファガ属種（Ｓｃｉｒｐｏｐｈａｇａ  ｓｐｐ．）、スキルポファガ・イノタタ（Ｓｃｉｒｐｏｐｈａｇａ  ｉｎｎｏｔａｔａ）、スコチア・セゲツム（Ｓｃｏｔｉａ  ｓｅｇｅｔｕｍ）、セサミア属種（Ｓｅｓａｍｉａ  ｓｐｐ．）、セサミアインフェレンス（Ｓｅｓａｍｉａ  ｉｎｆｅｒｅｎｓ）、スパルガノチス属種（Ｓｐａｒｇａｎｏｔｈｉｓ  ｓｐｐ．）、スポドプテラ属種（Ｓｐｏｄｏｐｔｅｒａ  ｓｐｐ．）、スポドプテラ・プラエフィカ（Ｓｐｏｄｏｐｔｅｒａ  ｐｒａｅｆｉｃａ）、スタトモポダ属種（Ｓｔａｔｈｍｏｐｏｄａ  ｓｐｐ．）、ストモプテリクス・サブセシヴェラ（Ｓｔｏｍｏｐｔｅｒｙｘ  ｓｕｂｓｅｃｉｖｅｌｌａ）、シナンテドン属種（Ｓｙｎａｎｔｈｅｄｏｎ  ｓｐｐ．）、テシア・ソラニボラ（Ｔｅｃｉａ  ｓｏｌａｎｉｖｏｒａ）、テルメシア・ゲンマタリス（Ｔｈｅｒｍｅｓｉａ  ｇｅｍｍａｔａｌｉｓ）、チネア・クロアセラ（Ｔｉｎｅａ  ｃｌｏａｃｅｌｌａ）、チネア・ペリオネラ（Ｔｉｎｅａ  ｐｅｌｌｉｏｎｅｌｌａ）、チネオラ・ビセリエラ（Ｔｉｎｅｏｌａ  ｂｉｓｓｅｌｌｉｅｌｌａ）、トルトリクス属種（Ｔｏｒｔｒｉｘ  ｓｐｐ．）、トリコパガ・タペトゼッラ（Ｔｒｉｃｈｏｐｈａｇａ  ｔａｐｅｔｚｅｌｌａ）、トリコプルシア属種（Ｔｒｉｃｈｏｐｌｕｓｉａ  ｓｐｐ．）、トリポリザ・インセルツラス（Ｔｒｙｐｏｒｙｚａ  ｉｎｃｅｒｔｕｌａｓ）、ツタ・アブソルタ（Ｔｕｔａ  ａｂｓｏｌｕｔａ）、ビラコラ属種（Ｖｉｒａｃｈｏｌａ  ｓｐｐ．）；
直翅目（Ｏｒｔｈｏｐｔｅｒａ）またはサルタトリア目（Ｓａｌｔａｔｏｒｉａ）からの病害生物、例えば、アケタ・ドメスチクス（Ａｃｈｅｔａ  ｄｏｍｅｓｔｉｃｕｓ）、ジクロプルス属種（Ｄｉｃｈｒｏｐｌｕｓ  ｓｐｐ．）、グリロタルパ属種（Ｇｒｙｌｌｏｔａｌｐａ  ｓｐｐ．）、ヒエログリフス属種（Ｈｉｅｒｏｇｌｙｐｈｕｓ  ｓｐｐ．）、ロクスタ属種（Ｌｏｃｕｓｔａ  ｓｐｐ．）、メラノプルス属種（Ｍｅｌａｎｏｐｌｕｓ  ｓｐｐ．）、シストセルカ・グレガリア（Ｓｃｈｉｓｔｏｃｅｒｃａ  ｇｒｅｇａｒｉａ）；
シラミ目（Ｐｈｔｈｉｒａｐｔｅｒａ）からの病害生物、例えば、ダマリニア属（Ｄａｍａｌｉｎｉａ  ｓｐｐ．）、ハエマトピヌス属種（Ｈａｅｍａｔｏｐｉｎｕｓ  ｓｐｐ．）、リノグナツス属種（Ｌｉｎｏｇｎａｔｈｕｓ  ｓｐｐ．）、ペジクルス属種（Ｐｅｄｉｃｕｌｕｓ  ｓｐｐ．）、プチルス・プビス（Ｐｔｉｒｕｓ  ｐｕｂｉｓ）、トリコデクテス属種（Ｔｒｉｃｈｏｄｅｃｔｅｓ  ｓｐｐ．）；
チャタテムシ目（Ｐｓｏｃｏｐｔｅｒａ）からの病害生物、例えば、レピナツス属種（Ｌｅｐｉｎａｔｕｓ  ｓｐｐ．）、リポセリス属種（Ｌｉｐｏｓｃｅｌｉｓ  ｓｐｐ．）；
ノミ目（Ｓｉｐｈｏｎａｐｔｅｒａ）からの病害生物、例えば、セラトフィルス属種（Ｃｅｒａｔｏｐｈｙｌｌｕｓ  ｓｐｐ．）、クテノセファリデス属種（Ｃｔｅｎｏｃｅｐｈａｌｉｄｅｓ  ｓｐｐ．）、プレクス・イリタンス（Ｐｕｌｅｘ  ｉｒｒｉｔａｎｓ）、ツンガ・ペネトランス（Ｔｕｎｇａ  ｐｅｎｅｔｒａｎｓ）、ゼノプシラ・ケオプス（Ｘｅｎｏｐｓｙｌｌａ  ｃｈｅｏｐｓｉｓ）；
総翅目（Ｔｈｙｓａｎｏｐｔｅｒａ）からの病害生物、例えば、アナフォトリプス・オブスクルス（Ａｎａｐｈｏｔｈｒｉｐｓ  ｏｂｓｃｕｒｕｓ）、バリオトリプス・ビホルミス（Ｂａｌｉｏｔｈｒｉｐｓ  ｂｉｆｏｒｍｉｓ）、ドレパノトリプス・ロイテリ（Ｄｒｅｐａｎｏｔｈｒｉｐｓ  ｒｅｕｔｅｒｉ）、エンネオトリプス・フラベンス（Ｅｎｎｅｏｔｈｒｉｐｓ  ｆｌａｖｅｎｓ）、フランクリニエラ属種（Ｆｒａｎｋｌｉｎｉｅｌｌａ  ｓｐｐ．）、ヘリオトリプス属種（Ｈｅｌｉｏｔｈｒｉｐｓ  ｓｐｐ．）、ヘルチノトリプス・フェモラリス（Ｈｅｒｃｉｎｏｔｈｒｉｐｓ  ｆｅｍｏｒａｌｉｓ）、リピホロトリプス・クルエンタツス（Ｒｈｉｐｉｐｈｏｒｏｔｈｒｉｐｓ  ｃｒｕｅｎｔａｔｕｓ）、シルトトリプス属種（Ｓｃｉｒｔｏｔｈｒｉｐｓ  ｓｐｐ．）、タエニオトリプス・カルダモミ（Ｔａｅｎｉｏｔｈｒｉｐｓ  ｃａｒｄａｍｏｍｉ）、トリプス属種（Ｔｈｒｉｐｓ  ｓｐｐ．）；
シミ目（Ｚｙｇｅｎｔｏｍａ）（＝Ｔｈｙｓａｎｕｒａ）からの病害生物、例えば、クテノレピスマ属種（Ｃｔｅｎｏｌｅｐｉｓｍａ  ｓｐｐ．）、レピスマ・サカリナ（Ｌｅｐｉｓｍａ  ｓａｃｃｈａｒｉｎａ）、レスピモデス・インクイリヌス（Ｌｅｐｉｓｍｏｄｅｓ  ｉｎｑｕｉｌｉｎｕｓ）、テルモビア・ドメスチカ（Ｔｈｅｒｍｏｂｉａ  ｄｏｍｅｓｔｉｃａ）；
コムカデ類（Ｓｙｍｐｈｙｌａ）からの病害生物、例えば、スクチゲラ属種（Ｓｃｕｔｉｇｅｒｅｌｌａ  ｓｐｐ．）；
軟体動物門（Ｍｏｌｌｕｓｃａ）、特に、双殻綱（Ｂｉｖａｌｖｉａ）からの病害生物、例えば、ドレイセナ属種（Ｄｒｅｉｓｓｅｎａ  ｓｐｐ．）、および、腹足綱（Ｇａｓｔｒｏｐｏｄａ）の、例えば、アリオン属種（Ａｒｉｏｎ  ｓｐｐ．）、ビオムファラリア属種（Ｂｉｏｍｐｈａｌａｒｉａ  ｓｐｐ．）、ブリヌス属種（Ｂｕｌｉｎｕｓ  ｓｐｐ．）、デロセラス属種（Ｄｅｒｏｃｅｒａｓ  ｓｐｐ．）、ガルバ属種（Ｇａｌｂａ  ｓｐｐ．）、リムナエア属種（Ｌｙｍｎａｅａ  ｓｐｐ．）、オンコメラニア属種（Ｏｎｃｏｍｅｌａｎｉａ  ｓｐｐ．）、ポマケア属種（Ｐｏｍａｃｅａ  ｓｐｐ．）、スクネシア属種（Ｓｕｃｃｉｎｅａ  ｓｐｐ．）；
へん形動物門（Ｐｌａｔｈｅｌｍｉｎｔｈｅｓ）および線形動物門（Ｎｅｍａｔｏｄａ）からの動物有害生物、例えば、アンシロストマ・ズオデナレ（Ａｎｃｙｌｏｓｔｏｍａ  ｄｕｏｄｅｎａｌｅ）、アンシロストマ・セイラニクム（Ａｎｃｙｌｏｓｔｏｍａ  ｃｅｙｌａｎｉｃｕｍ）、アシロストマ・ブラジリエンシス（Ａｃｙｌｏｓｔｏｍａ  ｂｒａｚｉｌｉｅｎｓｉｓ）、アンシロストマ属種（Ａｎｃｙｌｏｓｔｏｍａ  ｓｐｐ．）、アスカリス属種（Ａｓｃａｒｉｓ  ｓｐｐ．）、ブルギア・マライ（Ｂｒｕｇｉａ  ｍａｌａｙｉ）、ブルギア・チモリ（Ｂｒｕｇｉａ  ｔｉｍｏｒｉ）、ブノストムム属種（Ｂｕｎｏｓｔｏｍｕｍ  ｓｐｐ．）、カベルチア属種（Ｃｈａｂｅｒｔｉａ  ｓｐｐ．）、クロノルキス属種（Ｃｌｏｎｏｒｃｈｉｓ  ｓｐｐ．）、コオペリア属種（Ｃｏｏｐｅｒｉａ  ｓｐｐ．）、ジクロコエリウム属（Ｄｉｃｒｏｃｏｅｌｉｕｍ  ｓｐｐ．）、ジクチオカウルス・フィラリア（Ｄｉｃｔｙｏｃａｕｌｕｓ  ｆｉｌａｒｉａ）、ジフィロボトリウム・ラツム（Ｄｉｐｈｙｌｌｏｂｏｔｈｒｉｕｍ  ｌａｔｕｍ）、ドラクンクルス・メジネンシス（Ｄｒａｃｕｎｃｕｌｕｓ  ｍｅｄｉｎｅｎｓｉｓ）、エキノコックス・グラヌロスス（Ｅｃｈｉｎｏｃｏｃｃｕｓ  ｇｒａｎｕｌｏｓｕｓ）、エキノコックス・ムルチロクラリス（Ｅｃｈｉｎｏｃｏｃｃｕｓ  ｍｕｌｔｉｌｏｃｕｌａｒｉｓ）、エンテロビウス・ベルミクラリス（Ｅｎｔｅｒｏｂｉｕｓ  ｖｅｒｍｉｃｕｌａｒｉｓ）、ファシオラ属種（Ｆａｃｉｏｌａ  ｓｐｐ．）、ハエモンクス属種（Ｈａｅｍｏｎｃｈｕｓ  ｓｐｐ．）、ヘテラキス属種（Ｈｅｔｅｒａｋｉｓ  ｓｐｐ．）、ヒメノレピス・ナナ（Ｈｙｍｅｎｏｌｅｐｉｓ  ｎａｎａ）、ヒオストロングルス属種（Ｈｙｏｓｔｒｏｎｇｕｌｕｓ  ｓｐｐ．）、ロア・ロア（Ｌｏａ  Ｌｏａ）、ネマトジルス属種（Ｎｅｍａｔｏｄｉｒｕｓ  ｓｐｐ．）、オエソファゴストムム属種（Ｏｅｓｏｐｈａｇｏｓｔｏｍｕｍ  ｓｐｐ．）、オピストルキス属種（Ｏｐｉｓｔｈｏｒｃｈｉｓ  ｓｐｐ．）、オンコセルカ・ボルブルス（Ｏｎｃｈｏｃｅｒｃａ  ｖｏｌｖｕｌｕｓ）、オステルタギア属種（Ｏｓｔｅｒｔａｇｉａ  ｓｐｐ．）、パラゴニムス属種（Ｐａｒａｇｏｎｉｍｕｓ  ｓｐｐ．）、シストソメン属種（Ｓｃｈｉｓｔｏｓｏｍｅｎ  ｓｐｐ．）、ストロンギロイデス・フエレボルニ（Ｓｔｒｏｎｇｙｌｏｉｄｅｓ  ｆｕｅｌｌｅｂｏｒｎｉ）、ストロンギロイデス・ステルコラリス（Ｓｔｒｏｎｇｙｌｏｉｄｅｓ  ｓｔｅｒｃｏｒａｌｉｓ）、ストロニロイデス属種（Ｓｔｒｏｎｙｌｏｉｄｅｓ  ｓｐｐ．）、タエニア・サギナタ（Ｔａｅｎｉａ  ｓａｇｉｎａｔａ）、タエニア・ソリウム（Ｔａｅｎｉａ  ｓｏｌｉｕｍ）、トリキネラ・スピラリス（Ｔｒｉｃｈｉｎｅｌｌａ  ｓｐｉｒａｌｉｓ）、トリキネラ・ナチバ（Ｔｒｉｃｈｉｎｅｌｌａ  ｎａｔｉｖａ）、トリキネラ・ブリトビ（Ｔｒｉｃｈｉｎｅｌｌａ  ｂｒｉｔｏｖｉ）、トリキネラ・ネルソニ（Ｔｒｉｃｈｉｎｅｌｌａ  ｎｅｌｓｏｎｉ）、トリキネラ・プセウドプシラリス（Ｔｒｉｃｈｉｎｅｌｌａ  ｐｓｅｕｄｏｐｓｉｒａｌｉｓ）、トリコストロングルス属種（Ｔｒｉｃｈｏｓｔｒｏｎｇｕｌｕｓ  ｓｐｐ．）、トリクリス・トリクリア（Ｔｒｉｃｈｕｒｉｓ  ｔｒｉｃｈｕｒｉａ）、ウケレリア・バンクロフチ（Ｗｕｃｈｅｒｅｒｉａ  ｂａｎｃｒｏｆｔｉ）；
線形動物門（Ｎｅｍａｔｏｄａ）からの植物寄生性病害生物、例えば、アフェレンコイデス属種（Ａｐｈｅｌｅｎｃｈｏｉｄｅｓ  ｓｐｐ．）、ブルサフェレンクス属種（Ｂｕｒｓａｐｈｅｌｅｎｃｈｕｓ  ｓｐｐ．）、ジチレンクス属種（Ｄｉｔｙｌｅｎｃｈｕｓ  ｓｐｐ．）、グロボデラ属種（Ｇｌｏｂｏｄｅｒａ  ｓｐｐ．）、ヘテロデラ属種（Ｈｅｔｅｒｏｄｅｒａ  ｓｐｐ．）、ロンギドルス属種（Ｌｏｎｇｉｄｏｒｕｓ  ｓｐｐ．）、メロイドギネ属種（Ｍｅｌｏｉｄｏｇｙｎｅ  ｓｐｐ．）、プラチレンクス属種（Ｐｒａｔｙｌｅｎｃｈｕｓ  ｓｐｐ．）、ラドフォラス属種（Ｒａｄｏｐｈｏｌｕｓ  ｓｐｐ．）、トリコドルス属種（Ｔｒｉｃｈｏｄｏｒｕｓ  ｓｐｐ．）、チレンクルス属種（Ｔｙｌｅｎｃｈｕｌｕｓ  ｓｐｐ．）、キシフィネマ属種（Ｘｉｐｈｉｎｅｍａ  ｓｐｐ．）、ヘリコティレンクス属種（Ｈｅｌｉｃｏｔｙｌｅｎｃｈｕｓ  ｓｐｐ．）、チレンコリンクス属種（Ｔｙｌｅｎｃｈｏｒｈｙｎｃｈｕｓ  ｓｐｐ．）、スクテロネマ属種（Ｓｃｕｔｅｌｌｏｎｅｍａ  ｓｐｐ．）、パラトリコドルス属種（Ｐａｒａｔｒｉｃｈｏｄｏｒｕｓ  ｓｐｐ．）、メロイネマ属種（Ｍｅｌｏｉｎｅｍａ  ｓｐｐ．）、パラフェレンクス属種（Ｐａｒａｐｈｅｌｅｎｃｈｕｓ  ｓｐｐ．）、アグレンクス属種（Ａｇｌｅｎｃｈｕｓ  ｓｐｐ．）、ベロノライムス属種（Ｂｅｌｏｎｏｌａｉｍｕｓ  ｓｐｐ．）、ナコブス属種（Ｎａｃｏｂｂｕｓ  ｓｐｐ．）、ロチレンクルス属種（Ｒｏｔｙｌｅｎｃｈｕｌｕｓ  ｓｐｐ．）、ロチレンクス属種（Ｒｏｔｙｌｅｎｃｈｕｓ  ｓｐｐ．）、ネオチレンクス属種（Ｎｅｏｔｙｌｅｎｃｈｕｓ  ｓｐｐ．）、パラフェレンクス属種（Ｐａｒａｐｈｅｌｅｎｃｈｕｓ  ｓｐｐ．）、ドリコドルス属種（Ｄｏｌｉｃｈｏｄｏｒｕｓ  ｓｐｐ．）、ホプロライムス属種（Ｈｏｐｌｏｌａｉｍｕｓ  ｓｐｐ．）、プンクトデラ属種（Ｐｕｎｃｔｏｄｅｒａ  ｓｐｐ．）、クリコネメラ属種（Ｃｒｉｃｏｎｅｍｅｌｌａ  ｓｐｐ．）、キニスルシウス（Ｑｕｉｎｉｓｕｌｃｉｕｓ  ｓｐｐ．）、ヘミシクロフォラ属種（Ｈｅｍｉｃｙｃｌｉｏｐｈｏｒａ  ｓｐｐ．）、アングイナ属種（Ａｎｇｕｉｎａ  ｓｐｐ．）、スバングイナ属種（Ｓｕｂａｎｇｕｉｎａ  ｓｐｐ．）、ヘミクリコネモイデス属種（Ｈｅｍｉｃｒｉｃｏｎｅｍｏｉｄｅｓ  ｓｐｐ．）、プシレンクス科（Ｐｓｉｌｅｎｃｈｕｓ  ｓｐｐ．）、スードハレンクス属種（Ｐｓｅｕｄｏｈａｌｅｎｃｈｕｓ  ｓｐｐ．）、クリコネモイデス属種（Ｃｒｉｃｏｎｅｍｏｉｄｅｓ  ｓｐｐ．）、カコパウルス属種（Ｃａｃｏｐａｕｒｕｓ  ｓｐｐ．）、ヒルシュマニエァ属種（Ｈｉｒｓｃｈｍａｎｉｅｌｌａ  ｓｐｐ．）、テチレンクス属種（Ｔｅｔｙｌｅｎｃｈｕｓ  ｓｐｐ．）。
【０２８１】
植物病害および有害生物を防除するのに必要な濃度で、当該組成物が植物によって良好に耐容されることで、植物の地上部分、栄養繁殖器官および種子、ならびに土壌の処理が可能となる。
【０２８２】
本発明によれば、全ての植物および植物部分を処理することができる。植物とは、望ましいおよび望ましくない野生植物、作物および植物変種のような全ての植物および植物集団を意味する（植物品種および植物育種家の権利によって保護され得るか否かを問わず）。栽培品種及び植物変種は、１種類以上の生物工学的方法で（例えば、倍加半数体、原形質融合、ランダム突然変異誘発および定方向突然変異誘発、分子マーカーまたは遺伝的マーカーなどを用いることによって）補助または補足することが可能な従来の繁殖方法および育種方法によって得られる植物であることができるか、生物工学的方法と遺伝子工学的方法によって得られる植物であることができる。植物部分とは、枝条、葉、花および根などの植物の地上部および地下部の全ての部分及び器官を意味し、例えば、葉、針状葉、茎、枝、花、子実体、果実及び種子、ならびに根、球茎および根茎などが挙げられる。作物、ならびに栄養繁殖器官（ｖｅｇｅｔａｔｉｖｅ  ｐｒｏｐａｇａｔｉｎｇ  ｍａｔｅｒｉａｌ）および生殖繁殖器官（ｇｅｎｅｒａｔｉｖｅ  ｐｒｏｐａｇａｔｉｎｇ  ｍａｔｅｒｉａｌ）、例えば、挿し穂、球茎、根茎、匍匐茎および種子なども、植物部分に属する。
【０２８３】
本発明の組成物は、それが植物によって良好に耐容され、好ましい恒温動物毒性を有し、環境によって良好に耐容される場合、植物および植物器官を保護し、収穫量を高め、収穫物の品質を向上させる上で好適である。それは好ましくは、作物保護組成物として用いることができる。それは、通常のように感受性で抵抗性の植物種ならびに全てもしくは一部の発達段階に対して活性である。
【０２８４】
本発明に従って処理することができる植物には、次の主要作物植物：トウモロコシ、ダイズ、アルファルファ、ワタ、ヒマワリ、アブラナ属油料種子（Ｂｒａｓｓｉｃａ  ｏｉｌｓｅｅｄｓ）、例えば、セイヨウアブラナ（Ｂｒａｓｓｉｃａ  ｎａｐｕｓ）（例えば、カノラ、アブラナ）、カブ（Ｂｒａｓｓｉｃａ  ｒａｐａ）、カラシナ（Ｂ．ｊｕｎｃｅａ）（例えば、（菜の花）マスタード）およびアビシニアガラシ（Ｂｒａｓｓｉｃａ  ｃａｒｉｎａｔａ）、ヤシ（Ａｒｅｃａｃｅａｅ）属種（例えば、油やし、ココナッツ）、イネ、コムギ、テンサイ、サトウキビ、エンバク、ライムギ、オオムギ、アワおよびモロコシ、ライコムギ、アマ、ナッツ、ブドウおよびブドウの木、ならびに、種々の植物学的分類群からの各種果実および野菜、例えば、バラ属種（Ｒｏｓａｃｅａｅ  ｓｐ．）（例えば、ナシ状果、例えば、リンゴおよびナシ、さらに、核果、例えば、アンズ、サクランボ、アーモンド、プラムおよびモモ、ならびに液果（ｂｅｒｒｙ  ｆｒｕｉｔｓ）、例えば、イチゴ、ラズベリー、アカフサスグリおよびクロフサスグリならびにグーズベリー）、リベシオイダエ属種（Ｒｉｂｅｓｉｏｉｄａｅ  ｓｐ．）、クルミ属種（Ｊｕｇｌａｎｄａｃｅａｅ  ｓｐ．）、カバノキ属種（Ｂｅｔｕｌａｃｅａｅ  ｓｐ．）、ウルシ属種（Ａｎａｃａｒｄｉａｃｅａｅ  ｓｐ．）、ブナ属種（Ｆａｇａｃｅａｅ  ｓｐ．）、クワ属種（Ｍｏｒａｃｅａｅ  ｓｐ．）、モクセイ属種（Ｏｌｅａｃｅａｅ  ｓｐ．）（例えば、オリーブの木）、マタタビ属種（Ａｃｔｉｎｉｄａｃｅａｅ  ｓｐ．）、クスノキ属種（Ｌａｕｒａｃｅａｅ  ｓｐ．）（例えば、アボカド、シナモン、樟脳）、バショウ属種（Ｍｕｓａｃｅａｅ  ｓｐ．）（例えば、バナナの木およびバナナ園（ｂａｎａｎａ  ｔｒｅｅｓ  ａｎｄ  ｐｌａｎｔａｔｉｏｎｓ））、アカネ属種（Ｒｕｂｉａｃｅａｅ  ｓｐ．）（例えば、コーヒー）、ツバキ属種（Ｔｈｅａｃｅａｅ  ｓｐ．）（例えば、チャ）、アオギリ属種（Ｓｔｅｒｃｕｌｉｃｅａｅ  ｓｐ．）、ミカン属種（Ｒｕｔａｃｅａｅ  ｓｐ．）（例えば、レモン、オレンジ、ミカンおよびグレープフルーツ）；ナス属種（Ｓｏｌａｎａｃｅａｅ  ｓｐ．）（例えば、トマト、ジャガイモ、コショウ、トウガラシ、ナス、タバコ）、ユリ属種（Ｌｉｌｉａｃｅａｅ  ｓｐ．）、キク属種（Ｃｏｍｐｏｓｉｔａｅ  ｓｐ．）（例えば、レタス、チョウセンアザミおよびチコリー（これは、ルートチコリー（ｒｏｏｔ  ｃｈｉｃｏｒｙ）、エンダイブまたはキクニガナを包含する））、セリ属種（Ｕｍｂｅｌｌｉｆｅｒａｅ  ｓｐ．）（例えば、ニンジン、パセリ、セロリおよびセロリアック）、ウリ属種（Ｃｕｃｕｒｂｉｔａｃｅａｅ  ｓｐ．）（例えば、キュウリ（これは、ガーキン、カボチャ、スイカ、ヒョウタンおよびメロン）、ネギ属種（Ａｌｌｉａｃｅａｅ  ｓｐ．）（例えば、リーキおよびタマネギ）、アブラナ属種（Ｃｒｕｃｉｆｅｒａｅ  ｓｐ．）（例えば、白キャベツ、赤キャベツ、ブロッコリー、カリフラワー、芽キャベツ、タイサイ、コールラビ、ラディッシュ、セイヨウワサビ、コショウソウおよびハクサイ）、マメ属種（Ｌｅｇｕｍｉｎｏｓａｅ  ｓｐ．）（例えば、ラッカセイ、エンドウ、レンズマ��およびマメ（例えば、インゲンマメおよびソラマメ））、アカザ属種（Ｃｈｅｎｏｐｏｄｉａｃｅａｅ  ｓｐ．）（例えば、フダンソウ、飼料用ビート、ホウレンソウ、ビートの根（ｂｅｅｔｒｏｏｔｓ））、アマ（Ｌｉｎａｃｅａｅ）属種（例えばアサ）、タイマ（Ｃａｎｎａｂｅａｃｅａ）属種（例えば、大麻）、アオイ（Ｍａｌｖａｃｅａｅ）属種（例えば、オクラ、カカオ）、ケシ科（例えば、ケシ)、クサスギカズラ科（Ａｓｐａｒａｇａｃｅａｅ）（例えば、アスパラガス）；有用植物および庭の観賞植物ならびに芝生、芝地、イネ科草本およびステビア・レバウディアナ（Ｓｔｅｖｉａ  ｒｅｂａｕｄｉａｎａ）；および各場合でこれらの遺伝子組み換え型などがある。
【０２８５】
植物種または植物品種、それらの生育場所および生育条件（土壌、気候、生育期、養分（ｄｉｅｔ））に応じて、本発明による組成物を使用または利用して、本発明による処理により、優加法的（「相乗的」）効果も生じ得る。従って、例えば、本発明による処理において本発明の組成物を使用もしくは利用することで、施用量の低減および／または活性スペクトルの拡大および／または活性の増強、植物の生育の向上、高温または低温に対する耐性の向上、渇水または水中もしくは土壌中に含まれる塩分に対する耐性の向上、開花能力の向上、収穫の容易性の向上、促進された成熟、収穫量の増加、果実の大きさの増大、植物の高さの増大、葉の緑色の向上、より早い開花、収穫された生産物の品質の向上および／または栄養価の増加、果実内の糖度の上昇、収穫された生産物の貯蔵安定性の向上および／または加工性の向上などが可能であり、これらは、実際に予期された効果を超えるものである。
【０２８６】
本発明による処理における本発明の組成物の特定の施用量において、植物において強化効果も示し得る。望ましくない植物病原性真菌および／または微生物類および／またはウィルスによる攻撃に対する防御システムが動員される。本発明に関連して、植物を強化する（抵抗性を誘導する）物質は、処理された植物が、その後で望ましくない植物病原性真菌および／または微生物類および／またはウィルスを接種されたときに、それらの望ましくない植物病原性真菌および／または微生物類および／またはウィルスに対して実質的な程度の抵抗性を示すように、植物の防御システムを刺激することができる物質または物質の組合せを意味するものと理解される。そうして、本発明による処理において本発明による組成物を使用もしくは利用することで、処理後特定の期間内で、上記病原体による攻撃から植物を保護することができる。保護が達成される期間は、植物が該活性化合物で処理されてから、一般に、１から１０日間、好ましくは、１から７日間である。
【０２８７】
本発明に従って処理するのが同様に好ましい植物および植物品種は、１以上の生物的ストレスに対して抵抗性を示す。即ち、そのような植物は、害虫および有害微生物に対して、例えば、線虫類、昆虫類、ダニ類、植物病原性の菌類、細菌類、ウイルス類および／またはウイロイド類などに対して、良好な防御を示す。
【０２８８】
本発明に従って同様に処理し得る植物および植物品種は、１以上の非生物的ストレスに対して抵抗性である植物、すなわちストレス耐性に関して、すでに増進された植物の健康を示す植物である。非生物的なストレス状態としては、例えば、渇水、低温に晒されること、熱に晒されること、浸透ストレス、湛水、土壌中の塩分濃度の上昇、より多くの鉱物に晒されること、オゾンに晒されること、強い光に晒されること、利用可能な窒素養分が限られていること、利用可能なリン養分が限られていること、日陰回避などを挙げることができる。好ましくは、これらの植物および栽培品種の本発明の組成物による処理はさらに、全体的な植物の健康（上記参照）を高めるものである。
【０２８９】
本発明に従って同様に処理し得る植物および植物品種は、増大した収量特性を特徴とする植物、すなわちこの特徴に関して、すでに増進された植物の健康を示す植物である。そのような植物における増大した収量は、例えば、改善された植物の生理機能、生長および発育、例えば、水の利用効率、水の保持効率、改善された窒素の利用性、強化された炭素同化作用、改善された光合成、上昇した発芽効率および促進された成熟などの結果であり得る。収量は、さらに、改善された植物の構成によっても影響され得る（ストレス条件下および非ストレス条件下）。そのような改善された植物の構成としては、限定するものではないが、早咲き、ハイブリッド種子産生のための開花制御、実生の活力、植物の寸法、節間の数および距離、根の成長、種子の寸法、果実の寸法、莢の寸法、莢または穂の数、１つの莢または穂当たりの種子の数、種子の体積、強化された種子充填、低減された種子分散、低減された莢の裂開および耐倒伏性などがある。収量についてのさらなる形質としては、種子の組成、例えば、炭水化物含有量、タンパク質含有量、油含有量および油の組成、栄養価、抗栄養化合物の低減、改善された加工性ならびに向上した貯蔵安定性などがある。好ましくは、これらの植物および栽培品種の本発明の組成物による処理はさらに、全体的な植物の健康（上記参照）を高めるものである。
【０２９０】
本発明により処理され得る植物は、既にヘテロシスまたはハイブリッド活力の特徴を発現するハイブリッド植物であり、それによって、収量、活力、健康および生物ストレス因子および非生物ストレス因子に対する抵抗性がより高くなる。そのような植物は代表的には、同系交配雄性不稔親株（雌親）と別の同系交配雄性稔性親株（雄親）を交雑させることにより作られる。ハイブリッド種子は代表的には、雄性不稔植物から収穫され、栽培者に販売される。雄性不稔植物は、（例えばトウモロコシでは）、雄穂除去、すなわち雄性生殖器（または雄花）の物理的除去により作ることができる場合があるが、より代表的には、雄性不稔性は、植物ゲノムにおける遺伝的決定基の結果である。この場合、そして特には種子がハイブリッド植物から収穫するのが望まれる産物である場合に、ハイブリッド植物での雄性不稔性が十分に回復されるようにすることが有用であるのが普通である。これは、雄性不稔性を担う遺伝的決定基を含むハイブリッド植物で雄性稔性を回復することができる適切な稔性回復遺伝子を雄親が有するようにすることで達成される。雄性不稔性の遺伝的決定基は細胞質に局在化していることができる。細胞質雄性不稔性（ＣＭＳ）の例としては、例えばアブラナ種に記載されていた。しかしながら、雄性不稔性の遺伝的決定基は、細胞核ゲノムに局在化していることもできる。雄性不稔性植物は、遺伝子工学などの植物バイオテクノロジー法によっても得ることができる。雄性不稔性植物を得る上で特に好ましい手段は、ＷＯ８９／１０３９６に記載されており、そこでは、例えば、バルナーゼなどのリボヌクレアーゼが、雄しべにあるタペータム細胞で選択的に発現される。次に稔性は、バルスターなどのリボヌクレアーゼ阻害剤のタペータム細胞での発現によって回復することができる。
【０２９１】
本発明によって処理することができる植物または植物品種（遺伝子工学などの植物バイオテクノロジー法によって得られる）は、除草剤耐性植物、すなわち、１以上の所定の除草剤に対して耐性とされた植物である。そのような植物は、形質転換により、またはそのような除草剤耐性を付与する突然変異を含む植物の選択によって得ることができる。
【０２９２】
実施例
実施例１：複数の有効成分の組み合わせの効力についての式
有効成分組み合わせの活性が、個別に施用した場合の有効成分の活性の合計を超える場合には、有効成分の相乗効果が存在する。２種類の有効成分の所定の組み合わせについての予想される活性は、下記のように計算することができる（Ｃｏｌｂｙ，  Ｓ．  Ｒ．，  ″Ｃａｌｃｕｌａｔｉｎｇ  Ｓｙｎｅｒｇｉｓｔｉｃ  ａｎｄ  Ａｎｔａｇｏｎｉｓｔｉｃ  Ｒｅｓｐｏｎｓｅｓ  ｏｆ  Ｈｅｒｂｉｃｉｄｅ  Ｃｏｍｂｉｎａｔｉｏｎｓ″，Ｗｅｅｄｓ  １９６７，  １５，  ２０−２２参照）。
【０２９３】
Ｘが、有効成分Ａを施用量ｍｐｐｍ（またはｇ／ｈａ）で施用した場合の効力であり、
Ｙが、有効成分Ｂを施用量ｎｐｐｍ（またはｇ／ｈａ）で施用した場合の効力であり、
Ｅが、有効成分ＡおよびＢをそれぞれｍおよびｎｐｐｍ（またはｇ／ｈａ）で施用した場合の効力である場合、
【数１】
2017530966.tif 000014
【０２９４】
である。
【０２９５】
実際の活性が計算値を超える場合、組み合わせの活性は優加法的であり、すなわち相乗効果が存在する。この場合、実際に観察された効力は、上記式から計算される予想効力についての値（Ｅ）より大きいものでなければならない。
【０２９６】
例えば、上記式および分析を、植物成長促進の評価に適用することができる。そのようなアッセイは、植物に施用してから数日後に評価する。１００％は、未処理対照植物の重量に相当する植物重量を意味する。効力は、この場合、未処理対照の重量と比較して植物重量の追加％を意味する。例えば、未処理対照植物と比較して１２０％の植物重量となる処理は、２０％の効力を有することになるものと考えられる。組み合わせについての植物成長促進効果（すなわち、組み合わせ剤で処理した植物の％植物重量について観察された効力）が計算値を超える場合、その組み合わせ剤の活性は超加法的であり、すなわち相乗効果が存在する。
【０２９７】
上記式および分析を用いて、疾病防除アッセイにおける相乗効果を評価することもできる。％で表される効力の程度が示されている。０％は対照の効力に相当する効力を意味し、１００％の効力は疾病が全く観察されないことを意味する。
【０２９８】
実際の殺虫または殺菌活性が計算値を超える場合、組み合わせの活性は優加法的であり、すなわち相乗効果が存在する。この場合、実際に観察される効力は、上記式から計算される予想効力についての値（Ｅ）より大きいものでなければならない。
【０２９９】
相乗効果を示す別の手法は、Ｔａｍｍｅｓの方法である（″Ｉｓｏｂｏｌｅｓ，  Ａ  Ｇｒａｐｈｉｃ  Ｒｅｐｒｅｓｅｎｔａｔｉｏｎ  ｏｆ  Ｓｙｎｅｒｇｉｓｍ  ｉｎ  Ｐｅｓｔｉｃｉｄｅｓ，″  ｉｎ  Ｎｅｔｈ．  Ｊ．  Ｐｌａｎｔ  Ｐａｔｈ．，  １９６４，  ７０，  ７３−８０参照）。
【０３００】
実施例２：フルピラジフロンおよび組換えバチルス・ツリンギエンシス（Ｂａｃｉｌｌｕｓ  ｔｈｕｒｉｎｇｉｅｎｓｉｓ）細胞による植物成長促進
フルピラジフロンおよびホスホリパーゼＣを発現する組換えバチルス・ツリンギエンシス（Ｂａｃｉｌｌｕｓ  ｔｈｕｒｉｎｇｉｅｎｓｉｓ）細胞（「ＢＥＰＣ」）の発酵産物の組み合わせの効力を分析するため、実験を行った。２５から２８℃および湿度５０％の植物成長室のライトラック上、小さい３インチ正方形ポット中の合成培地および砂の無菌混合物で、トウモロコシ種子を約１４日間にわたり成長させた。各ポットでは、２個の種子を植えた。植え付け時には、各ポットの成長培地を、下記に記載の処理液に浸した。１４日後、植物を、植物バイオマスについて測定した。下記の表において、ＵＴＣは未処理対照を指す。「計算値」は、上記コルビー式を用いて計算される予想効果値を指し、「効力」は観察された実際の効果を指す。
【０３０１】
有効成分としてフルピラジフロンを含むＳＩＶＡＮＴＯ（登録商標）製品（１７．０９％フルピラジフロン）を水５０ｍＬで希釈し、その希釈溶液を用いて成長培地を浸した。下記に示した施用量は、成長培地に施用される有効成分（すなわち、フルピラジフロン）の量を指す。
【０３０２】
外膜上でホスホリパーゼＣを発現する組換えバチルス・セレウス（Ｂａｃｉｌｌｕｓ  ｃｅｒｅｕｓ）科構成員（バチルス・ツリンギエンシス（Ｂａｃｉｌｌｕｓ  ｔｈｕｒｉｎｇｉｅｎｓｉｓ）ＢＴ０１３Ａ）（ＢＥＰＣ）を次のように作った。バチルス・セレウス（Ｂａｃｉｌｌｕｓ  ｃｅｒｅｕｓ）科構成員での融合タンパク質の発現のためのプラスミドを作るため、ＢｃｌＡプロモーター（配列番号８５）、メチオニン開始コドン、およびＢｃｌＡのアミノ酸２０から３５（配列番号１）と次にフレームでバチルス・ツリンギエンシス（Ｂａｃｉｌｌｕｓ  ｔｈｕｒｉｎｇｉｅｎｓｉｓ）ＢＴ０１３Ａホスホリパーゼ（配列番号１０８）に融合した６アラニンリンカー配列をコードするＰＣＲ断片を作った。これらのＰＣＲ断片をＸｈｏＩで消化させ、ｐＳＵＰＥＲプラスミドのＳａｌＩ部位に結合させて、プラスミドｐＳＵＰＥＲ−ＢｃｌＡ２０−３５−ホスホリパーゼを作った。ｐＵＣ５７プラスミド（アンピシリン抵抗性カセットを含む）のバチルスからのｐＢＣ１６−１プラスミド（テトラサイクリン抵抗性を含む）との融合によって、ｐＳＵＰＥＲプラスミドを作った。この５．５ｋｂｐプラスミドは、大腸菌（Ｅ．  ｃｏｌｉ）およびバチルス属種の両方で複製することができる。ｐＳＵＰＥＲ−ＢｃｌＡ２０−３５−ホスホリパーゼプラスミドをｄａｍメチラーゼ陰性大腸菌（Ｅ．  ｃｏｌｉ）株にトランスフォームし、そこで繁殖し、最後にバチルス・ツリンギエンシス（Ｂａｃｉｌｌｕｓ  ｔｈｕｒｉｎｇｉｅｎｓｉｓ）ＢＴ０１３Ａにトランスフォームした。
【０３０３】
ＢＥＰＣの全ブロス培地を得るため、ブレインハートインフュージョン培地（ＢＨＩ）を含む１５ｍＬフラスコに、ＢＥＰＣを接種し、３００ｒｐｍの振盪器設定で約３０℃で７から８時間増殖させた。翌日、各フラスコからの小分けサンプル２５０μＬずつを、酵母抽出物系培地５０ｍＬの入った２５０ｍＬフラスコに接種し、約３０℃で増殖させた。約２日間のインキュベーション後、胞子形成が少なくとも９５％完了した時点で、培養ブロスを回収し、コロニー形成単位を計算した。発酵ブロスを水５０ｍＬで５％に希釈し、次のコロニー形成単位を各ポットに施用した。
【表３】
2017530966.tif 000015
【０３０４】
結果は、フルピラジフロンおよびＢＥＰＣを組み合わせた場合の優加法的植物収量効果を示している。
【０３０５】
実施例３：クロチアニジンおよび組換えバチルス・ツリンギエンシス（Ｂａｃｉｌｌｕｓ  ｔｈｕｒｉｎｇｉｅｎｓｉｓ）細胞による植物成長促進
２０℃および湿度７０％の温室中、ローム性砂でトウモロコシ種子を約１１日間成長させる。処理時点から約１１日後、若芽を土から上で切り取り、新鮮重量を求める。
【０３０６】
配列番号１０７によってコードされるエンドグルカナーゼを発現する組換えバチルス・ツリンギエンシス（Ｂａｃｉｌｌｕｓ  ｔｈｕｒｉｎｇｉｅｎｓｉｓ）細胞または配列番号１０８によってコードされて上記の方法に従って得られるホスホリパーゼＣを、約５０μｇ／穀粒で施用する。クロチアニジンも、約２５０μｇ／穀粒で施用する。
【０３０７】
クロチアニジンと組み合わせた組換えバチルス・ツリンギエンシス（Ｂａｃｉｌｌｕｓ  ｔｈｕｒｉｎｇｉｅｎｓｉｓ）で処理されるトウモロコシ植物は、二つの有効成分単独で処理したトウモロコシ植物からの％芽重量に基づいて計算された値を超える％芽重量を有すると予想され、すなわち相乗効果が観察されるであろう。
【図１】
2017530966.tif 000016
【手続補正書】
【提出日】平成29年8月16日(2017.8.16)
【手続補正１】
【補正対象書類名】明細書
【補正対象項目名】配列表
【補正方法】追加
【補正の内容】
【配列表】
2017530966000001.app
【国際調査報告】
2017530966.tif 000017
2017530966.tif 000018
2017530966.tif 000019